(57)【要約】【課題】商品の個体識別情報を不正に入手した者に対してキャンペーンの当選結果が出力されることを回避する。【解決手段】管理システムは、ユーザによって販売店で正規に購入された商品が有する個体識別情報を検出する販売店側個体識別情報検出部と、前記商品が有する前記個体識別情報を検出するユーザ側個体識別情報検出部と、前記販売店側個体識別情報検出部によって検出された前記個体識別情報と前記ユーザ側個体識別情報検出部によって検出された前記個体識別情報とに基づいて判定を行うキャンペーンマスタ照合部と、前記販売店側個体識別情報検出部によって検出された前記個体識別情報を有する前記商品と前記ユーザ側個体識別情報検出部によって検出された前記個体識別情報を有する前記商品とが同一である場合、かつ、前記商品がキャンペーン対象商品である場合に、キャンペーンの抽選結果を出力する抽選管理部とを備える。【選択図】図１
2020003943.tif 000002
【特許請求の範囲】
【請求項１】
ユーザによって販売店で正規に購入された商品が有する個体識別情報を検出する販売店側個体識別情報検出部と、
前記商品が有する前記個体識別情報を検出するユーザ側個体識別情報検出部と、
前記販売店側個体識別情報検出部によって検出された前記個体識別情報と、前記ユーザ側個体識別情報検出部によって検出された前記個体識別情報とに基づいて、前記販売店側個体識別情報検出部によって検出された前記個体識別情報を有する前記商品と、前記ユーザ側個体識別情報検出部によって検出された前記個体識別情報を有する前記商品とが同一であるか否かを判定するデータ管理部と、
前記商品がキャンペーン対象商品であるか否かを判定するキャンペーンマスタ照合部と、
前記販売店側個体識別情報検出部によって検出された前記個体識別情報を有する前記商品と前記ユーザ側個体識別情報検出部によって検出された前記個体識別情報を有する前記商品とが同一である場合、かつ、前記商品がキャンペーン対象商品である場合に、キャンペーンの抽選結果を出力する抽選管理部とを備える
管理システム。
【請求項２】
第１特徴点データ変換部と、
第２特徴点データ変換部とを更に備え、
前記販売店側個体識別情報検出部は、前記個体識別情報の画像を撮影する販売店側撮影部であり、
前記第１特徴点データ変換部は、前記販売店側撮影部によって撮影された前記個体識別情報の画像を変換して第１特徴点データを生成し、
前記ユーザ側個体識別情報検出部は、前記個体識別情報の画像を撮影するユーザ側撮影部であり、
前記第２特徴点データ変換部は、前記ユーザ側撮影部によって撮影された前記個体識別情報の画像を変換して第２特徴点データを生成し、
前記データ管理部は、前記第１特徴点データと前記第２特徴点データとが合致する場合に、前記販売店側撮影部によって撮影された前記個体識別情報を有する前記商品と、前記ユーザ側撮影部によって撮影された前記個体識別情報を有する前記商品とが同一であると判定する、
請求項１に記載の管理システム。
【請求項３】
前記商品に付された１次元コードを読み取る１次元コードリーダ部を有するＰＯＳレジスタを更に備え、
前記個体識別情報は、前記１次元コードであり、
前記キャンペーンマスタ照合部は、前記１次元コードリーダ部によって読み取られた前記１次元コードに基づいて、前記商品がキャンペーン対象商品であるか否かを判定し、
前記商品がキャンペーン対象商品ではないと前記キャンペーンマスタ照合部が判定する場合に、前記販売店側撮影部は、前記１次元コードの画像を撮影しない、
請求項２に記載の管理システム。
【請求項４】
前記第１特徴点データ変換部は、前記販売店側撮影部によって撮影された前記１次元コードの画像から、前記１次元コードの印刷時に発生した前記１次元コードの個体差を前記第１特徴点データとして抽出し、
前記第２特徴点データ変換部は、前記ユーザ側撮影部によって撮影された前記１次元コードの画像から、前記１次元コードの印刷時に発生した前記１次元コードの個体差を前記第２特徴点データとして抽出し、
前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一の商品であると判定する、
請求項３に記載の管理システム。
【請求項５】
前記第１特徴点データ変換部は、前記販売店側撮影部によって撮影された前記１次元コードの画像データを前記第１特徴点データとして生成し、
前記第２特徴点データ変換部は、前記ユーザ側撮影部によって撮影された前記１次元コードの画像データを前記第２特徴点データとして生成し、
前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一の商品であると判定する、
請求項３に記載の管理システム。
【請求項６】
第１特徴点データ変換部と、
第２特徴点データ変換部とを更に備え、
前記個体識別情報は、前記商品に付された１次元コードであり、
前記販売店側個体識別情報検出部は、前記１次元コードの画像を撮影する販売店側撮影部であり、
前記第１特徴点データ変換部は、前記販売店側撮影部によって撮影された前記１次元コードが有する情報を第１特徴点データとして生成し、
前記ユーザ側個体識別情報検出部は、前記１次元コードの画像を撮影するユーザ側撮影部であり、
前記第２特徴点データ変換部は、前記ユーザ側撮影部によって撮影された前記１次元コードが有する情報を第２特徴点データとして生成し、
前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一であると判定する、
請求項１に記載の管理システム。
【請求項７】
第１特徴点データ変換部と、
第２特徴点データ変換部とを更に備え、
前記個体識別情報は、前記商品に付された１次元コードであり、
前記販売店側個体識別情報検出部は、前記１次元コードの画像を撮影する販売店側撮影部であり、
前記第１特徴点データ変換部は、前記販売店側撮影部によって撮影された前記１次元コードの画像データと、前記販売店側撮影部によって撮影された前記１次元コードが有する情報とを含むものである第１特徴点データを生成し、
前記ユーザ側個体識別情報検出部は、前記１次元コードの画像を撮影するユーザ側撮影部であり、
前記第２特徴点データ変換部は、前記ユーザ側撮影部によって撮影された前記１次元コードの画像データと、前記ユーザ側撮影部によって撮影された前記１次元コードが有する情報とを含むものである第２特徴点データを生成し、
前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一であると判定する、
請求項１に記載の管理システム。
【請求項８】
前記個体識別情報は、前記商品に付された２次元コードであり、
前記第１特徴点データ変換部は、前記販売店側撮影部によって撮影された前記２次元コードの画像から、前記２次元コードの印刷時に発生した前記２次元コードの個体差を前記第１特徴点データとして抽出し、
前記第２特徴点データ変換部は、前記ユーザ側撮影部によって撮影された前記２次元コードの画像から、前記２次元コードの印刷時に発生した前記２次元コードの個体差を前記第２特徴点データとして抽出し、
前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一の商品であると判定する、
請求項２に記載の管理システム。
【請求項９】
前記個体識別情報は、前記商品に付された２次元コードであり、
前記第１特徴点データ変換部は、前記販売店側撮影部によって撮影された前記２次元コードの画像データを前記第１特徴点データとして生成し、
前記第２特徴点データ変換部は、前記ユーザ側撮影部によって撮影された前記２次元コードの画像データを前記第２特徴点データとして生成し、
前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一の商品であると判定する、
請求項２に記載の管理システム。
【請求項１０】
第１特徴点データ変換部と、
第２特徴点データ変換部とを更に備え、
前記個体識別情報は、前記商品に付された２次元コードであり、
前記販売店側個体識別情報検出部は、前記２次元コードの画像を撮影する販売店側撮影部であり、
前記第１特徴点データ変換部は、前記販売店側撮影部によって撮影された前記２次元コードが有する情報を第１特徴点データとして生成し、
前記ユーザ側個体識別情報検出部は、前記２次元コードの画像を撮影するユーザ側撮影部であり、
前記第２特徴点データ変換部は、前記ユーザ側撮影部によって撮影された前記２次元コードが有する情報を第２特徴点データとして生成し、
前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一であると判定する、
請求項１に記載の管理システム。
【請求項１１】
第１特徴点データ変換部と、
第２特徴点データ変換部とを更に備え、
前記個体識別情報は、前記商品に付された２次元コードであり、
前記販売店側個体識別情報検出部は、前記２次元コードの画像を撮影する販売店側撮影部であり、
前記第１特徴点データ変換部は、前記販売店側撮影部によって撮影された前記２次元コードの画像データと、前記販売店側撮影部によって撮影された前記２次元コードが有する情報とを含むものである第１特徴点データを生成し、
前記ユーザ側個体識別情報検出部は、前記２次元コードの画像を撮影するユーザ側撮影部であり、
前記第２特徴点データ変換部は、前記ユーザ側撮影部によって撮影された前記２次元コードの画像データと、前記ユーザ側撮影部によって撮影された前記２次元コードが有する情報とを含むものである第２特徴点データを生成し、
前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一であると判定する、
請求項１に記載の管理システム。
【請求項１２】
前記個体識別情報は、前記商品の形状であり、
前記第１特徴点データ変換部は、前記販売店側撮影部によって撮影された前記商品の形状を示す画像から、前記商品の製造時に発生した前記商品の形状の個体差を前記第１特徴点データとして抽出し、
前記第２特徴点データ変換部は、前記ユーザ側撮影部によって撮影された前記商品の形状を示す画像から、前記商品の製造時に発生した前記商品の形状の個体差を前記第２特徴点データとして抽出し、
前記データ管理部は、前記第１特徴点データと前記第２特徴点データとが合致する場合に、前記販売店側撮影部によって撮影された前記商品と、前記ユーザ側撮影部によって撮影された前記商品とが同一の商品であると判定する、
請求項２に記載の管理システム。
【請求項１３】
前記個体識別情報は、前記商品の形状であり、
前記第１特徴点データ変換部は、前記販売店側撮影部によって撮影された前記商品の形状を示す画像データを前記第１特徴点データとして生成し、
前記第２特徴点データ変換部は、前記ユーザ側撮影部によって撮影された前記商品の形状を示す画像データを前記第２特徴点データとして生成し、
前記データ管理部は、前記第１特徴点データと前記第２特徴点データとが合致する場合に、前記販売店側撮影部によって撮影された前記商品と、前記ユーザ側撮影部によって撮影された前記商品とが同一の商品であると判定する、
請求項２に記載の管理システム。
【請求項１４】
前記個体識別情報は、前記商品に付された模様であり、
前記第１特徴点データ変換部は、前記販売店側撮影部によって撮影された前記商品の前記模様の画像から、前記模様の形成時に発生した前記模様の個体差を前記第１特徴点データとして抽出し、
前記第２特徴点データ変換部は、前記ユーザ側撮影部によって撮影された前記商品の前記模様の画像から、前記模様の形成時に発生した前記模様の個体差を前記第２特徴点データとして抽出し、
前記データ管理部は、前記第１特徴点データと前記第２特徴点データとが合致する場合に、前記販売店側撮影部によって撮影された前記模様を有する前記商品と、前記ユーザ側撮影部によって撮影された前記模様を有する前記商品とが同一の商品であると判定する、
請求項２に記載の管理システム。
【請求項１５】
前記個体識別情報は、前記商品に付された模様であり、
前記第１特徴点データ変換部は、前記販売店側撮影部によって撮影された前記模様の画像データを前記第１特徴点データとして生成し、
前記第２特徴点データ変換部は、前記ユーザ側撮影部によって撮影された前記模様の画像データを前記第２特徴点データとして生成し、
前記データ管理部は、前記第１特徴点データと前記第２特徴点データとが合致する場合に、前記販売店側撮影部によって撮影された前記模様を有する前記商品と、前記ユーザ側撮影部によって撮影された前記模様を有する前記商品とが同一の商品であると判定する、
請求項２に記載の管理システム。
【請求項１６】
前記個体識別情報は、前記商品に付された文字パターンであり、
前記第１特徴点データ変換部は、前記販売店側撮影部によって撮影された前記文字パターンの画像から、前記文字パターンの印刷時に発生した前記文字パターンの個体差を前記第１特徴点データとして抽出し、
前記第２特徴点データ変換部は、前記ユーザ側撮影部によって撮影された前記文字パターンの画像から、前記文字パターンの印刷時に発生した前記文字パターンの個体差を前記第２特徴点データとして抽出し、
前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定する、
請求項２に記載の管理システム。
【請求項１７】
前記個体識別情報は、前記商品に付された文字パターンであり、
前記第１特徴点データ変換部は、前記販売店側撮影部によって撮影された前記文字パターンの画像データを前記第１特徴点データとして生成し、
前記第２特徴点データ変換部は、前記ユーザ側撮影部によって撮影された前記文字パターンの画像データを前記第２特徴点データとして生成し、
前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定する、
請求項２に記載の管理システム。
【請求項１８】
第１特徴点データ変換部と、
第２特徴点データ変換部とを更に備え、
前記個体識別情報は、前記商品に付された文字パターンであり、
前記販売店側個体識別情報検出部は、前記文字パターンの画像を撮影する販売店側撮影部であり、
前記第１特徴点データ変換部は、前記販売店側撮影部によって撮影された前記文字パターンが有するテキスト情報を第１特徴点データとして生成し、
前記ユーザ側個体識別情報検出部は、前記文字パターンの画像を撮影するユーザ側撮影部であり、
前記第２特徴点データ変換部は、前記ユーザ側撮影部によって撮影された前記文字パターンが有するテキスト情報を第２特徴点データとして生成し、
前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定する、
請求項１に記載の管理システム。
【請求項１９】
第１特徴点データ変換部と、
第２特徴点データ変換部とを更に備え、
前記個体識別情報は、前記商品に付された文字パターンであり、
前記販売店側個体識別情報検出部は、前記文字パターンの画像を撮影する販売店側撮影部であり、
前記第１特徴点データ変換部は、前記販売店側撮影部によって撮影された前記文字パターンの画像データと、前記販売店側撮影部によって撮影された前記文字パターンが有するテキスト情報とを含むものである第１特徴点データを生成し、
前記ユーザ側個体識別情報検出部は、前記文字パターンの画像を撮影するユーザ側撮影部であり、
前記第２特徴点データ変換部は、前記ユーザ側撮影部によって撮影された前記文字パターンの画像データと、前記ユーザ側撮影部によって撮影された前記文字パターンが有するテキスト情報とを含むものである第２特徴点データを生成し、
前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一であると判定する、
請求項１に記載の管理システム。
【請求項２０】
前記個体識別情報は、前記商品に付された印刷物であり、
前記第１特徴点データ変換部は、前記販売店側撮影部によって撮影された前記印刷物の画像から、前記印刷物の作成時に発生した印刷物の個体差を前記第１特徴点データとして抽出し、
前記第２特徴点データ変換部は、前記ユーザ側撮影部によって撮影された前記印刷物の画像から、前記印刷物の作成時に発生した印刷物の個体差を前記第２特徴点データとして抽出し、
前記データ管理部は、前記第１特徴点データと前記第２特徴点データとが合致する場合に、前記販売店側撮影部によって撮影された前記印刷物を有する前記商品と、前記ユーザ側撮影部によって撮影された前記印刷物を有する前記商品とが同一の商品であると判定する、
請求項２に記載の管理システム。
【請求項２１】
前記個体識別情報は、前記商品に付された印刷物であり、
前記第１特徴点データ変換部は、前記販売店側撮影部によって撮影された前記印刷物の画像データを前記第１特徴点データとして生成し、
前記第２特徴点データ変換部は、前記ユーザ側撮影部によって撮影された前記印刷物の画像データを前記第２特徴点データとして生成し、
前記データ管理部は、前記第１特徴点データと前記第２特徴点データとが合致する場合に、前記販売店側撮影部によって撮影された前記印刷物を有する前記商品と、前記ユーザ側撮影部によって撮影された前記印刷物を有する前記商品とが同一の商品であると判定する、
請求項２に記載の管理システム。
【請求項２２】
前記個体識別情報は、前記商品に電子透かしとして埋め込み印刷された埋め込み印刷部の情報であり、
前記第１特徴点データ変換部は、前記販売店側撮影部によって撮影された前記埋め込み印刷部の画像から、前記埋め込み印刷部の印刷時に発生した前記埋め込み印刷部の個体差を前記第１特徴点データとして抽出し、
前記第２特徴点データ変換部は、前記ユーザ側撮影部によって撮影された前記埋め込み印刷部の画像から、前記埋め込み印刷部の印刷時に発生した前記埋め込み印刷部の個体差を前記第２特徴点データとして抽出し、
前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定する、
請求項２に記載の管理システム。
【請求項２３】
前記個体識別情報は、前記商品に電子透かしとして埋め込み印刷された埋め込み印刷部の情報であり、
前記第１特徴点データ変換部は、前記販売店側撮影部によって撮影された前記埋め込み印刷部の画像データを前記第１特徴点データとして生成し、
前記第２特徴点データ変換部は、前記ユーザ側撮影部によって撮影された前記埋め込み印刷部の画像データを前記第２特徴点データとして生成し、
前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定する、
請求項２に記載の管理システム。
【請求項２４】
第１特徴点データ変換部と、
第２特徴点データ変換部とを更に備え、
前記個体識別情報は、前記商品に電子透かしとして埋め込み印刷された埋め込み印刷部の情報であり、
前記販売店側個体識別情報検出部は、前記埋め込み印刷部の画像を撮影する販売店側撮影部であり、
前記第１特徴点データ変換部は、前記販売店側撮影部によって撮影された前記埋め込み印刷部が有する情報を第１特徴点データとして生成し、
前記ユーザ側個体識別情報検出部は、前記埋め込み印刷部の画像を撮影するユーザ側撮影部であり、
前記第２特徴点データ変換部は、前記ユーザ側撮影部によって撮影された前記埋め込み印刷部が有する情報を第２特徴点データとして生成し、
前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定する、
請求項１に記載の管理システム。
【請求項２５】
第１特徴点データ変換部と、
第２特徴点データ変換部とを更に備え、
前記個体識別情報は、前記商品に電子透かしとして埋め込み印刷された埋め込み印刷部の情報であり、
前記販売店側個体識別情報検出部は、前記埋め込み印刷部の画像を撮影する販売店側撮影部であり、
前記第１特徴点データ変換部は、前記販売店側撮影部によって撮影された前記埋め込み印刷部の画像データと、前記販売店側撮影部によって撮影された前記埋め込み印刷部が有する情報とを含むものである第１特徴点データを生成し、
前記ユーザ側個体識別情報検出部は、前記埋め込み印刷部の画像を撮影するユーザ側撮影部であり、
前記第２特徴点データ変換部は、前記ユーザ側撮影部によって撮影された前記埋め込み印刷部の画像データと、前記ユーザ側撮影部によって撮影された前記埋め込み印刷部が有する情報とを含むものである第２特徴点データを生成し、
前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一であると判定する、
請求項１に記載の管理システム。
【請求項２６】
前記個体識別情報は、前記商品に付されたＩＣタグが有する識別情報であって、前記ＩＣタグの物理的な構造に起因する容量成分から取得される固有の識別情報であり、
前記販売店側個体識別情報検出部は、前記ＩＣタグが有する前記個体識別情報を読み取る販売店側リーダであり、
前記ユーザ側個体識別情報検出部は、前記ＩＣタグが有する前記個体識別情報を読み取るユーザ側リーダ部であり、
前記データ管理部は、前記販売店側リーダによって読み取られた前記個体識別情報と、前記ユーザ側リーダ部によって読み取られた前記個体識別情報とが合致する場合に、前記販売店側個体識別情報検出部によって検出された前記個体識別情報を有する前記商品と、前記ユーザ側個体識別情報検出部によって検出された前記個体識別情報を有する前記商品とが同一であると判定する、
請求項１に記載の管理システム。
【請求項２７】
前記個体識別情報は、前記商品に付されたＩＣタグに書き込まれている情報であり、
前記販売店側個体識別情報検出部は、前記ＩＣタグに書き込まれている前記個体識別情報を読み取る販売店側リーダであり、
前記ユーザ側個体識別情報検出部は、前記ＩＣタグに書き込まれている前記個体識別情報を読み取るユーザ側リーダ部であり、
前記データ管理部は、前記販売店側リーダによって読み取られた前記個体識別情報と、前記ユーザ側リーダ部によって読み取られた前記個体識別情報とが合致する場合に、前記販売店側個体識別情報検出部によって検出された前記個体識別情報を有する前記商品と、前記ユーザ側個体識別情報検出部によって検出された前記個体識別情報を有する前記商品とが同一であると判定する、
請求項１に記載の管理システム。
【請求項２８】
前記個体識別情報には、前記商品に付されたＩＣタグが有する識別情報であって、前記ＩＣタグの物理的な構造に起因する容量成分から取得される固有の識別情報である第１識別情報と、前記ＩＣタグに書き込まれている情報である第２識別情報とが含まれ、
前記販売店側個体識別情報検出部は、前記ＩＣタグが有する前記第１識別情報と、前記ＩＣタグに書き込まれている前記第２識別情報とを読み取る販売店側リーダであり、
前記ユーザ側個体識別情報検出部は、前記ＩＣタグが有する前記第１識別情報と、前記ＩＣタグに書き込まれている前記第２識別情報とを読み取るユーザ側リーダ部であり、
前記データ管理部は、前記販売店側リーダによって読み取られた前記第１識別情報および前記第２識別情報と、前記ユーザ側リーダ部によって読み取られた前記第１識別情報および前記第２識別情報とが合致する場合に、前記販売店側個体識別情報検出部によって検出された前記第１識別情報および前記第２識別情報を有する前記商品と、前記ユーザ側個体識別情報検出部によって検出された前記第１識別情報および前記第２識別情報を有する前記商品とが同一であると判定する、
請求項１に記載の管理システム。
【請求項２９】
ユーザによって販売店で正規に購入された商品が有する個体識別情報を検出する販売店側個体識別情報検出ステップと、
前記商品が有する前記個体識別情報を検出するユーザ側個体識別情報検出ステップと、
前記販売店側個体識別情報検出ステップにおいて検出された前記個体識別情報と、前記ユーザ側個体識別情報検出ステップにおいて検出された前記個体識別情報とに基づいて、前記販売店側個体識別情報検出ステップにおいて検出された前記個体識別情報を有する前記商品と、前記ユーザ側個体識別情報検出ステップにおいて検出された前記個体識別情報を有する前記商品とが同一であるか否かを判定するデータ管理ステップと、
前記商品がキャンペーン対象商品であるか否かを判定するキャンペーンマスタ照合ステップと、
前記販売店側個体識別情報検出ステップにおいて検出された前記個体識別情報を有する前記商品と前記ユーザ側個体識別情報検出ステップにおいて検出された前記個体識別情報を有する前記商品とが同一である場合、かつ、前記商品がキャンペーン対象商品である場合に、キャンペーンの抽選結果を出力する抽選管理ステップとを備える
管理方法。
【請求項３０】
ユーザによって販売店で正規に購入された商品が有する個体識別情報を販売店において検出する個体識別情報検出装置であって、
前記商品が有する前記個体識別情報は、ユーザ側個体識別情報検出部によっても検出され、
前記個体識別情報検出装置によって検出された前記個体識別情報と、前記ユーザ側個体識別情報検出部によって検出された前記個体識別情報とに基づいて、前記個体識別情報検出装置によって検出された前記個体識別情報を有する前記商品と、前記ユーザ側個体識別情報検出部によって検出された前記個体識別情報を有する前記商品とが同一であるか否かが判定され、
前記商品がキャンペーン対象商品であるか否かが判定され、
前記個体識別情報検出装置によって検出された前記個体識別情報を有する前記商品と前記ユーザ側個体識別情報検出部によって検出された前記個体識別情報を有する前記商品とが同一である場合、かつ、前記商品がキャンペーン対象商品である場合に、キャンペーンの抽選結果が出力される、
個体識別情報検出装置。
【発明の詳細な説明】
【技術分野】
【０００１】
本発明は、管理システム、管理方法および個体識別情報検出装置に関する。
【背景技術】
【０００２】
従来、キャラクターやブランド等のプロパティを付した商品の非正規品を見つけ出す正規品販売情報管理システムが知られている（例えば、特許文献１参照）。
特許文献１に記載された正規品販売情報管理システムは、サーバと端末装置を有する正規品販売情報管理システムであって、その対象商品には記録片が剥離可能に貼付されていて、記録片には商品を一意に特定する識別情報とサーバを特定する情報とが記載されている。商品購入者が端末装置を介して、識別情報を含む商品に関する情報をサーバに送信すると、サーバは、受信した識別情報と商品情報データベースに登録済の識別情報とを比較し、商品が正規品であるか否かを判定する。
【０００３】
特許文献１に記載された技術では、ＪＡＮコード（ライセンシーコード）およびランダム番号（従来のラベル印字方式）の両方が、商品の購入時に読み取られる。予め登録された製品情報とランダム番号とを照合することによって、真贋判定および正規品販売情報管理が行われる。
特許文献１には、識別情報の適否だけでなく、商品に付されているＪＡＮコードの適否も正規品か否かの判定に加味してもよい旨が記載されている。
ところで、特許文献１に記載された技術では、商品の非正規品を見つけ出すことができるものの、抽選が行われるキャンペーンに対する不正な応募を判別することはできない。従って、特許文献１に記載された技術によっては、商品の個体識別情報を不正に入手した者に対してキャンペーンの当選結果が出力されることを回避することができない。
【０００４】
現在、キャンペーンとして抽選、ポイント付与、全員当選などが実施されている。特にユーザのスマートフォンを用いてユニークＱＲコード（登録商標）を読み取らせ、サーバ上で当選判定およびポイント管理を行うウェブキャンペーンが主流となっている。
ウェブキャンペーンでは、ユニークＱＲコードが盗み見されて不正申し込みされないように、２層ラベル、スクラッチ印刷などによってユニークＱＲコードが覆われている。
ところで、ユニークＱＲコードを覆う手法では、ラベル基材、スクラッチ印刷などのコストがかかるため、飲料・酒などの大量販売される商品以外では採用が進んでいない。また、この手法では、商品の個体識別情報を不正に入手した者に対してキャンペーンの当選結果が出力されることを回避することができない。詳細には、商品を正規に購入したユーザからの正当な応募と、例えば売れ残った商品のコードを盗み見た者などからの不正な応募とを判別することができない。
【０００５】
紙器に印刷されたバーコードを切り取ってはがきに貼って応募するアナログキャンペーンも一定の利用が継続されている。
ところで、この手法では、ユーザの手間、はがき郵送代などがかかってしまい、キャンペーン実施者もはがきに記載された個人情報などを管理するコストなどが発生してしまう。また、この手法では、上述した手法と同様に、商品の個体識別情報を不正に入手した者に対してキャンペーンの当選結果が出力されることを回避することができない。
【先行技術文献】
【特許文献】
【０００６】
【特許文献１】特許第５２３８０８９号公報
【発明の概要】
【発明が解決しようとする課題】
【０００７】
上述した問題点に鑑み、本発明は、商品の個体識別情報を不正に入手した者に対してキャンペーンの当選結果が出力されることを回避することができる管理システム、管理方法および個体識別情報検出装置を提供することを目的とする。
【課題を解決するための手段】
【０００８】
本発明の一態様は、ユーザによって販売店で正規に購入された商品が有する個体識別情報を検出する販売店側個体識別情報検出部と、前記商品が有する前記個体識別情報を検出するユーザ側個体識別情報検出部と、前記販売店側個体識別情報検出部によって検出された前記個体識別情報と、前記ユーザ側個体識別情報検出部によって検出された前記個体識別情報とに基づいて、前記販売店側個体識別情報検出部によって検出された前記個体識別情報を有する前記商品と、前記ユーザ側個体識別情報検出部によって検出された前記個体識別情報を有する前記商品とが同一であるか否かを判定するデータ管理部と、前記商品がキャンペーン対象商品であるか否かを判定するキャンペーンマスタ照合部と、前記販売店側個体識別情報検出部によって検出された前記個体識別情報を有する前記商品と前記ユーザ側個体識別情報検出部によって検出された前記個体識別情報を有する前記商品とが同一である場合、かつ、前記商品がキャンペーン対象商品である場合に、キャンペーンの抽選結果を出力する抽選管理部とを備える管理システムである。
【０００９】
本発明の一態様の管理システムは、第１特徴点データ変換部と、第２特徴点データ変換部とを更に備え、前記販売店側個体識別情報検出部は、前記個体識別情報の画像を撮影する販売店側撮影部であり、前記第１特徴点データ変換部は、前記販売店側撮影部によって撮影された前記個体識別情報の画像を変換して第１特徴点データを生成し、前記ユーザ側個体識別情報検出部は、前記個体識別情報の画像を撮影するユーザ側撮影部であり、前記第２特徴点データ変換部は、前記ユーザ側撮影部によって撮影された前記個体識別情報の画像を変換して第２特徴点データを生成し、前記データ管理部は、前記第１特徴点データと前記第２特徴点データとが合致する場合に、前記販売店側撮影部によって撮影された前記個体識別情報を有する前記商品と、前記ユーザ側撮影部によって撮影された前記個体識別情報を有する前記商品とが同一であると判定してもよい。
【００１０】
本発明の一態様の管理システムは、前記商品に付された１次元コードを読み取る１次元コードリーダ部を有するＰＯＳレジスタを更に備え、前記個体識別情報は、前記１次元コードであり、前記キャンペーンマスタ照合部は、前記１次元コードリーダ部によって読み取られた前記１次元コードに基づいて、前記商品がキャンペーン対象商品であるか否かを判定し、前記商品がキャンペーン対象商品ではないと前記キャンペーンマスタ照合部が判定する場合に、前記販売店側撮影部は、前記１次元コードの画像を撮影しなくてもよい。
【００１１】
本発明の一態様の管理システムでは、前記第１特徴点データ変換部は、前記販売店側撮影部によって撮影された前記１次元コードの画像から、前記１次元コードの印刷時に発生した前記１次元コードの個体差を前記第１特徴点データとして抽出し、前記第２特徴点データ変換部は、前記ユーザ側撮影部によって撮影された前記１次元コードの画像から、前記１次元コードの印刷時に発生した前記１次元コードの個体差を前記第２特徴点データとして抽出し、前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一の商品であると判定してもよい。
【００１２】
本発明の一態様の管理システムでは、前記第１特徴点データ変換部は、前記販売店側撮影部によって撮影された前記１次元コードの画像データを前記第１特徴点データとして生成し、前記第２特徴点データ変換部は、前記ユーザ側撮影部によって撮影された前記１次元コードの画像データを前記第２特徴点データとして生成し、前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一の商品であると判定してもよい。
【００１３】
本発明の一態様の管理システムは、第１特徴点データ変換部と、第２特徴点データ変換部とを更に備え、前記個体識別情報は、前記商品に付された１次元コードであり、前記販売店側個体識別情報検出部は、前記１次元コードの画像を撮影する販売店側撮影部であり、前記第１特徴点データ変換部は、前記販売店側撮影部によって撮影された前記１次元コードが有する情報を第１特徴点データとして生成し、前記ユーザ側個体識別情報検出部は、前記１次元コードの画像を撮影するユーザ側撮影部であり、前記第２特徴点データ変換部は、前記ユーザ側撮影部によって撮影された前記１次元コードが有する情報を第２特徴点データとして生成し、前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一であると判定してもよい。
【００１４】
本発明の一態様の管理システムは、第１特徴点データ変換部と、第２特徴点データ変換部とを更に備え、前記個体識別情報は、前記商品に付された１次元コードであり、前記販売店側個体識別情報検出部は、前記１次元コードの画像を撮影する販売店側撮影部であり、前記第１特徴点データ変換部は、前記販売店側撮影部によって撮影された前記１次元コードの画像データと、前記販売店側撮影部によって撮影された前記１次元コードが有する情報とを含むものである第１特徴点データを生成し、前記ユーザ側個体識別情報検出部は、前記１次元コードの画像を撮影するユーザ側撮影部であり、前記第２特徴点データ変換部は、前記ユーザ側撮影部によって撮影された前記１次元コードの画像データと、前記ユーザ側撮影部によって撮影された前記１次元コードが有する情報とを含むものである第２特徴点データを生成し、前記データ管理部は、前記第１特徴点データと前記第２特徴点データとが合致する場合に、前記販売店側撮影部によって撮影された前記１次元コードを有する前記商品と、前記ユーザ側撮影部によって撮影された前記１次元コードを有する前記商品とが同一であると判定してもよい。
【００１５】
本発明の一態様の管理システムでは、前記個体識別情報は、前記商品に付された２次元コードであり、前記第１特徴点データ変換部は、前記販売店側撮影部によって撮影された前記２次元コードの画像から、前記２次元コードの印刷時に発生した前記２次元コードの個体差を前記第１特徴点データとして抽出し、前記第２特徴点データ変換部は、前記ユーザ側撮影部によって撮影された前記２次元コードの画像から、前記２次元コードの印刷時に発生した前記２次元コードの個体差を前記第２特徴点データとして抽出し、前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一の商品であると判定してもよい。
【００１６】
本発明の一態様の管理システムでは、前記個体識別情報は、前記商品に付された２次元コードであり、前記第１特徴点データ変換部は、前記販売店側撮影部によって撮影された前記２次元コードの画像データを前記第１特徴点データとして生成し、前記第２特徴点データ変換部は、前記ユーザ側撮影部によって撮影された前記２次元コードの画像データを前記第２特徴点データとして生成し、前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一の商品であると判定してもよい。
【００１７】
本発明の一態様の管理システムは、第１特徴点データ変換部と、第２特徴点データ変換部とを更に備え、前記個体識別情報は、前記商品に付された２次元コードであり、前記販売店側個体識別情報検出部は、前記２次元コードの画像を撮影する販売店側撮影部であり、前記第１特徴点データ変換部は、前記販売店側撮影部によって撮影された前記２次元コードが有する情報を第１特徴点データとして生成し、前記ユーザ側個体識別情報検出部は、前記２次元コードの画像を撮影するユーザ側撮影部であり、前記第２特徴点データ変換部は、前記ユーザ側撮影部によって撮影された前記２次元コードが有する情報を第２特徴点データとして生成し、前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一であると判定してもよい。
【００１８】
本発明の一態様の管理システムは、第１特徴点データ変換部と、第２特徴点データ変換部とを更に備え、前記個体識別情報は、前記商品に付された２次元コードであり、前記販売店側個体識別情報検出部は、前記２次元コードの画像を撮影する販売店側撮影部であり、前記第１特徴点データ変換部は、前記販売店側撮影部によって撮影された前記２次元コードの画像データと、前記販売店側撮影部によって撮影された前記２次元コードが有する情報とを含むものである第１特徴点データを生成し、前記ユーザ側個体識別情報検出部は、前記２次元コードの画像を撮影するユーザ側撮影部であり、前記第２特徴点データ変換部は、前記ユーザ側撮影部によって撮影された前記２次元コードの画像データと、前記ユーザ側撮影部によって撮影された前記２次元コードが有する情報とを含むものである第２特徴点データを生成し、前記データ管理部は、前記第１特徴点データと前記第２特徴点データとが合致する場合に、前記販売店側撮影部によって撮影された前記２次元コードを有する前記商品と、前記ユーザ側撮影部によって撮影された前記２次元コードを有する前記商品とが同一であると判定してもよい。
【００１９】
本発明の一態様の管理システムでは、前記個体識別情報は、前記商品の形状であり、前記第１特徴点データ変換部は、前記販売店側撮影部によって撮影された前記商品の形状を示す画像から、前記商品の製造時に発生した前記商品の形状の個体差を前記第１特徴点データとして抽出し、前記第２特徴点データ変換部は、前記ユーザ側撮影部によって撮影された前記商品の形状を示す画像から、前記商品の製造時に発生した前記商品の形状の個体差を前記第２特徴点データとして抽出し、前記データ管理部は、前記第１特徴点データと前記第２特徴点データとが合致する場合に、前記販売店側撮影部によって撮影された前記商品と、前記ユーザ側撮影部によって撮影された前記商品とが同一の商品であると判定してもよい。
【００２０】
本発明の一態様の管理システムでは、前記個体識別情報は、前記商品の形状であり、前記第１特徴点データ変換部は、前記販売店側撮影部によって撮影された前記商品の形状を示す画像データを前記第１特徴点データとして生成し、前記第２特徴点データ変換部は、前記ユーザ側撮影部によって撮影された前記商品の形状を示す画像データを前記第２特徴点データとして生成し、前記データ管理部は、前記第１特徴点データと前記第２特徴点データとが合致する場合に、前記販売店側撮影部によって撮影された前記商品と、前記ユーザ側撮影部によって撮影された前記商品とが同一の商品であると判定してもよい。
【００２１】
本発明の一態様の管理システムでは、前記個体識別情報は、前記商品に付された模様であり、前記第１特徴点データ変換部は、前記販売店側撮影部によって撮影された前記商品の前記模様の画像から、前記模様の形成時に発生した前記模様の個体差を前記第１特徴点データとして抽出し、前記第２特徴点データ変換部は、前記ユーザ側撮影部によって撮影された前記商品の前記模様の画像から、前記模様の形成時に発生した前記模様の個体差を前記第２特徴点データとして抽出し、前記データ管理部は、前記第１特徴点データと前記第２特徴点データとが合致する場合に、前記販売店側撮影部によって撮影された前記模様を有する前記商品と、前記ユーザ側撮影部によって撮影された前記模様を有する前記商品とが同一の商品であると判定してもよい。
【００２２】
本発明の一態様の管理システムでは、前記個体識別情報は、前記商品に付された模様であり、前記第１特徴点データ変換部は、前記販売店側撮影部によって撮影された前記模様の画像データを前記第１特徴点データとして生成し、前記第２特徴点データ変換部は、前記ユーザ側撮影部によって撮影された前記模様の画像データを前記第２特徴点データとして生成し、前記データ管理部は、前記第１特徴点データと前記第２特徴点データとが合致する場合に、前記販売店側撮影部によって撮影された前記模様を有する前記商品と、前記ユーザ側撮影部によって撮影された前記模様を有する前記商品とが同一の商品であると判定してもよい。
【００２３】
本発明の一態様の管理システムでは、前記個体識別情報は、前記商品に付された文字パターンであり、前記第１特徴点データ変換部は、前記販売店側撮影部によって撮影された前記文字パターンの画像から、前記文字パターンの印刷時に発生した前記文字パターンの個体差を前記第１特徴点データとして抽出し、前記第２特徴点データ変換部は、前記ユーザ側撮影部によって撮影された前記文字パターンの画像から、前記文字パターンの印刷時に発生した前記文字パターンの個体差を前記第２特徴点データとして抽出し、前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定してもよい。
【００２４】
本発明の一態様の管理システムでは、前記個体識別情報は、前記商品に付された文字パターンであり、前記第１特徴点データ変換部は、前記販売店側撮影部によって撮影された前記文字パターンの画像データを前記第１特徴点データとして生成し、前記第２特徴点データ変換部は、前記ユーザ側撮影部によって撮影された前記文字パターンの画像データを前記第２特徴点データとして生成し、前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定してもよい。
【００２５】
本発明の一態様の管理システムは、第１特徴点データ変換部と、第２特徴点データ変換部とを更に備え、前記個体識別情報は、前記商品に付された文字パターンであり、前記販売店側個体識別情報検出部は、前記文字パターンの画像を撮影する販売店側撮影部であり、前記第１特徴点データ変換部は、前記販売店側撮影部によって撮影された前記文字パターンが有するテキスト情報を第１特徴点データとして生成し、前記ユーザ側個体識別情報検出部は、前記文字パターンの画像を撮影するユーザ側撮影部であり、前記第２特徴点データ変換部は、前記ユーザ側撮影部によって撮影された前記文字パターンが有するテキスト情報を第２特徴点データとして生成し、前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一の商品であると判定してもよい。
【００２６】
本発明の一態様の管理システムは、第１特徴点データ変換部と、第２特徴点データ変換部とを更に備え、前記個体識別情報は、前記商品に付された文字パターンであり、前記販売店側個体識別情報検出部は、前記文字パターンの画像を撮影する販売店側撮影部であり、前記第１特徴点データ変換部は、前記販売店側撮影部によって撮影された前記文字パターンの画像データと、前記販売店側撮影部によって撮影された前記文字パターンが有するテキスト情報とを含むものである第１特徴点データを生成し、前記ユーザ側個体識別情報検出部は、前記文字パターンの画像を撮影するユーザ側撮影部であり、前記第２特徴点データ変換部は、前記ユーザ側撮影部によって撮影された前記文字パターンの画像データと、前記ユーザ側撮影部によって撮影された前記文字パターンが有するテキスト情報とを含むものである第２特徴点データを生成し、前記データ管理部は、前記第１特徴点データと前記第２特徴点データとが合致する場合に、前記販売店側撮影部によって撮影された前記文字パターンを有する前記商品と、前記ユーザ側撮影部によって撮影された前記文字パターンを有する前記商品とが同一であると判定してもよい。
【００２７】
本発明の一態様の管理システムでは、前記個体識別情報は、前記商品に付された印刷物であり、前記第１特徴点データ変換部は、前記販売店側撮影部によって撮影された前記印刷物の画像から、前記印刷物の作成時に発生した印刷物の個体差を前記第１特徴点データとして抽出し、前記第２特徴点データ変換部は、前記ユーザ側撮影部によって撮影された前記印刷物の画像から、前記印刷物の作成時に発生した印刷物の個体差を前記第２特徴点データとして抽出し、前記データ管理部は、前記第１特徴点データと前記第２特徴点データとが合致する場合に、前記販売店側撮影部によって撮影された前記印刷物を有する前記商品と、前記ユーザ側撮影部によって撮影された前記印刷物を有する前記商品とが同一の商品であると判定してもよい。
【００２８】
本発明の一態様の管理システムでは、前記個体識別情報は、前記商品に付された印刷物であり、前記第１特徴点データ変換部は、前記販売店側撮影部によって撮影された前記印刷物の画像データを前記第１特徴点データとして生成し、前記第２特徴点データ変換部は、前記ユーザ側撮影部によって撮影された前記印刷物の画像データを前記第２特徴点データとして生成し、前記データ管理部は、前記第１特徴点データと前記第２特徴点データとが合致する場合に、前記販売店側撮影部によって撮影された前記印刷物を有する前記商品と、前記ユーザ側撮影部によって撮影された前記印刷物を有する前記商品とが同一の商品であると判定してもよい。
【００２９】
本発明の一態様の管理システムでは、前記個体識別情報は、前記商品に電子透かしとして埋め込み印刷された埋め込み印刷部の情報であり、前記第１特徴点データ変換部は、前記販売店側撮影部によって撮影された前記埋め込み印刷部の画像から、前記埋め込み印刷部の印刷時に発生した前記埋め込み印刷部の個体差を前記第１特徴点データとして抽出し、前記第２特徴点データ変換部は、前記ユーザ側撮影部によって撮影された前記埋め込み印刷部の画像から、前記埋め込み印刷部の印刷時に発生した前記埋め込み印刷部の個体差を前記第２特徴点データとして抽出し、前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定してもよい。
【００３０】
本発明の一態様の管理システムでは、前記個体識別情報は、前記商品に電子透かしとして埋め込み印刷された埋め込み印刷部の情報であり、前記第１特徴点データ変換部は、前記販売店側撮影部によって撮影された前記埋め込み印刷部の画像データを前記第１特徴点データとして生成し、前記第２特徴点データ変換部は、前記ユーザ側撮影部によって撮影された前記埋め込み印刷部の画像データを前記第２特徴点データとして生成し、前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定してもよい。
【００３１】
本発明の一態様の管理システムは、第１特徴点データ変換部と、第２特徴点データ変換部とを更に備え、前記個体識別情報は、前記商品に電子透かしとして埋め込み印刷された埋め込み印刷部の情報であり、前記販売店側個体識別情報検出部は、前記埋め込み印刷部の画像を撮影する販売店側撮影部であり、前記第１特徴点データ変換部は、前記販売店側撮影部によって撮影された前記埋め込み印刷部が有する情報を第１特徴点データとして生成し、前記ユーザ側個体識別情報検出部は、前記埋め込み印刷部の画像を撮影するユーザ側撮影部であり、前記第２特徴点データ変換部は、前記ユーザ側撮影部によって撮影された前記埋め込み印刷部が有する情報を第２特徴点データとして生成し、前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一の商品であると判定してもよい。
【００３２】
本発明の一態様の管理システムは、第１特徴点データ変換部と、第２特徴点データ変換部とを更に備え、前記個体識別情報は、前記商品に電子透かしとして埋め込み印刷された埋め込み印刷部の情報であり、前記販売店側個体識別情報検出部は、前記埋め込み印刷部の画像を撮影する販売店側撮影部であり、前記第１特徴点データ変換部は、前記販売店側撮影部によって撮影された前記埋め込み印刷部の画像データと、前記販売店側撮影部によって撮影された前記埋め込み印刷部が有する情報とを含むものである第１特徴点データを生成し、前記ユーザ側個体識別情報検出部は、前記埋め込み印刷部の画像を撮影するユーザ側撮影部であり、前記第２特徴点データ変換部は、前記ユーザ側撮影部によって撮影された前記埋め込み印刷部の画像データと、前記ユーザ側撮影部によって撮影された前記埋め込み印刷部が有する情報とを含むものである第２特徴点データを生成し、前記データ管理部は、前記第１特徴点データと前記第２特徴点データとが合致する場合に、前記販売店側撮影部によって撮影された前記埋め込み印刷部を有する前記商品と、前記ユーザ側撮影部によって撮影された前記埋め込み印刷部を有する前記商品とが同一であると判定してもよい。
【００３３】
本発明の一態様の管理システムでは、前記個体識別情報は、前記商品に付されたＩＣタグが有する識別情報であって、前記ＩＣタグの物理的な構造に起因する容量成分から取得される固有の識別情報であり、前記販売店側個体識別情報検出部は、前記ＩＣタグが有する前記個体識別情報を読み取る販売店側リーダであり、前記ユーザ側個体識別情報検出部は、前記ＩＣタグが有する前記個体識別情報を読み取るユーザ側リーダ部であり、前記データ管理部は、前記販売店側リーダによって読み取られた前記個体識別情報と、前記ユーザ側リーダ部によって読み取られた前記個体識別情報とが合致する場合に、前記販売店側個体識別情報検出部によって検出された前記個体識別情報を有する前記商品と、前記ユーザ側個体識別情報検出部によって検出された前記個体識別情報を有する前記商品とが同一であると判定してもよい。
【００３４】
本発明の一態様の管理システムでは、前記個体識別情報は、前記商品に付されたＩＣタグに書き込まれている情報であり、前記販売店側個体識別情報検出部は、前記ＩＣタグに書き込まれている前記個体識別情報を読み取る販売店側リーダであり、前記ユーザ側個体識別情報検出部は、前記ＩＣタグに書き込まれている前記個体識別情報を読み取るユーザ側リーダ部であり、前記データ管理部は、前記販売店側リーダによって読み取られた前記個体識別情報と、前記ユーザ側リーダ部によって読み取られた前記個体識別情報とが合致する場合に、前記販売店側個体識別情報検出部によって検出された前記個体識別情報を有する前記商品と、前記ユーザ側個体識別情報検出部によって検出された前記個体識別情報を有する前記商品とが同一であると判定してもよい。
【００３５】
本発明の一態様の管理システムでは、前記個体識別情報には、前記商品に付されたＩＣタグが有する識別情報であって、前記ＩＣタグの物理的な構造に起因する容量成分から取得される固有の識別情報である第１識別情報と、前記ＩＣタグに書き込まれている情報である第２識別情報とが含まれ、前記販売店側個体識別情報検出部は、前記ＩＣタグが有する前記第１識別情報と、前記ＩＣタグに書き込まれている前記第２識別情報とを読み取る販売店側リーダであり、前記ユーザ側個体識別情報検出部は、前記ＩＣタグが有する前記第１識別情報と、前記ＩＣタグに書き込まれている前記第２識別情報とを読み取るユーザ側リーダ部であり、前記データ管理部は、前記販売店側リーダによって読み取られた前記第１識別情報および前記第２識別情報と、前記ユーザ側リーダ部によって読み取られた前記第１識別情報および前記第２識別情報とが合致する場合に、前記販売店側個体識別情報検出部によって検出された前記第１識別情報および前記第２識別情報を有する前記商品と、前記ユーザ側個体識別情報検出部によって検出された前記第１識別情報および前記第２識別情報を有する前記商品とが同一であると判定してもよい。
【００３６】
本発明の一態様は、ユーザによって販売店で正規に購入された商品が有する個体識別情報を検出する販売店側個体識別情報検出ステップと、前記商品が有する前記個体識別情報を検出するユーザ側個体識別情報検出ステップと、前記販売店側個体識別情報検出ステップにおいて検出された前記個体識別情報と、前記ユーザ側個体識別情報検出ステップにおいて検出された前記個体識別情報とに基づいて、前記販売店側個体識別情報検出ステップにおいて検出された前記個体識別情報を有する前記商品と、前記ユーザ側個体識別情報検出ステップにおいて検出された前記個体識別情報を有する前記商品とが同一であるか否かを判定するデータ管理ステップと、前記商品がキャンペーン対象商品であるか否かを判定するキャンペーンマスタ照合ステップと、前記販売店側個体識別情報検出ステップにおいて検出された前記個体識別情報を有する前記商品と前記ユーザ側個体識別情報検出ステップにおいて検出された前記個体識別情報を有する前記商品とが同一である場合、かつ、前記商品がキャンペーン対象商品である場合に、キャンペーンの抽選結果を出力する抽選管理ステップとを備える管理方法である。
【００３７】
本発明の一態様は、ユーザによって販売店で正規に購入された商品が有する個体識別情報を販売店において検出する個体識別情報検出装置であって、前記商品が有する前記個体識別情報は、ユーザ側個体識別情報検出部によっても検出され、前記個体識別情報検出装置によって検出された前記個体識別情報と、前記ユーザ側個体識別情報検出部によって検出された前記個体識別情報とに基づいて、前記個体識別情報検出装置によって検出された前記個体識別情報を有する前記商品と、前記ユーザ側個体識別情報検出部によって検出された前記個体識別情報を有する前記商品とが同一であるか否かが判定され、前記商品がキャンペーン対象商品であるか否かが判定され、前記個体識別情報検出装置によって検出された前記個体識別情報を有する前記商品と前記ユーザ側個体識別情報検出部によって検出された前記個体識別情報を有する前記商品とが同一である場合、かつ、前記商品がキャンペーン対象商品である場合に、キャンペーンの抽選結果が出力される、個体識別情報検出装置である。
【発明の効果】
【００３８】
本発明によれば、商品の個体識別情報を不正に入手した者に対してキャンペーンの当選結果が出力されることを回避することができる管理システム、管理方法および個体識別情報検出装置を提供することができる。
【図面の簡単な説明】
【００３９】
【図１】第１実施形態の管理システムの一例の概略構成図である。
【図２】ＪＡＮコードが付された商品の一例などを示す図である。
【図３】第１実施形態の管理システムにおいて実行される処理の一例を示すシーケンス図である。
【図４】例えば出荷確認用の２次元コードが付された商品の一例などを示す図である。
【図５】第９実施形態の管理システムに適用される商品の一例などを示す図である。
【図６】模様が付された商品の一例などを示す図である。
【図７】文字パターンが付された商品の一例などを示す図である。
【図８】印刷物が付された商品の一例などを示す図である。
【図９】埋め込み印刷部が付された商品の一例などを示す図である。
【図１０】第２３実施形態の管理システムの一例の概略構成図である。
【図１１】ＪＡＮコードとＩＣタグとが付された商品の一例を示す図である。
【図１２】第２３実施形態の管理システムにおいて実行される処理の一例を示すシーケンス図である。
【発明を実施するための形態】
【００４０】
以下、添付図面を参照し、本発明の管理システム、管理方法および個体識別情報検出装置の実施形態について説明する。
【００４１】
＜第１実施形態＞
図１は第１実施形態の管理システム１の一例の概略構成図である。
図１に示す例では、管理システム１が、ＰＯＳ（Point Of Sale）レジスタ１１と、撮影装置１２と、サーバ１３と、ユーザ端末１４とを備えている。
ＰＯＳレジスタ１１は、販売店における商品の会計処理を行う端末装置であり、所定の決済処理（ＰＯＳ処理）を実行する機能を有する。ＰＯＳレジスタ１１は、ＪＡＮ（Japanese Article Number）コードリーダ部１１Ａと、ＰＯＳ処理部１１Ｂと、通信部１１Ｃとを備えている。
ＪＡＮコードリーダ部１１Ａは、販売店においてユーザに販売される商品に付されたＪＡＮコードを読み取る。ＪＡＮコードリーダ部１１Ａは、「バーコードリーダ」、「バーコードスキャナ」とも呼ばれる。ＪＡＮコードリーダ部１１Ａは、販売店の店員の操作に応じてＪＡＮコードを読み取っても、例えば無人レジの場合のように、商品を購入するユーザの操作に応じてＪＡＮコードを読み取ってもよい。
図１に示す例では、ＪＡＮコードリーダ部１１Ａが、販売店においてユーザに販売される商品に付されたＪＡＮコードを読み取るが、他の例では、１次元コードリーダ部が、販売店においてユーザに販売される商品に付されたＪＡＮコード以外の１次元コード（例えばＣＯＤＥ３９、ＣＯＤＥ１２８、ＮＷ−７など）を読み取ってもよい。
【００４２】
図１に示す例では、ＰＯＳ処理部１１Ｂは、ＪＡＮコードリーダ部１１Ａによって読み取られたＪＡＮコードの情報に基づいて、ＰＯＳ処理を実行する。ＰＯＳ処理部１１ＢがＰＯＳ処理を実行することによって、ＪＡＮコードリーダ部１１Ａによって読み取られたＪＡＮコードが付された商品は、「ユーザによって販売店で正規に購入された商品」となる。
通信部１１Ｃは、例えばＬＡＮ（Local Area Network）などのネットワークを介して撮影装置１２との通信を行う。通信部１１Ｃは、例えば、ＪＡＮコードリーダ部１１Ａによって読み取られたＪＡＮコードの情報（例えばテキストファイル、ＣＳＶ（comma-separated values）ファイルなど）を撮影装置１２に送信する。
【００４３】
図１に示す例では、撮影装置１２が、ＪＡＮコードリーダ部１１ＡによってＪＡＮコードが読み取られた後に、商品の画像の撮影などを行う。撮影装置１２は、カメラ部１２Ａと、処理部１２Ｂと、通信部１２Ｃとを備えている。
カメラ部１２Ａは、ＪＡＮコードリーダ部１１ＡによってＪＡＮコードが読み取られた後に、そのＪＡＮコードの画像を撮影する。カメラ部１２Ａは、販売店の店員の操作に応じてＪＡＮコードの画像を撮影しても、例えば無人レジの場合のように、商品を購入するユーザの操作に応じてＪＡＮコードの画像を撮影してもよい。
【００４４】
図２はＪＡＮコードが付された商品の一例などを示す図である。詳細には、図２（Ａ）はＪＡＮコードが付された商品の斜視図である。図２（Ｂ）および図２（Ｃ）は商品に付されたＪＡＮコードの拡大図である。詳細には、図２（Ｂ）は商品に付されたＪＡＮコードの印刷ゆらぎが大きい例を示しており、図２（Ｃ）は商品に付されたＪＡＮコードの印刷ゆらぎが小さい例を示している。
通常、同一種類の商品には、１３桁または８桁の同一のＪＡＮコードの番号が割り当てられる。そのため、ＪＡＮコードの番号によっては、同一種類の複数の商品のそれぞれを識別することができない。一方、商品に付されたＪＡＮコードの印刷によるわずかな個体差を用いる（画像認証技術で個体識別する）ことによって、同一種類の複数の商品のそれぞれを識別できることが、本発明者等の鋭意研究において確認されている。
つまり、図１および図２に示す例では、カメラ部１２Ａによって図２（Ｂ）に示すＪＡＮコードの画像と図２（Ｃ）に示すＪＡＮコードの画像とを撮影することにより、図２（Ｂ）に示すＪＡＮコードが付された商品と、図２（Ｃ）に示すＪＡＮコードが付された商品とを識別することができる。
すなわち、図１および図２に示す例では、商品に付されたＪＡＮコード（詳細には、ＪＡＮコードの画像）が、同一種類の複数の商品のそれぞれを個体識別するための個体識別情報として用いられる。
換言すれば、図１および図２に示す例では、カメラ部１２Ａは、ユーザによって販売店で正規に購入された商品が有する個体識別情報を販売店において検出する個体識別情報検出装置として機能する。
【００４５】
図１に示す例では、撮影装置１２の処理部１２Ｂが、商品を個体識別するための処理などを行う。処理部１２Ｂは、キャンペーンマスタ照合部１２Ｂ１と、特徴点データ変換部１２Ｂ２とを備えている。
キャンペーンマスタ照合部１２Ｂ１は、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付されたＪＡＮコードの画像を撮影する。一方、そのＪＡＮコードが付された商品がキャンペーン対象商品ではない場合、カメラ部１２Ａは、その商品に付されたＪＡＮコードの画像を撮影しない。
図１に示す例では、キャンペーンマスタ照合部１２Ｂ１が撮影装置１２に備えられているが、他の例では、キャンペーンマスタ照合部１２Ｂ１が例えばサーバ１３などに備えられていてもよい。
【００４６】
図１に示す例では、撮影装置１２の処理部１２Ｂの特徴点データ変換部１２Ｂ２が、カメラ部１２Ａによって撮影されたＪＡＮコードの画像（例えばｐｎｇファイル、ｊｐｅｇファイル、ｂｍｐファイルなど）を変換して第１特徴点データを生成する。
図２（Ｂ）に示す例では、特徴点データ変換部１２Ｂ２が、図２（Ｂ）に示すＪＡＮコードの画像から、ＪＡＮコードの印刷時に発生したＪＡＮコードの個体差（印刷ゆらぎ）（図２（Ｂ）中のＡ１部、Ａ２部およびＡ３部）を特徴点として抽出し、その特徴点をデータ化（数値化）したものである第１特徴点データを生成する。
図２（Ｃ）に示す例では、特徴点データ変換部１２Ｂ２が、図２（Ｃ）に示すＪＡＮコードの画像から、ＪＡＮコードの印刷時に発生したＪＡＮコードの個体差（印刷ゆらぎ）（図２（Ｃ）中のＢ１部、Ｂ２部およびＢ３部）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、そのＪＡＮコードの画像から生成される。ＪＡＮコードリーダ部１１Ａによって読み取られたＪＡＮコードが付された商品が、キャンペーン対象商品ではない場合、そのＪＡＮコードの画像から第１特徴点データは生成されない。
図１に示す例では、特徴点データ変換部１２Ｂ２が撮影装置１２に備えられているが、他の例では、特徴点データ変換部１２Ｂ２がサーバ１３に備えられていてもよい。
【００４７】
図１に示す例では、撮影装置１２の通信部１２Ｃが、例えばＬＡＮなどのネットワークを介してＰＯＳレジスタ１１との通信を行うと共に、例えばインターネットなどのネットワークを介してサーバ１３との通信を行う。通信部１２Ｃは、ＪＡＮコードリーダ部１１Ａによって読み取られたＪＡＮコードの情報を受信する。また、通信部１２Ｃは、特徴点データ変換部１２Ｂ２によって生成された第１特徴点データと、ＰＯＳレジスタ１１から受信したＪＡＮコードの情報とをサーバ１３に送信する。
図１に示す例では、ＰＯＳレジスタ１１と撮影装置１２とが別個に設けられているが、他の例では、ＰＯＳレジスタ１１と撮影装置１２とが一体化されていてもよい。
図１に示す例では、ＰＯＳレジスタ１１が備えられ、ＰＯＳ処理部１１ＢがＰＯＳ処理を実行するが、他の例では、ＰＯＳレジスタ１１が省略され、ＰＯＳ処理が実行されなくてもよい。この例では、ユーザが販売店で商品を正規に購入した後に、撮影装置１２のカメラ部１２ＡがＪＡＮコードの画像を撮影可能な状態になる。
【００４８】
図１に示す例では、ユーザ端末１４は、例えば、ＰＯＳレジスタ１１のＪＡＮコードリーダ部１１Ａによって読み取られたＪＡＮコードが付された商品を購入したユーザが携帯するスマートフォンである。ユーザ端末１４は、撮影部１４Ａと、表示部１４Ｂと、通信部１４Ｃとを備えている。
撮影部１４Ａは、例えばスマートフォンに内蔵されたカメラである。撮影部１４Ａは、ユーザの操作に応じて、ユーザによって正規に購入された商品に付されたＪＡＮコードの画像を撮影する。例えば、専用アプリがユーザ端末１４にダウンロードされた場合に、撮影部１４Ａは、第１特徴点データと合致する第２特徴点データが生成されるＪＡＮコードの画像を撮影できるようになる。専用アプリを用いることなく、ウェブブラウザ上で、撮影部１４Ａが、第１特徴点データと合致する第２特徴点データが生成されるＪＡＮコードの画像を撮影できるようにしてもよい。
表示部１４Ｂは、例えばスマートフォンのタッチパネルである。表示部１４Ｂは、後述するキャンペーンの抽選結果などを表示する。
通信部１４Ｃは、例えばインターネットなどのネットワークを介してサーバ１３との通信を行う。通信部１４Ｃは、撮影部１４Ａによって撮影されたＪＡＮコードの画像（例えばｐｎｇファイル、ｊｐｅｇファイル、ｂｍｐファイルなど）をサーバ１３に送信する。また、通信部１４Ｃは、キャンペーンの抽選結果の情報をサーバ１３から受信する。
詳細には、購入した商品のキャンペーンに応募しようとするユーザは、ユーザ端末１４の撮影部１４Ａを操作する。その操作に応じて、撮影部１４Ａが、その商品に付されたＪＡＮコードの画像を撮影する。通信部１４Ｃは、撮影部１４Ａによって撮影されたＪＡＮコードの画像をサーバ１３に送信する。その結果、その商品のキャンペーンに対するユーザによる応募手続が完了する。
図１に示す例では、ユーザ端末１４がスマートフォンであり、撮影部１４Ａがスマートフォンに内蔵されたカメラであり、表示部１４Ｂがスマートフォンのタッチパネルであるが、他の例では、ユーザ端末１４が、パーソナルコンピュータなどの端末装置であってもよい。また、撮影部１４Ａが、その端末装置に内蔵されたカメラであっても、端末装置に内蔵されていないカメラであってもよい。表示部１４Ｂが、その端末装置のディスプレイであってもよい。
【００４９】
図１に示す例では、サーバ１３が、例えばクラウド環境に作られたクラウドサーバである。他の例では、サーバ１３が、例えばオンプレミスサーバなどのクラウドサーバ以外のサーバであってもよい。
図１に示す例では、サーバ１３が、データ管理部１３Ａと、抽選管理部１３Ｂとを備えている。データ管理部１３Ａは、特徴点データ変換部１２Ｂ２によって生成された第１特徴点データの管理などを行う。データ管理部１３Ａは、特徴点データ変換部１３Ａ１と、特徴点データベース１３Ａ２と、処理部１３Ａ３と、通信部１３Ａ４とを備えている。
特徴点データ変換部１３Ａ１は、ユーザ端末１４の撮影部１４Ａによって撮影されたＪＡＮコードの画像を変換して第２特徴点データを生成する。特徴点データ変換部１３Ａ１は、ＪＡＮコードの画像から、ＪＡＮコードの印刷時に発生したＪＡＮコードの個体差（印刷ゆらぎ）を特徴点として抽出し、その特徴点をデータ化したものである第２特徴点データを生成する。
図１に示す例では、特徴点データ変換部１３Ａ１がサーバ１３に備えられているが、他の例では、特徴点データ変換部１３Ａ１がユーザ端末１４に備えられていてもよい。
【００５０】
図１に示す例では、特徴点データベース１３Ａ２が、撮影装置１２の処理部１２Ｂの特徴点データ変換部１２Ｂ２によって生成された第１特徴点データ、ＰＯＳレジスタ１１のＪＡＮコードリーダ部１１Ａによって読み取られたＪＡＮコードの情報、特徴点データ変換部１３Ａ１によって生成された第２特徴点データ、管理番号、タイムスタンプなどを格納する。
【００５１】
図１に示す例では、処理部１３Ａ３が、撮影装置１２のカメラ部１２Ａによって撮影されたＪＡＮコードの画像から生成された第１特徴点データと、ユーザ端末１４の撮影部１４Ａによって撮影されたＪＡＮコードの画像から生成された第２特徴点データとが合致するか否かの判定を行う。つまり、処理部１３Ａ３は、撮影装置１２のカメラ部１２Ａによって撮影されたＪＡＮコードの画像と、ユーザ端末１４の撮影部１４Ａによって撮影されたＪＡＮコードの画像とのマッチングを行う。
詳細には、サーバ１３が、ユーザ端末１４の撮影部１４Ａによって撮影されたＪＡＮコードの画像をユーザ端末１４から受信し、特徴点データ変換部１３Ａ１が、そのＪＡＮコードの画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【００５２】
また、処理部１３Ａ３は、上述したマッチングの結果に基づいて、撮影装置１２のカメラ部１２Ａによって撮影されたＪＡＮコードが付された商品と、ユーザ端末１４の撮影部１４Ａによって撮影されたＪＡＮコードが付された商品とが同一であるか否かの判定を行う。
詳細には、撮影装置１２のカメラ部１２Ａによって撮影されたＪＡＮコードの画像から生成された第１特徴点データと、ユーザ端末１４の撮影部１４Ａによって撮影されたＪＡＮコードの画像から生成された第２特徴点データとが合致する場合に、処理部１３Ａ３は、撮影装置１２のカメラ部１２Ａによって撮影されたＪＡＮコードが付された商品と、ユーザ端末１４の撮影部１４Ａによって撮影されたＪＡＮコードが付された商品とが同一であると判定する。
撮影装置１２のカメラ部１２Ａによって撮影されたＪＡＮコードが付された商品と、ユーザ端末１４の撮影部１４Ａによって撮影されたＪＡＮコードが付された商品とが同一である場合、処理部１３Ａ３は、ユーザによる応募手続が適正な応募手続であると判定する。
【００５３】
また、処理部１３Ａ３は、特徴点管理データ（例えばテキストファイル、ＣＳＶファイルなど）を生成する。
特徴点管理データには、例えば、管理番号、第１特徴点データ、第２特徴点データ、ＪＡＮコードリーダ部１１Ａによって読み取られたＪＡＮコードの情報、カメラ部１２Ａによって撮影されたＪＡＮコードが付された商品と撮影部１４Ａによって撮影されたＪＡＮコードが付された商品とが同一であるか否かの判定結果、タイムスタンプなどが含まれる。
特徴点管理データに、ＧＰＳ位置情報、ＰＯＳレジスタ番号などの販売店情報などが含まれてもよい。
【００５４】
図１に示す例では、通信部１３Ａ４が、例えばインターネットなどのネットワークを介して、撮影装置１２との通信を行うと共に、ユーザ端末１４との通信を行う。
通信部１３Ａ４は、特徴点データ変換部１２Ｂ２によって生成された第１特徴点データと、ＪＡＮコードリーダ部１１Ａによって読み取られたＪＡＮコードの情報とを撮影装置１２から受信する。また、通信部１３Ａ４は、ユーザ端末１４の撮影部１４Ａによって撮影されたＪＡＮコードの画像をユーザ端末１４から受信する。
【００５５】
図１に示す例では、抽選管理部１３Ｂが、キャンペーンの抽選に関する処理を行う。抽選管理部１３Ｂは、抽選データベース１３Ｂ１と、処理部１３Ｂ２と、通信部１３Ｂ３とを備えている。
抽選データベース１３Ｂ１には、抽選結果マスタが格納されている。抽選結果マスタには、例えば登録順番、抽選結果などが含まれる。抽選結果（どの商品を購入したユーザの応募を当選にするかを示すもの）が抽選結果マスタに予め含められる場合には、キャンペーンに対する応募手続を完了させたユーザが、後述する抽選結果を即座に得ることができる。応募期間終了後に抽選結果を作成し、抽選結果マスタに含めてもよい。
また、抽選データベース１３Ｂ１には、撮影装置１２のカメラ部１２Ａによって撮影されたＪＡＮコードの画像から生成された第１特徴点データと、ユーザ端末１４の撮影部１４Ａによって撮影されたＪＡＮコードの画像から生成された第２特徴点データとが合致するか否かの判定結果が格納される。
また、抽選データベース１３Ｂ１には、処理部１３Ａ３によって生成された特徴点管理データが格納される。
【００５６】
図１に示す例では、処理部１３Ｂ２が、抽選処理などを行う。詳細には、ユーザによる応募手続が適正な応募手続であると処理部１３Ａ３が判定した場合に、処理部１３Ｂ２は、その応募手続に対する抽選処理（管理ＩＤの照合）を行う。
また、処理部１３Ｂ２は、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影されたＪＡＮコードが付された商品と撮影部１４Ａによって撮影されたＪＡＮコードが付された商品とが同一であるか否か（適正な応募手続であるか否か）の判定結果、抽選処理の結果（当選したか否かの判定結果）、タイムスタンプなどが含まれる。抽選管理データは、特徴点管理データと抽選結果マスタとの紐づけを行ったものである。
また、処理部１３Ｂ２は、抽選結果マスタに対する必要な情報の書き込みを行う。処理部１３Ｂ２は、例えば「商品の特売日にキャンペーンの当選確率が通常の２倍になる」旨の書き込みなどを行う。
また、処理部１３Ｂ２は、抽選管理データに含まれる情報のうちの、ユーザ端末１４に送信すべき情報であるキャンペーンの抽選結果（当選または落選の結果）の情報（例えばテキストファイル、ＣＳＶファイルなど）を出力する。
通信部１３Ｂ３は、例えばインターネットなどのネットワークを介してユーザ端末１４との通信を行う。通信部１３Ｂ３は、処理部１３Ｂ２によって出力されたキャンペーンの抽選結果の情報をユーザ端末１４に送信する。
【００５７】
図３は第１実施形態の管理システム１において実行される処理の一例を示すシーケンス図である。
図３に示す例では、ステップＳ１において、ＰＯＳレジスタ１１のＪＡＮコードリーダ部１１Ａが、販売店においてユーザに販売される商品に付されたＪＡＮコードを読み取る。
次いで、ステップＳ２において、ＰＯＳレジスタ１１のＰＯＳ処理部１１Ｂは、ＪＡＮコードリーダ部１１Ａによって読み取られたＪＡＮコードの情報に基づいて、ＰＯＳ処理を実行する。
次いで、ステップＳ３において、ＰＯＳレジスタ１１の通信部１１Ｃは、ＪＡＮコードリーダ部１１Ａによって読み取られたＪＡＮコードの情報を撮影装置１２に送信する。
【００５８】
次いで、ステップＳ４において、撮影装置１２のキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かの判定を行い、その商品がキャンペーン対象商品であると判定する。
次いで、ステップＳ５において、撮影装置１２のカメラ部１２Ａは、ＪＡＮコードリーダ部１１ＡによってＪＡＮコードが読み取られた商品のＪＡＮコードの画像を撮影する。
次いで、ステップＳ６において、撮影装置１２の特徴点データ変換部１２Ｂ２は、カメラ部１２Ａによって撮影されたＪＡＮコードの画像を変換して第１特徴点データを生成する。
次いで、ステップＳ７において、撮影装置１２の通信部１２Ｃは、特徴点データ変換部１２Ｂ２によって生成された第１特徴点データと、ＰＯＳレジスタ１１から受信したＪＡＮコードの情報とをサーバ１３に送信する。
【００５９】
次いで、ステップＳ８において、撮影装置１２の特徴点データ変換部１２Ｂ２によって生成された第１特徴点データが、サーバ１３の特徴点データベース１３Ａ２に格納される。
【００６０】
また、ステップＳ９において、ユーザ端末１４の撮影部１４Ａは、ユーザによって正規に購入された商品に付されたＪＡＮコードの画像を撮影する。
次いで、ステップＳ１０において、ユーザ端末１４の通信部１４Ｃは、撮影部１４Ａによって撮影されたＪＡＮコードの画像をサーバ１３に送信する。
次いで、ステップＳ１１において、サーバ１３の特徴点データ変換部１３Ａ１は、ユーザ端末１４の撮影部１４Ａによって撮影されたＪＡＮコードの画像を変換して第２特徴点データを生成する。
次いで、ステップＳ１２において、特徴点データ変換部１３Ａ１によって生成された第２特徴点データが、特徴点データベース１３Ａ２に格納される。
【００６１】
次いで、ステップＳ１３において、サーバ１３の処理部１３Ａ３は、撮影装置１２のカメラ部１２Ａによって撮影されたＪＡＮコードの画像から生成された第１特徴点データと、ユーザ端末１４の撮影部１４Ａによって撮影されたＪＡＮコードの画像から生成された第２特徴点データとが合致するか否かの判定を行い、第１特徴点データと第２特徴点データとが合致すると判定し、カメラ部１２Ａによって撮影されたＪＡＮコードが付された商品と、撮影部１４Ａによって撮影されたＪＡＮコードが付された商品とが同一であると判定し、ユーザによる応募手続が適正な応募手続であると判定する。
また、ステップＳ１４において、処理部１３Ａ３は、特徴点管理データを生成する。
【００６２】
次いで、ステップＳ１５において、サーバ１３の処理部１３Ｂ２は、その応募手続に対する抽選処理（管理ＩＤの照合）を行う。
次いで、ステップＳ１６において、処理部１３Ｂ２は、抽選管理データを生成する。
次いで、ステップＳ１７において、処理部１３Ｂ２は、キャンペーンの抽選結果（当選または落選）の情報を出力する。
次いで、ステップＳ１８において、サーバ１３の通信部１３Ｂ３は、処理部１３Ｂ２によって出力されたキャンペーンの抽選結果の情報をユーザ端末１４に送信する。
次いで、ステップＳ１９において、ユーザ端末１４の表示部１４Ｂは、キャンペーンの抽選結果を表示する。
【００６３】
上述したように、第１実施形態の管理システム１では、ユーザによって販売店で正規に購入された商品が有する個体識別情報としてのＪＡＮコードの画像が、販売店側個体識別情報検出部として機能する撮影装置１２のカメラ部１２Ａによって撮影（検出）される。また、その商品が有する個体識別情報としてのＪＡＮコードの画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としてのＪＡＮコードの画像と、ユーザ側個体識別情報検出部（撮影部１４Ａ）によって検出された個体識別情報としてのＪＡＮコードの画像とに基づいて、販売店側個体識別情報検出部によって検出された個体識別情報としてのＪＡＮコードを有する商品と、ユーザ側個体識別情報検出部によって検出された個体識別情報としてのＪＡＮコードを有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としてのＪＡＮコードの画像を有する商品とユーザ側個体識別情報検出部（撮影部１４Ａ）によって検出された個体識別情報としてのＪＡＮコードの画像を有する商品とが同一である場合、かつ、ユーザによって販売店で正規に購入された商品がキャンペーン対象商品である場合に、キャンペーンの抽選結果（当選または落選の結果）を出力する。
そのため、第１実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【００６４】
また、第１実施形態の管理システム１では、撮影装置１２の処理部１２Ｂの特徴点データ変換部１２Ｂ２が、販売店の撮影装置１２のカメラ部１２Ａによって撮影された個体識別情報としてのＪＡＮコードの画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としてのＪＡＮコードの画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としてのＪＡＮコードを有する商品と、ユーザ端末１４の撮影部１４Ａによって撮影された個体識別情報としてのＪＡＮコードを有する商品とが同一であると判定する。
つまり、第１実施形態の管理システム１では、個体識別情報としてのＪＡＮコードの画像を用いることによって、個体識別情報としてのＪＡＮコードの同一性を判定し、その個体識別情報としてのＪＡＮコードを有する商品の同一性を判定することができる。
【００６５】
また、第１実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としてのＪＡＮコードの画像を撮影しない。
そのため、第１実施形態の管理システム１では、キャンペーン対象商品ではない商品に付された個体識別情報としてのＪＡＮコードの画像を販売店の撮影装置１２のカメラ部１２Ａが撮影してしまう無駄を排除し、不要な作業コストおよびデータ送付コストの発生を回避することができる。
【００６６】
また、第１実施形態の管理システム１では、撮影装置１２の処理部１２Ｂの特徴点データ変換部１２Ｂ２が、販売店の撮影装置１２のカメラ部１２Ａによって撮影された個体識別情報としてのＪＡＮコードの画像から、ＪＡＮコードの印刷時に発生したＪＡＮコードの個体差（印刷ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としてのＪＡＮコードの画像から、ＪＡＮコードの印刷時に発生したＪＡＮコードの個体差（印刷ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影されたＪＡＮコードを有する商品と、ユーザ端末１４の撮影部１４Ａによって撮影されたＪＡＮコードを有する商品とが同一の商品であると判定する。
そのため、第１実施形態の管理システム１では、同一のＪＡＮコードが同一種類の複数の商品に付される場合であっても、商品に付されたＪＡＮコードを個体識別情報として用いて、同一種類の複数の商品のそれぞれを個体識別することができる。
【００６７】
また、第１実施形態の管理システム１では、販売店の撮影装置１２のカメラ部１２Ａ、または、ユーザ端末１４の撮影部１４Ａによって撮影される対象（ＪＡＮコード）が隠されることなく露出されている。
そのため、第１実施形態の管理システム１では、２層ラベル、スクラッチ印刷などのコスト（材料コスト、作業コスト）の発生を回避することができる。
【００６８】
また、第１実施形態の管理システム１では、ユーザによって販売店で正規に購入された商品のみが、キャンペーンの当選の対象になる。
そのため、第１実施形態の管理システム１では、例えばキャンペーン中に売れ残った商品にもキャンペーンラベルが貼り付けられる場合のように、購入されない商品に不要なコストがかかってしまうことを回避することができる。
【００６９】
また、第１実施形態の管理システム１では、販売店で正規に購入されていない商品に付されたＪＡＮコードの画像がサーバ１３に送信される場合、サーバ１３のデータ管理部１３Ａの処理部１３Ａ３は、第１特徴点データと第２特徴点データとが合致すると判定しない。
そのため、第１実施形態の管理システム１では、販売店で正規に購入されていない商品に付されたＪＡＮコードの画像をサーバ１３に送信した者に対して当選結果が送信されることを回避することができる。
【００７０】
商品に付されたＪＡＮコードをコピー機によって複製したものの画像から生成される特徴点データは、商品に付されたＪＡＮコードの画像から生成される特徴点データと合致しない。そのため、第１実施形態の管理システム１では、商品に付されたＪＡＮコードをコピー機によって複製したものの画像をサーバ１３に送信した者に対して当選結果が送信されることを回避することができる。
【００７１】
＜第２実施形態＞
以下、本発明の管理システム、管理方法および個体識別情報検出装置の第２実施形態について説明する。
第２実施形態の管理システム１は、後述する点を除き、上述した第１実施形態の管理システム１と同様に構成されている。従って、第２実施形態の管理システム１によれば、後述する点を除き、上述した第１実施形態の管理システム１と同様の効果を奏することができる。
【００７２】
第１実施形態の管理システム１が適用される図１〜図３に示す例では、販売店において販売される同一種類の複数の商品に、同一のＪＡＮコードが付されている。ただし、複数の１次元コードのそれぞれが互いに異なる印刷ゆらぎを有する。
一方、第２実施形態の管理システム１が適用される例では、販売店において販売される同一種類の複数の商品に、互いに異なる複数のＪＡＮコードが付されている。
第２実施形態の管理システム１では、第１実施形態の管理システム１と同様に、カメラ部１２Ａは、ＪＡＮコードリーダ部１１ＡによってＪＡＮコードが読み取られた後に、そのＪＡＮコードの画像を撮影する。また、カメラ部１２Ａは、ユーザによって販売店で正規に購入された商品が有する個体識別情報（ＪＡＮコード）を販売店において検出する個体識別情報検出装置として機能する。
【００７３】
上述したように、第１実施形態の管理システム１では、撮影装置１２の処理部１２Ｂの特徴点データ変換部１２Ｂ２が、カメラ部１２Ａによって撮影されたＪＡＮコードの画像を変換して第１特徴点データを生成する。詳細には、特徴点データ変換部１２Ｂ２が、ＪＡＮコードの画像から、ＪＡＮコードの印刷時に発生したＪＡＮコードの個体差（印刷ゆらぎ）を特徴点として抽出し、その特徴点をデータ化したものである第１特徴点データを生成する。
一方、第２実施形態の管理システム１では、撮影装置１２の処理部１２Ｂの特徴点データ変換部１２Ｂ２が、カメラ部１２Ａによって撮影されたＪＡＮコードの画像データを第１特徴点データとして生成する。
第２実施形態の管理システム１では、第１実施形態の管理システム１と同様に、ユーザ端末１４の撮影部１４Ａが、ユーザの操作に応じて、ユーザによって正規に購入された商品に付されたＪＡＮコードの画像を撮影する。
【００７４】
上述したように、第１実施形態の管理システム１では、サーバ１３のデータ管理部１３Ａの特徴点データ変換部１３Ａ１が、ユーザ端末１４の撮影部１４Ａによって撮影されたＪＡＮコードの画像を変換して第２特徴点データを生成する。詳細には、特徴点データ変換部１３Ａ１が、ＪＡＮコードの画像から、ＪＡＮコードの印刷時に発生したＪＡＮコードの個体差（印刷ゆらぎ）を特徴点として抽出し、その特徴点をデータ化したものである第２特徴点データを生成する。
一方、第２実施形態の管理システム１では、サーバ１３のデータ管理部１３Ａの特徴点データ変換部１３Ａ１が、ユーザ端末１４の撮影部１４Ａによって撮影されたＪＡＮコードの画像データを第２特徴点データとして生成する。
第２実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影されたＪＡＮコードの画像データと、ユーザ端末１４の撮影部１４Ａによって撮影されたＪＡＮコードの画像データとが合致するか否かの判定を行う。また、処理部１３Ａ３は、第１特徴点データと第２特徴点データとが合致する場合に、撮影装置１２のカメラ部１２Ａによって撮影されたＪＡＮコードが付された商品と、ユーザ端末１４の撮影部１４Ａによって撮影されたＪＡＮコードが付された商品とが同一であると判定し、ユーザによる応募手続が適正な応募手続であると判定する。
【００７５】
第２実施形態の管理システム１が適用される上述した例では、撮影装置１２のカメラ部１２Ａによって撮影された商品と、ユーザ端末１４の撮影部１４Ａによって撮影された商品との同一判定にＪＡＮコードが用いられるが、他の例では、ＪＡＮコード以外の１次元コード（例えばＣＯＤＥ３９、ＣＯＤＥ１２８、ＮＷ−７など）を用いてもよい。
【００７６】
＜第３実施形態＞
以下、本発明の管理システム、管理方法および個体識別情報検出装置の第３実施形態について説明する。
第３実施形態の管理システム１は、後述する点を除き、上述した第２実施形態の管理システム１と同様に構成されている。従って、第３実施形態の管理システム１によれば、後述する点を除き、上述した第２実施形態の管理システム１と同様の効果を奏することができる。
【００７７】
第３実施形態の管理システム１が適用される例では、第２実施形態の管理システム１が適用される例と同様に、販売店において販売される同一種類の複数の商品に、互いに異なる複数のＪＡＮコードが付されている。
第３実施形態の管理システム１では、第２実施形態の管理システム１と同様に、カメラ部１２Ａは、ＪＡＮコードリーダ部１１ＡによってＪＡＮコードが読み取られた後に、そのＪＡＮコードの画像を撮影する。また、カメラ部１２Ａは、ユーザによって販売店で正規に購入された商品が有する個体識別情報（ＪＡＮコード）を販売店において検出する個体識別情報検出装置として機能する。
【００７８】
上述したように、第２実施形態の管理システム１では、撮影装置１２の処理部１２Ｂの特徴点データ変換部１２Ｂ２が、カメラ部１２Ａによって撮影されたＪＡＮコードの画像データを第１特徴点データとして生成する。
一方、第３実施形態の管理システム１では、撮影装置１２の処理部１２Ｂの特徴点データ変換部１２Ｂ２が、カメラ部１２Ａによって撮影されたＪＡＮコードが有する情報（つまり、商品の情報）を第１特徴点データとして生成する。
【００７９】
上述したように、第２実施形態の管理システム１では、サーバ１３のデータ管理部１３Ａの特徴点データ変換部１３Ａ１が、ユーザ端末１４の撮影部１４Ａによって撮影されたＪＡＮコードの画像データを第２特徴点データとして生成する。
一方、第３実施形態の管理システム１では、サーバ１３のデータ管理部１３Ａの特徴点データ変換部１３Ａ１が、ユーザ端末１４の撮影部１４Ａによって撮影されたＪＡＮコードが有する情報（つまり、商品の情報）を第２特徴点データとして生成する。
第３実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影されたＪＡＮコードが有する情報と、ユーザ端末１４の撮影部１４Ａによって撮影されたＪＡＮコードが有する情報とが合致するか否かの判定を行う。また、処理部１３Ａ３は、第１特徴点データと第２特徴点データとが合致する場合に、撮影装置１２のカメラ部１２Ａによって撮影されたＪＡＮコードが付された商品と、ユーザ端末１４の撮影部１４Ａによって撮影されたＪＡＮコードが付された商品とが同一であると判定し、ユーザによる応募手続が適正な応募手続であると判定する。
【００８０】
第３実施形態の管理システム１が適用される上述した例では、撮影装置１２のカメラ部１２Ａによって撮影された商品と、ユーザ端末１４の撮影部１４Ａによって撮影された商品との同一判定にＪＡＮコードが用いられるが、他の例では、ＪＡＮコード以外の１次元コード（例えばＣＯＤＥ３９、ＣＯＤＥ１２８、ＮＷ−７など）を用いてもよい。
【００８１】
＜第４実施形態＞
以下、本発明の管理システム、管理方法および個体識別情報検出装置の第４実施形態について説明する。
第４実施形態の管理システム１は、後述する点を除き、上述した第２実施形態の管理システム１と同様に構成されている。従って、第４実施形態の管理システム１によれば、後述する点を除き、上述した第２実施形態の管理システム１と同様の効果を奏することができる。
【００８２】
第４実施形態の管理システム１が適用される例では、第２実施形態の管理システム１が適用される例と同様に、販売店において販売される同一種類の複数の商品に、互いに異なる複数のＪＡＮコードが付されている。
第４実施形態の管理システム１では、第２実施形態の管理システム１と同様に、カメラ部１２Ａは、ＪＡＮコードリーダ部１１ＡによってＪＡＮコードが読み取られた後に、そのＪＡＮコードの画像を撮影する。また、カメラ部１２Ａは、ユーザによって販売店で正規に購入された商品が有する個体識別情報（ＪＡＮコード）を販売店において検出する個体識別情報検出装置として機能する。
【００８３】
上述したように、第２実施形態の管理システム１では、撮影装置１２の処理部１２Ｂの特徴点データ変換部１２Ｂ２が、カメラ部１２Ａによって撮影されたＪＡＮコードの画像データを第１特徴点データとして生成する。
一方、第４実施形態の管理システム１では、撮影装置１２の処理部１２Ｂの特徴点データ変換部１２Ｂ２が、カメラ部１２Ａによって撮影されたＪＡＮコードの画像データと、カメラ部１２Ａによって撮影されたＪＡＮコードが有する情報（つまり、商品の情報）とを含むものである第１特徴点データを生成する。
【００８４】
上述したように、第２実施形態の管理システム１では、サーバ１３のデータ管理部１３Ａの特徴点データ変換部１３Ａ１が、ユーザ端末１４の撮影部１４Ａによって撮影されたＪＡＮコードの画像データを第２特徴点データとして生成する。
一方、第４実施形態の管理システム１では、サーバ１３のデータ管理部１３Ａの特徴点データ変換部１３Ａ１が、ユーザ端末１４の撮影部１４Ａによって撮影されたＪＡＮコードの画像データと、ユーザ端末１４の撮影部１４Ａによって撮影されたＪＡＮコードが有する情報（つまり、商品の情報）とを含むものである第２特徴点データを生成する。
第４実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影されたＪＡＮコードの画像データおよび撮影装置１２のカメラ部１２Ａによって撮影されたＪＡＮコードが有する情報と、ユーザ端末１４の撮影部１４Ａによって撮影されたＪＡＮコードの画像データおよびユーザ端末１４の撮影部１４Ａによって撮影されたＪＡＮコードが有する情報とが合致するか否かの判定を行う。また、処理部１３Ａ３は、第１特徴点データと第２特徴点データとが合致する場合に、撮影装置１２のカメラ部１２Ａによって撮影されたＪＡＮコードが付された商品と、ユーザ端末１４の撮影部１４Ａによって撮影されたＪＡＮコードが付された商品とが同一であると判定し、ユーザによる応募手続が適正な応募手続であると判定する。
【００８５】
第４実施形態の管理システム１が適用される上述した例では、撮影装置１２のカメラ部１２Ａによって撮影された商品と、ユーザ端末１４の撮影部１４Ａによって撮影された商品との同一判定にＪＡＮコードが用いられるが、他の例では、ＪＡＮコード以外の１次元コード（例えばＣＯＤＥ３９、ＣＯＤＥ１２８、ＮＷ−７など）を用いてもよい。
【００８６】
＜第５実施形態＞
以下、本発明の管理システム、管理方法および個体識別情報検出装置の第５実施形態について、添付図面を参照して説明する。
第５実施形態の管理システム１は、後述する点を除き、上述した第１実施形態の管理システム１と同様に構成されている。従って、第５実施形態の管理システム１によれば、後述する点を除き、上述した第１実施形態の管理システム１と同様の効果を奏することができる。
【００８７】
第５実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第５実施形態の管理システム１では、撮影装置１２のカメラ部１２Ａが、ＪＡＮコードリーダ部１１ＡによってＪＡＮコードが読み取られた後に、そのＪＡＮコードが付されている商品に更に付されている例えば出荷確認用の２次元コード（例えばＱＲコード（登録商標）、DataMatrix（登録商標）など）の画像を撮影する。
つまり、第５実施形態の管理システム１が適用される例では、同一種類の複数の商品のそれぞれに同一の２次元コードが付されている。
【００８８】
図４は例えば出荷確認用の２次元コードが付された商品の一例などを示す図である。詳細には、図４（Ａ）は２次元コードが付された商品の斜視図である。図４（Ｂ）および図４（Ｃ）は商品に付された２次元コードの拡大図である。詳細には、図４（Ｂ）は商品に付された２次元コードの印刷ゆらぎが大きい例を示しており、図４（Ｃ）は商品に付された２次元コードの印刷ゆらぎが小さい例を示している。
通常、同一種類の商品には、１３桁または８桁の同一のＪＡＮコードの番号が割り当てられる。そのため、ＪＡＮコードの番号によっては、同一種類の複数の商品のそれぞれを識別することができない。また、第５実施形態の管理システム１が適用される例では、上述したように、同一種類の複数の商品のそれぞれに同一の２次元コードが付されている。一方、本発明者等の鋭意研究において、商品に付された２次元コードの印刷によるわずかな個体差を用いる（画像認証技術で個体識別する）ことによっても、ＪＡＮコードの印刷によるわずかな個体差を用いる場合と同様に、同一種類の複数の商品のそれぞれを識別できることが見い出された。
つまり、図４に示す例では、カメラ部１２Ａによって図４（Ｂ）に示す２次元コードの画像と図４（Ｃ）に示す２次元コードの画像とを撮影することにより、図４（Ｂ）に示す２次元コードが付された商品と、図４（Ｃ）に示す２次元コードが付された商品とを識別することができる。
すなわち、図４に示す例では、商品に付された２次元コード（詳細には、２次元コードの画像）が、同一種類の複数の商品のそれぞれを個体識別するための個体識別情報として用いられる。
【００８９】
第５実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付された２次元コードの画像を撮影する。一方、そのＪＡＮコードが付された商品がキャンペーン対象商品ではない場合、カメラ部１２Ａは、その商品に付された２次元コードの画像を撮影しない。
【００９０】
第５実施形態の管理システム１では、撮影装置１２の処理部１２Ｂの特徴点データ変換部１２Ｂ２が、カメラ部１２Ａによって撮影された２次元コードの画像（例えばｐｎｇファイル、ｊｐｅｇファイル、ｂｍｐファイルなど）を変換して第１特徴点データを生成する。
図４（Ｂ）に示す例では、特徴点データ変換部１２Ｂ２が、図４（Ｂ）に示す２次元コードの画像から、２次元コードの印刷時に発生した２次元コードの個体差（印刷ゆらぎ）を特徴点として抽出し、その特徴点をデータ化（数値化）したものである第１特徴点データを生成する。
図４（Ｃ）に示す例では、特徴点データ変換部１２Ｂ２が、図４（Ｃ）に示す２次元コードの画像から、２次元コードの印刷時に発生した２次元コードの個体差（印刷ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品に付された２次元コードの画像から生成される。ＪＡＮコードリーダ部１１Ａによって読み取られたＪＡＮコードが付された商品が、キャンペーン対象商品ではない場合、その商品に付された２次元コードの画像から第１特徴点データは生成されない。
【００９１】
第５実施形態の管理システム１では、ユーザ端末１４の撮影部１４Ａが、ユーザの操作に応じて、ユーザによって正規に購入された商品に付された２次元コードの画像を撮影する。
ユーザ端末１４の通信部１４Ｃは、撮影部１４Ａによって撮影された２次元コードの画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品に付された２次元コードの画像を撮影する。通信部１４Ｃは、撮影部１４Ａによって撮影された２次元コードの画像をサーバ１３に送信する。その結果、その商品のキャンペーンに対するユーザによる応募手続が完了する。
【００９２】
第５実施形態の管理システム１では、サーバ１３のデータ管理部１３Ａの特徴点データ変換部１３Ａ１が、ユーザ端末１４の撮影部１４Ａによって撮影された２次元コードの画像を変換して第２特徴点データを生成する。特徴点データ変換部１３Ａ１は、２次元コードの画像から、２次元コードの印刷時に発生した２次元コードの個体差（印刷ゆらぎ）を特徴点として抽出し、その特徴点をデータ化したものである第２特徴点データを生成する。
【００９３】
第５実施形態の管理システム１では、サーバ１３のデータ管理部１３Ａの処理部１３Ａ３が、撮影装置１２のカメラ部１２Ａによって撮影された２次元コードの画像から生成された第１特徴点データと、ユーザ端末１４の撮影部１４Ａによって撮影された２次元コードの画像から生成された第２特徴点データとが合致するか否かの判定を行う。つまり、処理部１３Ａ３は、撮影装置１２のカメラ部１２Ａによって撮影された２次元コードの画像と、ユーザ端末１４の撮影部１４Ａによって撮影された２次元コードの画像とのマッチングを行う。
詳細には、サーバ１３が、ユーザ端末１４の撮影部１４Ａによって撮影された２次元コードの画像をユーザ端末１４から受信し、特徴点データ変換部１３Ａ１が、その２次元コードの画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【００９４】
また、処理部１３Ａ３は、上述したマッチングの結果に基づいて、撮影装置１２のカメラ部１２Ａによって撮影された２次元コードが付された商品と、ユーザ端末１４の撮影部１４Ａによって撮影された２次元コードが付された商品とが同一であるか否かの判定を行う。
詳細には、撮影装置１２のカメラ部１２Ａによって撮影された２次元コードの画像から生成された第１特徴点データと、ユーザ端末１４の撮影部１４Ａによって撮影された２次元コードの画像から生成された第２特徴点データとが合致する場合に、処理部１３Ａ３は、撮影装置１２のカメラ部１２Ａによって撮影された２次元コードが付された商品と、ユーザ端末１４の撮影部１４Ａによって撮影された２次元コードが付された商品とが同一であると判定する。
撮影装置１２のカメラ部１２Ａによって撮影された２次元コードが付された商品と、ユーザ端末１４の撮影部１４Ａによって撮影された２次元コードが付された商品とが同一である場合、処理部１３Ａ３は、ユーザによる応募手続が適正な応募手続であると判定する。
【００９５】
第５実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された２次元コードが付された商品と撮影部１４Ａによって撮影された２次元コードが付された商品とが同一であるか否かの判定結果、タイムスタンプなどが含まれる。
【００９６】
第５実施形態の管理システム１では、サーバ１３のデータ管理部１３Ａの通信部１３Ａ４が、ユーザ端末１４の撮影部１４Ａによって撮影された２次元コードの画像をユーザ端末１４から受信する。
【００９７】
第５実施形態の管理システム１では、サーバ１３の抽選管理部１３Ｂの抽選データベース１３Ｂ１に、撮影装置１２のカメラ部１２Ａによって撮影された２次元コードの画像から生成された第１特徴点データと、ユーザ端末１４の撮影部１４Ａによって撮影された２次元コードの画像から生成された第２特徴点データとが合致するか否かの判定結果が格納される。
【００９８】
第５実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された２次元コードが付された商品と撮影部１４Ａによって撮影された２次元コードが付された商品とが同一であるか否か（適正な応募手続であるか否か）の判定結果、抽選処理の結果（当選したか否かの判定結果）、タイムスタンプなどが含まれる。
【００９９】
上述したように、第５実施形態の管理システム１では、ユーザによって販売店で正規に購入された商品が有する個体識別情報としての２次元コードの画像が、販売店側個体識別情報検出部として機能する撮影装置１２のカメラ部１２Ａによって撮影（検出）される。また、その商品が有する個体識別情報としての２次元コードの画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての２次元コードの画像と、ユーザ側個体識別情報検出部（撮影部１４Ａ）によって検出された個体識別情報としての２次元コードの画像とに基づいて、販売店側個体識別情報検出部によって検出された個体識別情報としての２次元コードを有する商品と、ユーザ側個体識別情報検出部によって検出された個体識別情報としての２次元コードを有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての２次元コードを有する商品とユーザ側個体識別情報検出部（撮影部１４Ａ）によって検出された個体識別情報としての２次元コードを有する商品とが同一である場合、かつ、ユーザによって販売店で正規に購入された商品がキャンペーン対象商品である場合に、キャンペーンの抽選結果（当選または落選の結果）を出力する。
そのため、第５実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０１００】
また、第５実施形態の管理システム１では、撮影装置１２の処理部１２Ｂの特徴点データ変換部１２Ｂ２が、販売店の撮影装置１２のカメラ部１２Ａによって撮影された個体識別情報としての２次元コードの画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての２次元コードの画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての２次元コードを有する商品と、ユーザ端末１４の撮影部１４Ａによって撮影された個体識別情報としての２次元コードを有する商品とが同一であると判定する。
つまり、第５実施形態の管理システム１では、個体識別情報としての２次元コードの画像を用いることによって、個体識別情報としての２次元コードの同一性を判定し、その個体識別情報としての２次元コードを有する商品の同一性を判定することができる。
【０１０１】
また、第５実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としての２次元コードの画像を撮影しない。
そのため、第５実施形態の管理システム１では、キャンペーン対象商品ではない商品に付された個体識別情報としての２次元コードの画像を販売店の撮影装置１２のカメラ部１２Ａが撮影してしまう無駄を排除し、不要な作業コストおよびデータ送付コストの発生を回避することができる。
【０１０２】
また、第５実施形態の管理システム１では、撮影装置１２の処理部１２Ｂの特徴点データ変換部１２Ｂ２が、販売店の撮影装置１２のカメラ部１２Ａによって撮影された個体識別情報としての２次元コードの画像から、２次元コードの印刷時に発生した２次元コードの個体差（印刷ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての２次元コードの画像から、２次元コードの印刷時に発生した２次元コードの個体差（印刷ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された２次元コードを有する商品と、ユーザ端末１４の撮影部１４Ａによって撮影された２次元コードを有する商品とが同一の商品であると判定する。
そのため、第５実施形態の管理システム１では、同一の２次元コードが同一種類の複数の商品に付される場合であっても、商品に付された２次元コードを個体識別情報として用いて、同一種類の複数の商品のそれぞれを個体識別することができる。
【０１０３】
＜第６実施形態＞
以下、本発明の管理システム、管理方法および個体識別情報検出装置の第６実施形態について説明する。
第６実施形態の管理システム１は、後述する点を除き、上述した第５実施形態の管理システム１と同様に構成されている。従って、第６実施形態の管理システム１によれば、後述する点を除き、上述した第５実施形態の管理システム１と同様の効果を奏することができる。
【０１０４】
第５実施形態の管理システム１が適用される例では、販売店において販売される同一種類の複数の商品に、同一の２次元コードが付されている。ただし、複数の２次元コードのそれぞれが互いに異なる印刷ゆらぎを有する。
一方、第６実施形態の管理システム１が適用される例では、販売店において販売される同一種類の複数の商品に、互いに異なる複数の２次元コードが付されている。
第６実施形態の管理システム１では、第５実施形態の管理システム１と同様に、カメラ部１２Ａは、ＪＡＮコードリーダ部１１ＡによってＪＡＮコードが読み取られた後に、そのＪＡＮコードが付されている商品に更に付されている２次元コードの画像を撮影する。また、カメラ部１２Ａは、ユーザによって販売店で正規に購入された商品が有する個体識別情報（２次元コード）を販売店において検出する個体識別情報検出装置として機能する。
【０１０５】
上述したように、第５実施形態の管理システム１では、撮影装置１２の処理部１２Ｂの特徴点データ変換部１２Ｂ２が、カメラ部１２Ａによって撮影された２次元コードの画像を変換して第１特徴点データを生成する。詳細には、特徴点データ変換部１２Ｂ２が、２次元コードの画像から、２次元コードの印刷時に発生した２次元コードの個体差（印刷ゆらぎ）を特徴点として抽出し、その特徴点をデータ化したものである第１特徴点データを生成する。
一方、第６実施形態の管理システム１では、撮影装置１２の処理部１２Ｂの特徴点データ変換部１２Ｂ２が、カメラ部１２Ａによって撮影された２次元コードの画像データを第１特徴点データとして生成する。
第６実施形態の管理システム１では、第５実施形態の管理システム１と同様に、ユーザ端末１４の撮影部１４Ａが、ユーザの操作に応じて、ユーザによって正規に購入された商品に付された２次元コードの画像を撮影する。
【０１０６】
上述したように、第５実施形態の管理システム１では、サーバ１３のデータ管理部１３Ａの特徴点データ変換部１３Ａ１が、ユーザ端末１４の撮影部１４Ａによって撮影された２次元コードの画像を変換して第２特徴点データを生成する。詳細には、特徴点データ変換部１３Ａ１が、２次元コードの画像から、２次元コードの印刷時に発生した２次元コードの個体差（印刷ゆらぎ）を特徴点として抽出し、その特徴点をデータ化したものである第２特徴点データを生成する。
一方、第６実施形態の管理システム１では、サーバ１３のデータ管理部１３Ａの特徴点データ変換部１３Ａ１が、ユーザ端末１４の撮影部１４Ａによって撮影された２次元コードの画像データを第２特徴点データとして生成する。
第６実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された２次元コードの画像データと、ユーザ端末１４の撮影部１４Ａによって撮影された２次元コードの画像データとが合致するか否かの判定を行う。また、処理部１３Ａ３は、第１特徴点データと第２特徴点データとが合致する場合に、撮影装置１２のカメラ部１２Ａによって撮影された２次元コードが付された商品と、ユーザ端末１４の撮影部１４Ａによって撮影された２次元コードが付された商品とが同一であると判定し、ユーザによる応募手続が適正な応募手続であると判定する。
【０１０７】
＜第７実施形態＞
以下、本発明の管理システム、管理方法および個体識別情報検出装置の第７実施形態について説明する。
第７実施形態の管理システム１は、後述する点を除き、上述した第６実施形態の管理システム１と同様に構成されている。従って、第７実施形態の管理システム１によれば、後述する点を除き、上述した第６実施形態の管理システム１と同様の効果を奏することができる。
【０１０８】
第７実施形態の管理システム１が適用される例では、第６実施形態の管理システム１が適用される例と同様に、販売店において販売される同一種類の複数の商品に、互いに異なる複数の２次元コードが付されている。
第７実施形態の管理システム１では、第６実施形態の管理システム１と同様に、カメラ部１２Ａは、ＪＡＮコードリーダ部１１ＡによってＪＡＮコードが読み取られた後に、そのＪＡＮコードが付されている商品に更に付されている２次元コードの画像を撮影する。また、カメラ部１２Ａは、ユーザによって販売店で正規に購入された商品が有する個体識別情報（２次元コード）を販売店において検出する個体識別情報検出装置として機能する。
【０１０９】
上述したように、第６実施形態の管理システム１では、撮影装置１２の処理部１２Ｂの特徴点データ変換部１２Ｂ２が、カメラ部１２Ａによって撮影された２次元コードの画像データを第１特徴点データとして生成する。
一方、第７実施形態の管理システム１では、撮影装置１２の処理部１２Ｂの特徴点データ変換部１２Ｂ２が、カメラ部１２Ａによって撮影された２次元コードが有する情報（つまり、商品の情報）を第１特徴点データとして生成する。
【０１１０】
上述したように、第６実施形態の管理システム１では、サーバ１３のデータ管理部１３Ａの特徴点データ変換部１３Ａ１が、ユーザ端末１４の撮影部１４Ａによって撮影された２次元コードの画像データを第２特徴点データとして生成する。
一方、第７実施形態の管理システム１では、サーバ１３のデータ管理部１３Ａの特徴点データ変換部１３Ａ１が、ユーザ端末１４の撮影部１４Ａによって撮影された２次元コードが有する情報（つまり、商品の情報）を第２特徴点データとして生成する。
第７実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された２次元コードが有する情報と、ユーザ端末１４の撮影部１４Ａによって撮影された２次元コードが有する情報とが合致するか否かの判定を行う。また、処理部１３Ａ３は、第１特徴点データと第２特徴点データとが合致する場合に、撮影装置１２のカメラ部１２Ａによって撮影された２次元コードが付された商品と、ユーザ端末１４の撮影部１４Ａによって撮影された２次元コードが付された商品とが同一であると判定し、ユーザによる応募手続が適正な応募手続であると判定する。
【０１１１】
＜第８実施形態＞
以下、本発明の管理システム、管理方法および個体識別情報検出装置の第８実施形態について説明する。
第８実施形態の管理システム１は、後述する点を除き、上述した第６実施形態の管理システム１と同様に構成されている。従って、第８実施形態の管理システム１によれば、後述する点を除き、上述した第６実施形態の管理システム１と同様の効果を奏することができる。
【０１１２】
第８実施形態の管理システム１が適用される例では、第６実施形態の管理システム１が適用される例と同様に、販売店において販売される同一種類の複数の商品に、互いに異なる複数の２次元コードが付されている。
第８実施形態の管理システム１では、第６実施形態の管理システム１と同様に、カメラ部１２Ａは、ＪＡＮコードリーダ部１１ＡによってＪＡＮコードが読み取られた後に、そのＪＡＮコードが付されている商品に更に付されている２次元コードの画像を撮影する。また、カメラ部１２Ａは、ユーザによって販売店で正規に購入された商品が有する個体識別情報（２次元コード）を販売店において検出する個体識別情報検出装置として機能する。
【０１１３】
上述したように、第６実施形態の管理システム１では、撮影装置１２の処理部１２Ｂの特徴点データ変換部１２Ｂ２が、カメラ部１２Ａによって撮影された２次元コードの画像データを第１特徴点データとして生成する。
一方、第８実施形態の管理システム１では、撮影装置１２の処理部１２Ｂの特徴点データ変換部１２Ｂ２が、カメラ部１２Ａによって撮影された２次元コードの画像データと、カメラ部１２Ａによって撮影された２次元コードが有する情報（つまり、商品の情報）とを含むものである第１特徴点データを生成する。
【０１１４】
上述したように、第６実施形態の管理システム１では、サーバ１３のデータ管理部１３Ａの特徴点データ変換部１３Ａ１が、ユーザ端末１４の撮影部１４Ａによって撮影された２次元コードの画像データを第２特徴点データとして生成する。
一方、第８実施形態の管理システム１では、サーバ１３のデータ管理部１３Ａの特徴点データ変換部１３Ａ１が、ユーザ端末１４の撮影部１４Ａによって撮影された２次元コードの画像データと、ユーザ端末１４の撮影部１４Ａによって撮影された２次元コードが有する情報（つまり、商品の情報）とを含むものである第２特徴点データを生成する。
第８実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された２次元コードの画像データおよび撮影装置１２のカメラ部１２Ａによって撮影された２次元コードが有する情報と、ユーザ端末１４の撮影部１４Ａによって撮影された２次元コードの画像データおよびユーザ端末１４の撮影部１４Ａによって撮影された２次元コードが有する情報とが合致するか否かの判定を行う。また、処理部１３Ａ３は、第１特徴点データと第２特徴点データとが合致する場合に、撮影装置１２のカメラ部１２Ａによって撮影された２次元コードが付された商品と、ユーザ端末１４の撮影部１４Ａによって撮影された２次元コードが付された商品とが同一であると判定し、ユーザによる応募手続が適正な応募手続であると判定する。
【０１１５】
＜第９実施形態＞
以下、本発明の管理システム、管理方法および個体識別情報検出装置の第９実施形態について、添付図面を参照して説明する。
第９実施形態の管理システム１は、後述する点を除き、上述した第１実施形態の管理システム１と同様に構成されている。従って、第９実施形態の管理システム１によれば、後述する点を除き、上述した第１実施形態の管理システム１と同様の効果を奏することができる。
【０１１６】
第９実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第９実施形態の管理システム１では、撮影装置１２のカメラ部１２Ａが、ＪＡＮコードリーダ部１１ＡによってＪＡＮコードが読み取られた後に、そのＪＡＮコードが付されている商品の形状を示す画像を撮影する。
つまり、第９実施形態の管理システム１が適用される例では、同一種類の複数の商品のそれぞれが、基本的に同一の外形形状を有している。
【０１１７】
図５は第９実施形態の管理システム１に適用される商品の一例などを示す図である。詳細には、図５（Ａ）は第９実施形態の管理システム１に適用される商品（紙パック）の斜視図である。図５（Ｂ）および図５（Ｃ）は商品の形状を比較して示した図である。詳細には、図５（Ｂ）は商品の形状ゆらぎが第１の程度である例を示しており、図５（Ｃ）は商品の形状ゆらぎが第１の程度とは異なる第２の程度である例を示している。
本発明者等の鋭意研究において、商品の形状のわずかな個体差を用いる（商品の形状を示す画像に画像認証技術を適用し、商品を個体識別する）ことによっても、ＪＡＮコードの印刷によるわずかな個体差を用いる場合と同様に、同一種類の複数の商品のそれぞれを識別できることが見い出された。
つまり、図５に示す例では、カメラ部１２Ａによって図５（Ｂ）に示す商品の形状と図５（Ｃ）に示す商品の形状とを撮影することにより、図５（Ｂ）に示す商品と、図５（Ｃ）に示す商品とを識別することができる。
すなわち、図５に示す例では、商品の形状（詳細には、商品の形状を示す画像）が、同一種類の複数の商品のそれぞれを個体識別するための個体識別情報として用いられる。
【０１１８】
第９実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品の形状を示す画像を撮影する。一方、そのＪＡＮコードが付された商品がキャンペーン対象商品ではない場合、カメラ部１２Ａは、その商品の形状を示す画像を撮影しない。
【０１１９】
第９実施形態の管理システム１では、撮影装置１２の処理部１２Ｂの特徴点データ変換部１２Ｂ２が、カメラ部１２Ａによって撮影された商品の形状を示す画像（例えばｐｎｇファイル、ｊｐｅｇファイル、ｂｍｐファイルなど）を変換して第１特徴点データを生成する。
図５（Ｂ）に示す例では、特徴点データ変換部１２Ｂ２が、図５（Ｂ）に示す商品の形状の画像から、その商品の製造時に発生した商品の形状の個体差（形状ゆらぎ）を特徴点として抽出し、その特徴点をデータ化（数値化）したものである第１特徴点データを生成する。
図５（Ｃ）に示す例では、特徴点データ変換部１２Ｂ２が、図５（Ｃ）に示す商品の形状の画像から、その商品の製造時に発生した商品の形状の個体差（形状ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品の形状を示す画像から生成される。ＪＡＮコードリーダ部１１Ａによって読み取られたＪＡＮコードが付された商品が、キャンペーン対象商品ではない場合、その商品の形状を示す画像から第１特徴点データは生成されない。
【０１２０】
第９実施形態の管理システム１では、ユーザ端末１４の撮影部１４Ａが、ユーザの操作に応じて、ユーザによって正規に購入された商品の形状を示す画像を撮影する。
ユーザ端末１４の通信部１４Ｃは、撮影部１４Ａによって撮影された商品の形状を示す画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品の形状を示す画像を撮影する。通信部１４Ｃは、撮影部１４Ａによって撮影された商品の形状を示す画像をサーバ１３に送信する。その結果、その商品のキャンペーンに対するユーザによる応募手続が完了する。
【０１２１】
第９実施形態の管理システム１では、サーバ１３のデータ管理部１３Ａの特徴点データ変換部１３Ａ１が、ユーザ端末１４の撮影部１４Ａによって撮影された商品の形状を示す画像を変換して第２特徴点データを生成する。特徴点データ変換部１３Ａ１は、商品の形状を示す画像から、その商品の製造時に発生した商品の形状の個体差（形状ゆらぎ）を特徴点として抽出し、その特徴点をデータ化したものである第２特徴点データを生成する。
【０１２２】
第９実施形態の管理システム１では、サーバ１３のデータ管理部１３Ａの処理部１３Ａ３が、撮影装置１２のカメラ部１２Ａによって撮影された商品の形状を示す画像から生成された第１特徴点データと、ユーザ端末１４の撮影部１４Ａによって撮影された商品の形状を示す画像から生成された第２特徴点データとが合致するか否かの判定を行う。つまり、処理部１３Ａ３は、撮影装置１２のカメラ部１２Ａによって撮影された商品の形状を示す画像と、ユーザ端末１４の撮影部１４Ａによって撮影された商品の形状を示す画像とのマッチングを行う。
詳細には、サーバ１３が、ユーザ端末１４の撮影部１４Ａによって撮影された商品の形状を示す画像をユーザ端末１４から受信し、特徴点データ変換部１３Ａ１が、その商品の形状を示す画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【０１２３】
また、処理部１３Ａ３は、上述したマッチングの結果に基づいて、撮影装置１２のカメラ部１２Ａによって撮影された商品と、ユーザ端末１４の撮影部１４Ａによって撮影された商品とが同一であるか否かの判定を行う。
詳細には、撮影装置１２のカメラ部１２Ａによって撮影された商品の形状を示す画像から生成された第１特徴点データと、ユーザ端末１４の撮影部１４Ａによって撮影された商品の形状を示す画像から生成された第２特徴点データとが合致する場合に、処理部１３Ａ３は、撮影装置１２のカメラ部１２Ａによって撮影された商品と、ユーザ端末１４の撮影部１４Ａによって撮影された商品とが同一であると判定する。
撮影装置１２のカメラ部１２Ａによって撮影された商品と、ユーザ端末１４の撮影部１４Ａによって撮影された商品とが同一である場合、処理部１３Ａ３は、ユーザによる応募手続が適正な応募手続であると判定する。
【０１２４】
第９実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された商品と撮影部１４Ａによって撮影された商品とが同一であるか否かの判定結果、タイムスタンプなどが含まれる。
【０１２５】
第９実施形態の管理システム１では、サーバ１３のデータ管理部１３Ａの通信部１３Ａ４が、ユーザ端末１４の撮影部１４Ａによって撮影された商品の形状を示す画像をユーザ端末１４から受信する。
【０１２６】
第９実施形態の管理システム１では、サーバ１３の抽選管理部１３Ｂの抽選データベース１３Ｂ１に、撮影装置１２のカメラ部１２Ａによって撮影された商品の形状を示す画像から生成された第１特徴点データと、ユーザ端末１４の撮影部１４Ａによって撮影された商品の形状を示す画像から生成された第２特徴点データとが合致するか否かの判定結果が格納される。
【０１２７】
第９実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された商品と撮影部１４Ａによって撮影された商品とが同一であるか否か（適正な応募手続であるか否か）の判定結果、抽選処理の結果（当選したか否かの判定結果）、タイムスタンプなどが含まれる。
【０１２８】
上述したように、第９実施形態の管理システム１では、ユーザによって販売店で正規に購入された商品が有する個体識別情報としての商品の形状を示す画像が、販売店側個体識別情報検出部として機能する撮影装置１２のカメラ部１２Ａによって撮影（検出）される。また、その商品が有する個体識別情報としての商品の形状を示す画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての商品の形状を示す画像と、ユーザ側個体識別情報検出部（撮影部１４Ａ）によって検出された個体識別情報としての商品の形状を示す画像とに基づいて、販売店側個体識別情報検出部によって検出された個体識別情報としての形状を有する商品と、ユーザ側個体識別情報検出部によって検出された個体識別情報としての形状を有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての形状を有する商品とユーザ側個体識別情報検出部（撮影部１４Ａ）によって検出された個体識別情報としての形状を有する商品とが同一である場合、かつ、ユーザによって販売店で正規に購入された商品がキャンペーン対象商品である場合に、キャンペーンの抽選結果（当選または落選の結果）を出力する。
そのため、第９実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０１２９】
また、第９実施形態の管理システム１では、撮影装置１２の処理部１２Ｂの特徴点データ変換部１２Ｂ２が、販売店の撮影装置１２のカメラ部１２Ａによって撮影された個体識別情報としての商品の形状を示す画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての商品の形状を示す画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての形状を有する商品と、ユーザ端末１４の撮影部１４Ａによって撮影された個体識別情報としての形状を有する商品とが同一であると判定する。
つまり、第９実施形態の管理システム１では、個体識別情報としての商品の形状を示す画像を用いることによって、個体識別情報としての商品の形状の同一性を判定し、その個体識別情報としての形状を有する商品の同一性を判定することができる。
【０１３０】
また、第９実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、個体識別情報としての商品の形状を示す画像を撮影しない。
そのため、第９実施形態の管理システム１では、キャンペーン対象商品ではない商品の個体識別情報としての形状を示す画像を販売店の撮影装置１２のカメラ部１２Ａが撮影してしまう無駄を排除し、不要な作業コストおよびデータ送付コストの発生を回避することができる。
【０１３１】
また、第９実施形態の管理システム１では、撮影装置１２の処理部１２Ｂの特徴点データ変換部１２Ｂ２が、販売店の撮影装置１２のカメラ部１２Ａによって撮影された個体識別情報としての商品の形状を示す画像から、その商品の製造時に発生した商品の形状の個体差（形状ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての商品の形状を示す画像から、その商品製造時に発生した商品の形状の個体差（形状ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された商品と、ユーザ端末１４の撮影部１４Ａによって撮影された商品とが同一の商品であると判定する。
そのため、第９実施形態の管理システム１では、同一種類の複数の商品が基本的に同一の形状を有する場合であっても、商品の形状を個体識別情報として用いて、同一種類の複数の商品のそれぞれを個体識別することができる。
【０１３２】
＜第１０実施形態＞
以下、本発明の管理システム、管理方法および個体識別情報検出装置の第１０実施形態について説明する。
第１０実施形態の管理システム１は、後述する点を除き、上述した第９実施形態の管理システム１と同様に構成されている。従って、第１０実施形態の管理システム１によれば、後述する点を除き、上述した第９実施形態の管理システム１と同様の効果を奏することができる。
【０１３３】
第９実施形態の管理システム１が適用される例では、販売店において販売される同一種類の複数の商品が、基本的に同一の外形形状を有している。ただし、複数の商品のそれぞれが互いに異なる形状ゆらぎを有する。
一方、第１０実施形態の管理システム１が適用される例では、販売店において販売される同一種類の複数の商品が、互いに異なる外形形状を有している。
第１０実施形態の管理システム１では、第９実施形態の管理システム１と同様に、カメラ部１２Ａは、ＪＡＮコードリーダ部１１ＡによってＪＡＮコードが読み取られた後に、そのＪＡＮコードが付されている商品の形状を示す画像を撮影する。また、カメラ部１２Ａは、ユーザによって販売店で正規に購入された商品が有する個体識別情報（形状）を販売店において検出する個体識別情報検出装置として機能する。
【０１３４】
上述したように、第９実施形態の管理システム１では、撮影装置１２の処理部１２Ｂの特徴点データ変換部１２Ｂ２が、カメラ部１２Ａによって撮影された商品の形状を示す画像を変換して第１特徴点データを生成する。詳細には、特徴点データ変換部１２Ｂ２が、商品の形状の画像から、その商品の製造時に発生した商品の形状の個体差（形状ゆらぎ）を特徴点として抽出し、その特徴点をデータ化したものである第１特徴点データを生成する。
一方、第１０実施形態の管理システム１では、撮影装置１２の処理部１２Ｂの特徴点データ変換部１２Ｂ２が、カメラ部１２Ａによって撮影された商品の形状を示す画像データを第１特徴点データとして生成する。
第１０実施形態の管理システム１では、第９実施形態の管理システム１と同様に、ユーザ端末１４の撮影部１４Ａが、ユーザの操作に応じて、ユーザによって正規に購入された商品の形状を示す画像を撮影する。
【０１３５】
上述したように、第９実施形態の管理システム１では、サーバ１３のデータ管理部１３Ａの特徴点データ変換部１３Ａ１が、ユーザ端末１４の撮影部１４Ａによって撮影された商品の形状を示す画像を変換して第２特徴点データを生成する。詳細には、特徴点データ変換部１３Ａ１が、商品の形状を示す画像から、その商品の製造時に発生した商品の形状の個体差（形状ゆらぎ）を特徴点として抽出し、その特徴点をデータ化したものである第２特徴点データを生成する。
一方、第１０実施形態の管理システム１では、サーバ１３のデータ管理部１３Ａの特徴点データ変換部１３Ａ１が、ユーザ端末１４の撮影部１４Ａによって撮影された商品の形状を示す画像データを第２特徴点データとして生成する。
第１０実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された商品の形状を示す画像データと、ユーザ端末１４の撮影部１４Ａによって撮影された商品の形状を示す画像データとが合致するか否かの判定を行う。また、処理部１３Ａ３は、第１特徴点データと第２特徴点データとが合致する場合に、撮影装置１２のカメラ部１２Ａによって撮影された商品と、ユーザ端末１４の撮影部１４Ａによって撮影された商品とが同一であると判定し、ユーザによる応募手続が適正な応募手続であると判定する。
【０１３６】
＜第１１実施形態＞
以下、本発明の管理システム、管理方法および個体識別情報検出装置の第１１実施形態について、添付図面を参照して説明する。
第１１実施形態の管理システム１は、後述する点を除き、上述した第１実施形態の管理システム１と同様に構成されている。従って、第１１実施形態の管理システム１によれば、後述する点を除き、上述した第１実施形態の管理システム１と同様の効果を奏することができる。
【０１３７】
第１１実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第１１実施形態の管理システム１では、撮影装置１２のカメラ部１２Ａが、ＪＡＮコードリーダ部１１ＡによってＪＡＮコードが読み取られた後に、そのＪＡＮコードが付されている商品に更に付されている模様（「模様」には、絵柄、ランダムパターン、基材表面凹凸なども含まれる）の画像を撮影する。
つまり、第１１実施形態の管理システム１が適用される例では、同一種類の複数の商品のそれぞれに基本的に同一の模様が付されている。
【０１３８】
図６は模様が付された商品の一例などを示す図である。詳細には、図６（Ａ）は模様（市松模様）が付された商品の斜視図である。図６（Ｂ）および図６（Ｃ）は商品に付された模様を比較して示した図である。詳細には、図６（Ｂ）は商品に付された模様の印刷ゆらぎが大きい例を示しており、図６（Ｃ）は商品に付された模様の印刷ゆらぎが小さい例を示している。
本発明者等の鋭意研究において、商品に付された模様の印刷によるわずかな個体差、あるいは、商品に付された立体模様の形状のわずかな個体差を用いる（画像認証技術で個体識別する）ことによっても、ＪＡＮコードの印刷によるわずかな個体差を用いる場合と同様に、同一種類の複数の商品のそれぞれを識別できることが見い出された。
つまり、図６に示す例では、カメラ部１２Ａによって図６（Ｂ）に示す模様の画像と図６（Ｃ）に示す模様の画像とを撮影することにより、図６（Ｂ）に示す模様が付された商品と、図６（Ｃ）に示す模様が付された商品とを識別することができる。
すなわち、図６に示す例では、商品に付された模様（詳細には、模様の画像）が、同一種類の複数の商品のそれぞれを個体識別するための個体識別情報として用いられる。
【０１３９】
第１１実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付された模様の画像を撮影する。一方、そのＪＡＮコードが付された商品がキャンペーン対象商品ではない場合、カメラ部１２Ａは、その商品に付された模様の画像を撮影しない。
【０１４０】
第１１実施形態の管理システム１では、撮影装置１２の処理部１２Ｂの特徴点データ変換部１２Ｂ２が、カメラ部１２Ａによって撮影された模様の画像（例えばｐｎｇファイル、ｊｐｅｇファイル、ｂｍｐファイルなど）を変換して第１特徴点データを生成する。
図６（Ｂ）に示す例では、特徴点データ変換部１２Ｂ２が、図６（Ｂ）に示す模様の画像から、模様の印刷時に発生した模様の個体差（印刷ゆらぎ）を特徴点として抽出し、その特徴点をデータ化（数値化）したものである第１特徴点データを生成する。
図６（Ｃ）に示す例では、特徴点データ変換部１２Ｂ２が、図６（Ｃ）に示す模様の画像から、模様の印刷時に発生した模様の個体差（印刷ゆらぎ）を特徴点として抽出し、その特徴点をデータ化したものである第１特徴点データを生成する。
商品に付された模様が立体模様である場合には、特徴点データ変換部１２Ｂ２が、立体模様の画像から、立体模様の形成時に発生した立体模様の個体差（形状ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品に付された模様の画像から生成される。ＪＡＮコードリーダ部１１Ａによって読み取られたＪＡＮコードが付された商品が、キャンペーン対象商品ではない場合、その商品に付された模様の画像から第１特徴点データは生成されない。
【０１４１】
第１１実施形態の管理システム１では、ユーザ端末１４の撮影部１４Ａが、ユーザの操作に応じて、ユーザによって正規に購入された商品に付された模様の画像を撮影する。
ユーザ端末１４の通信部１４Ｃは、撮影部１４Ａによって撮影された模様の画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品に付された模様の画像を撮影する。通信部１４Ｃは、撮影部１４Ａによって撮影された模様の画像をサーバ１３に送信する。その結果、その商品のキャンペーンに対するユーザによる応募手続が完了する。
【０１４２】
第１１実施形態の管理システム１では、サーバ１３のデータ管理部１３Ａの特徴点データ変換部１３Ａ１が、ユーザ端末１４の撮影部１４Ａによって撮影された模様の画像を変換して第２特徴点データを生成する。特徴点データ変換部１３Ａ１は、模様の画像から、模様の印刷時に発生した模様の個体差（印刷ゆらぎ）を特徴点として抽出し、その特徴点をデータ化したものである第２特徴点データを生成する。
【０１４３】
第１１実施形態の管理システム１では、サーバ１３のデータ管理部１３Ａの処理部１３Ａ３が、撮影装置１２のカメラ部１２Ａによって撮影された模様の画像から生成された第１特徴点データと、ユーザ端末１４の撮影部１４Ａによって撮影された模様の画像から生成された第２特徴点データとが合致するか否かの判定を行う。つまり、処理部１３Ａ３は、撮影装置１２のカメラ部１２Ａによって撮影された模様の画像と、ユーザ端末１４の撮影部１４Ａによって撮影された模様の画像とのマッチングを行う。
詳細には、サーバ１３が、ユーザ端末１４の撮影部１４Ａによって撮影された模様の画像をユーザ端末１４から受信し、特徴点データ変換部１３Ａ１が、その模様の画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【０１４４】
また、処理部１３Ａ３は、上述したマッチングの結果に基づいて、撮影装置１２のカメラ部１２Ａによって撮影された模様が付された商品と、ユーザ端末１４の撮影部１４Ａによって撮影された模様が付された商品とが同一であるか否かの判定を行う。
詳細には、撮影装置１２のカメラ部１２Ａによって撮影された模様の画像から生成された第１特徴点データと、ユーザ端末１４の撮影部１４Ａによって撮影された模様の画像から生成された第２特徴点データとが合致する場合に、処理部１３Ａ３は、撮影装置１２のカメラ部１２Ａによって撮影された模様が付された商品と、ユーザ端末１４の撮影部１４Ａによって撮影された模様が付された商品とが同一であると判定する。
撮影装置１２のカメラ部１２Ａによって撮影された模様が付された商品と、ユーザ端末１４の撮影部１４Ａによって撮影された模様が付された商品とが同一である場合、処理部１３Ａ３は、ユーザによる応募手続が適正な応募手続であると判定する。
【０１４５】
第１１実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された模様が付された商品と撮影部１４Ａによって撮影された模様が付された商品とが同一であるか否かの判定結果、タイムスタンプなどが含まれる。
【０１４６】
第１１実施形態の管理システム１では、サーバ１３のデータ管理部１３Ａの通信部１３Ａ４が、ユーザ端末１４の撮影部１４Ａによって撮影された模様の画像をユーザ端末１４から受信する。
【０１４７】
第１１実施形態の管理システム１では、サーバ１３の抽選管理部１３Ｂの抽選データベース１３Ｂ１に、撮影装置１２のカメラ部１２Ａによって撮影された模様の画像から生成された第１特徴点データと、ユーザ端末１４の撮影部１４Ａによって撮影された模様の画像から生成された第２特徴点データとが合致するか否かの判定結果が格納される。
【０１４８】
第１１実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された模様が付された商品と撮影部１４Ａによって撮影された模様が付された商品とが同一であるか否か（適正な応募手続であるか否か）の判定結果、抽選処理の結果（当選したか否かの判定結果）、タイムスタンプなどが含まれる。
【０１４９】
上述したように、第１１実施形態の管理システム１では、ユーザによって販売店で正規に購入された商品が有する個体識別情報としての模様の画像が、販売店側個体識別情報検出部として機能する撮影装置１２のカメラ部１２Ａによって撮影（検出）される。また、その商品が有する個体識別情報としての模様の画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての模様の画像と、ユーザ側個体識別情報検出部（撮影部１４Ａ）によって検出された個体識別情報としての模様の画像とに基づいて、販売店側個体識別情報検出部によって検出された個体識別情報としての模様を有する商品と、ユーザ側個体識別情報検出部によって検出された個体識別情報としての模様を有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての模様を有する商品とユーザ側個体識別情報検出部（撮影部１４Ａ）によって検出された個体識別情報としての模様を有する商品とが同一である場合、かつ、ユーザによって販売店で正規に購入された商品がキャンペーン対象商品である場合に、キャンペーンの抽選結果（当選または落選の結果）を出力する。
そのため、第１１実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０１５０】
また、第１１実施形態の管理システム１では、撮影装置１２の処理部１２Ｂの特徴点データ変換部１２Ｂ２が、販売店の撮影装置１２のカメラ部１２Ａによって撮影された個体識別情報としての模様の画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての模様の画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての模様を有する商品と、ユーザ端末１４の撮影部１４Ａによって撮影された個体識別情報としての模様を有する商品とが同一であると判定する。
つまり、第１１実施形態の管理システム１では、個体識別情報としての模様の画像を用いることによって、個体識別情報としての模様の同一性を判定し、その個体識別情報としての模様を有する商品の同一性を判定することができる。
【０１５１】
また、第１１実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としての模様の画像を撮影しない。
そのため、第１１実施形態の管理システム１では、キャンペーン対象商品ではない商品に付された個体識別情報としての模様の画像を販売店の撮影装置１２のカメラ部１２Ａが撮影してしまう無駄を排除し、不要な作業コストおよびデータ送付コストの発生を回避することができる。
【０１５２】
また、第１１実施形態の管理システム１では、撮影装置１２の処理部１２Ｂの特徴点データ変換部１２Ｂ２が、販売店の撮影装置１２のカメラ部１２Ａによって撮影された個体識別情報としての模様の画像から、模様の印刷時に発生した模様の個体差（印刷ゆらぎ）を特徴点として抽出し、その特徴点をデータ化（数値化）したものである第１特徴点データを生成する。
模様が立体模様である場合には、撮影装置１２の処理部１２Ｂの特徴点データ変換部１２Ｂ２が、販売店の撮影装置１２のカメラ部１２Ａによって撮影された個体識別情報としての立体模様の画像から、立体模様の形成時に発生した立体模様の個体差（形状ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての模様の画像から、模様の印刷時に発生した模様の個体差（印刷ゆらぎ）を特徴点として抽出し、その特徴点をデータ化したものである第２特徴点データを生成する。
模様が立体模様である場合には、サーバ１３のデータ管理部１３Ａの特徴点データ変換部１３Ａ１が、ユーザ端末１４の撮影部１４Ａによって撮影された個体識別情報としての立体模様の画像から、立体模様の形成時に発生した立体模様の個体差（形状ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された模様を有する商品と、ユーザ端末１４の撮影部１４Ａによって撮影された模様を有する商品とが同一の商品であると判定する。
そのため、第１１実施形態の管理システム１では、同一の模様が同一種類の複数の商品に付される場合であっても、商品に付された模様を個体識別情報として用いて、同一種類の複数の商品のそれぞれを個体識別することができる。
【０１５３】
＜第１２実施形態＞
以下、本発明の管理システム、管理方法および個体識別情報検出装置の第１２実施形態について説明する。
第１２実施形態の管理システム１は、後述する点を除き、上述した第１１実施形態の管理システム１と同様に構成されている。従って、第１２実施形態の管理システム１によれば、後述する点を除き、上述した第１１実施形態の管理システム１と同様の効果を奏することができる。
【０１５４】
第１１実施形態の管理システム１が適用される例では、販売店において販売される同一種類の複数の商品が、基本的に同一の模様を有している。ただし、複数の商品に付されている模様のそれぞれが互いに異なるゆらぎを有する。
一方、第１２実施形態の管理システム１が適用される例では、販売店において販売される同一種類の複数の商品が、互いに異なる模様を有している。
第１２実施形態の管理システム１では、第１１実施形態の管理システム１と同様に、カメラ部１２Ａは、ＪＡＮコードリーダ部１１ＡによってＪＡＮコードが読み取られた後に、そのＪＡＮコードが付されている商品に付された模様の画像を撮影する。また、カメラ部１２Ａは、ユーザによって販売店で正規に購入された商品が有する個体識別情報（模様）を販売店において検出する個体識別情報検出装置として機能する。
【０１５５】
上述したように、第１１実施形態の管理システム１では、撮影装置１２の処理部１２Ｂの特徴点データ変換部１２Ｂ２が、カメラ部１２Ａによって撮影された模様の画像を変換して第１特徴点データを生成する。詳細には、特徴点データ変換部１２Ｂ２が、商品の模様の画像から、その模様の印刷時などに発生した模様の個体差（ゆらぎ）を特徴点として抽出し、その特徴点をデータ化したものである第１特徴点データを生成する。
一方、第１２実施形態の管理システム１では、撮影装置１２の処理部１２Ｂの特徴点データ変換部１２Ｂ２が、カメラ部１２Ａによって撮影された模様の画像データを第１特徴点データとして生成する。
第１２実施形態の管理システム１では、第１１実施形態の管理システム１と同様に、ユーザ端末１４の撮影部１４Ａが、ユーザの操作に応じて、ユーザによって正規に購入された商品に付された模様の画像を撮影する。
【０１５６】
上述したように、第１１実施形態の管理システム１では、サーバ１３のデータ管理部１３Ａの特徴点データ変換部１３Ａ１が、ユーザ端末１４の撮影部１４Ａによって撮影された模様の画像を変換して第２特徴点データを生成する。詳細には、特徴点データ変換部１３Ａ１が、模様の画像から、その模様の印刷時などに発生した模様の個体差（ゆらぎ）を特徴点として抽出し、その特徴点をデータ化したものである第２特徴点データを生成する。
一方、第１２実施形態の管理システム１では、サーバ１３のデータ管理部１３Ａの特徴点データ変換部１３Ａ１が、ユーザ端末１４の撮影部１４Ａによって撮影された模様の画像データを第２特徴点データとして生成する。
第１２実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された模様の画像データと、ユーザ端末１４の撮影部１４Ａによって撮影された模様の画像データとが合致するか否かの判定を行う。また、処理部１３Ａ３は、第１特徴点データと第２特徴点データとが合致する場合に、撮影装置１２のカメラ部１２Ａによって撮影された模様を有する商品と、ユーザ端末１４の撮影部１４Ａによって撮影された模様を有する商品とが同一であると判定し、ユーザによる応募手続が適正な応募手続であると判定する。
【０１５７】
＜第１３実施形態＞
以下、本発明の管理システム、管理方法および個体識別情報検出装置の第１３実施形態について、添付図面を参照して説明する。
第１３実施形態の管理システム１は、後述する点を除き、上述した第１実施形態の管理システム１と同様に構成されている。従って、第１３実施形態の管理システム１によれば、後述する点を除き、上述した第１実施形態の管理システム１と同様の効果を奏することができる。
【０１５８】
第１３実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第１３実施形態の管理システム１では、撮影装置１２のカメラ部１２Ａが、ＪＡＮコードリーダ部１１ＡによってＪＡＮコードが読み取られた後に、そのＪＡＮコードが付されている商品に更に付されている文字パターンの画像を撮影する。
つまり、第１３実施形態の管理システム１が適用される例では、同一種類の複数の商品のそれぞれに基本的に同一の文字パターンが付されている。
【０１５９】
図７は文字パターンが付された商品の一例などを示す図である。詳細には、図７（Ａ）は文字パターンが付された商品の斜視図である。図７（Ｂ）および図７（Ｃ）は商品に付された文字パターンを比較して示した図である。詳細には、図７（Ｂ）は商品に付された文字パターンの印刷ゆらぎが大きい例を示しており、図７（Ｃ）は商品に付された文字パターンの印刷ゆらぎが小さい例を示している。
本発明者等の鋭意研究において、商品に付された文字パターンの印刷によるわずかな個体差を用いる（画像認証技術で個体識別する）ことによっても、ＪＡＮコードの印刷によるわずかな個体差を用いる場合と同様に、同一種類の複数の商品のそれぞれを識別できることが見い出された。
つまり、図７に示す例では、カメラ部１２Ａによって図７（Ｂ）に示す文字パターンの画像と図７（Ｃ）に示す文字パターンの画像とを撮影することにより、図７（Ｂ）に示す文字パターンが付された商品と、図７（Ｃ）に示す文字パターンが付された商品とを識別することができる。
すなわち、図７に示す例では、商品に付された文字パターン（詳細には、文字パターンの画像）が、同一種類の複数の商品のそれぞれを個体識別するための個体識別情報として用いられる。
【０１６０】
第１３実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付された文字パターンの画像を撮影する。一方、そのＪＡＮコードが付された商品がキャンペーン対象商品ではない場合、カメラ部１２Ａは、その商品に付された文字パターンの画像を撮影しない。
【０１６１】
第１３実施形態の管理システム１では、撮影装置１２の処理部１２Ｂの特徴点データ変換部１２Ｂ２が、カメラ部１２Ａによって撮影された文字パターンの画像（例えばｐｎｇファイル、ｊｐｅｇファイル、ｂｍｐファイルなど）を変換して第１特徴点データを生成する。
図７（Ｂ）に示す例では、特徴点データ変換部１２Ｂ２が、図７（Ｂ）に示す文字パターンの画像から、文字パターンの印刷時に発生した文字パターンの個体差（印刷ゆらぎ）を特徴点として抽出し、その特徴点をデータ化（数値化）したものである第１特徴点データを生成する。
図７（Ｃ）に示す例では、特徴点データ変換部１２Ｂ２が、図７（Ｃ）に示す文字パターンの画像から、文字パターンの印刷時に発生した文字パターンの個体差（印刷ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品に付された文字パターンの画像から生成される。ＪＡＮコードリーダ部１１Ａによって読み取られたＪＡＮコードが付された商品が、キャンペーン対象商品ではない場合、その商品に付された文字パターンの画像から第１特徴点データは生成されない。
【０１６２】
第１３実施形態の管理システム１では、ユーザ端末１４の撮影部１４Ａが、ユーザの操作に応じて、ユーザによって正規に購入された商品に付された文字パターンの画像を撮影する。
ユーザ端末１４の通信部１４Ｃは、撮影部１４Ａによって撮影された文字パターンの画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品に付された文字パターンの画像を撮影する。通信部１４Ｃは、撮影部１４Ａによって撮影された文字パターンの画像をサーバ１３に送信する。その結果、その商品のキャンペーンに対するユーザによる応募手続が完了する。
【０１６３】
第１３実施形態の管理システム１では、サーバ１３のデータ管理部１３Ａの特徴点データ変換部１３Ａ１が、ユーザ端末１４の撮影部１４Ａによって撮影された文字パターンの画像を変換して第２特徴点データを生成する。特徴点データ変換部１３Ａ１は、文字パターンの画像から、文字パターンの印刷時に発生した文字パターンの個体差（印刷ゆらぎ）を特徴点として抽出し、その特徴点をデータ化したものである第２特徴点データを生成する。
【０１６４】
第１３実施形態の管理システム１では、サーバ１３のデータ管理部１３Ａの処理部１３Ａ３が、撮影装置１２のカメラ部１２Ａによって撮影された文字パターンの画像から生成された第１特徴点データと、ユーザ端末１４の撮影部１４Ａによって撮影された文字パターンの画像から生成された第２特徴点データとが合致するか否かの判定を行う。つまり、処理部１３Ａ３は、撮影装置１２のカメラ部１２Ａによって撮影された文字パターンの画像と、ユーザ端末１４の撮影部１４Ａによって撮影された文字パターンの画像とのマッチングを行う。
詳細には、サーバ１３が、ユーザ端末１４の撮影部１４Ａによって撮影された文字パターンの画像をユーザ端末１４から受信し、特徴点データ変換部１３Ａ１が、その文字パターンの画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【０１６５】
また、処理部１３Ａ３は、上述したマッチングの結果に基づいて、撮影装置１２のカメラ部１２Ａによって撮影された文字パターンが付された商品と、ユーザ端末１４の撮影部１４Ａによって撮影された文字パターンが付された商品とが同一であるか否かの判定を行う。
詳細には、撮影装置１２のカメラ部１２Ａによって撮影された文字パターンの画像から生成された第１特徴点データと、ユーザ端末１４の撮影部１４Ａによって撮影された文字パターンの画像から生成された第２特徴点データとが合致する場合に、処理部１３Ａ３は、撮影装置１２のカメラ部１２Ａによって撮影された文字パターンが付された商品と、ユーザ端末１４の撮影部１４Ａによって撮影された文字パターンが付された商品とが同一であると判定する。
撮影装置１２のカメラ部１２Ａによって撮影された文字パターンが付された商品と、ユーザ端末１４の撮影部１４Ａによって撮影された文字パターンが付された商品とが同一である場合、処理部１３Ａ３は、ユーザによる応募手続が適正な応募手続であると判定する。
【０１６６】
第１３実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された文字パターンが付された商品と撮影部１４Ａによって撮影された文字パターンが付された商品とが同一であるか否かの判定結果、タイムスタンプなどが含まれる。
【０１６７】
第１３実施形態の管理システム１では、サーバ１３のデータ管理部１３Ａの通信部１３Ａ４が、ユーザ端末１４の撮影部１４Ａによって撮影された文字パターンの画像をユーザ端末１４から受信する。
【０１６８】
第１３実施形態の管理システム１では、サーバ１３の抽選管理部１３Ｂの抽選データベース１３Ｂ１に、撮影装置１２のカメラ部１２Ａによって撮影された文字パターンの画像から生成された第１特徴点データと、ユーザ端末１４の撮影部１４Ａによって撮影された文字パターンの画像から生成された第２特徴点データとが合致するか否かの判定結果が格納される。
【０１６９】
第１３実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された文字パターンが付された商品と撮影部１４Ａによって撮影された文字パターンが付された商品とが同一であるか否か（適正な応募手続であるか否か）の判定結果、抽選処理の結果（当選したか否かの判定結果）、タイムスタンプなどが含まれる。
【０１７０】
上述したように、第１３実施形態の管理システム１では、ユーザによって販売店で正規に購入された商品が有する個体識別情報としての文字パターンの画像が、販売店側個体識別情報検出部として機能する撮影装置１２のカメラ部１２Ａによって撮影（検出）される。また、その商品が有する個体識別情報としての文字パターンの画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての文字パターンの画像と、ユーザ側個体識別情報検出部（撮影部１４Ａ）によって検出された個体識別情報としての文字パターンの画像とに基づいて、販売店側個体識別情報検出部によって検出された個体識別情報としての文字パターンを有する商品と、ユーザ側個体識別情報検出部によって検出された個体識別情報としての文字パターンを有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての文字パターンを有する商品とユーザ側個体識別情報検出部（撮影部１４Ａ）によって検出された個体識別情報としての文字パターンを有する商品とが同一である場合、かつ、ユーザによって販売店で正規に購入された商品がキャンペーン対象商品である場合に、キャンペーンの抽選結果（当選または落選の結果）を出力する。
そのため、第１３実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０１７１】
また、第１３実施形態の管理システム１では、撮影装置１２の処理部１２Ｂの特徴点データ変換部１２Ｂ２が、販売店の撮影装置１２のカメラ部１２Ａによって撮影された個体識別情報としての文字パターンの画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての文字パターンの画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての文字パターンを有する商品と、ユーザ端末１４の撮影部１４Ａによって撮影された個体識別情報としての文字パターンを有する商品とが同一であると判定する。
つまり、第１３実施形態の管理システム１では、個体識別情報としての文字パターンの画像を用いることによって、個体識別情報としての文字パターンの同一性を判定し、その個体識別情報としての文字パターンを有する商品の同一性を判定することができる。
【０１７２】
また、第１３実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としての文字パターンの画像を撮影しない。
そのため、第１３実施形態の管理システム１では、キャンペーン対象商品ではない商品に付された個体識別情報としての文字パターンの画像を販売店の撮影装置１２のカメラ部１２Ａが撮影してしまう無駄を排除し、不要な作業コストおよびデータ送付コストの発生を回避することができる。
【０１７３】
また、第１３実施形態の管理システム１では、撮影装置１２の処理部１２Ｂの特徴点データ変換部１２Ｂ２が、販売店の撮影装置１２のカメラ部１２Ａによって撮影された個体識別情報としての文字パターンの画像から、文字パターンの印刷時に発生した文字パターンの個体差（印刷ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての文字パターンの画像から、文字パターンの印刷時に発生した文字パターンの個体差（印刷ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された文字パターンを有する商品と、ユーザ端末１４の撮影部１４Ａによって撮影された文字パターンを有する商品とが同一の商品であると判定する。
そのため、第１３実施形態の管理システム１では、同一の文字パターンが同一種類の複数の商品に付される場合であっても、商品に付された文字パターンを個体識別情報として用いて、同一種類の複数の商品のそれぞれを個体識別することができる。
【０１７４】
＜第１４実施形態＞
以下、本発明の管理システム、管理方法および個体識別情報検出装置の第１４実施形態について説明する。
第１４実施形態の管理システム１は、後述する点を除き、上述した第１３実施形態の管理システム１と同様に構成されている。従って、第１４実施形態の管理システム１によれば、後述する点を除き、上述した第１３実施形態の管理システム１と同様の効果を奏することができる。
【０１７５】
第１３実施形態の管理システム１が適用される例では、販売店において販売される同一種類の複数の商品が、基本的に同一の文字パターンを有している。ただし、複数の商品に付されている文字パターンのそれぞれが互いに異なる印刷ゆらぎを有する。
一方、第１４実施形態の管理システム１が適用される例では、販売店において販売される同一種類の複数の商品が、互いに異なる文字パターンを有している。
第１４実施形態の管理システム１では、第１３実施形態の管理システム１と同様に、カメラ部１２Ａは、ＪＡＮコードリーダ部１１ＡによってＪＡＮコードが読み取られた後に、そのＪＡＮコードが付されている商品に更に付された文字パターンの画像を撮影する。また、カメラ部１２Ａは、ユーザによって販売店で正規に購入された商品が有する個体識別情報（文字パターン）を販売店において検出する個体識別情報検出装置として機能する。
【０１７６】
上述したように、第１３実施形態の管理システム１では、撮影装置１２の処理部１２Ｂの特徴点データ変換部１２Ｂ２が、カメラ部１２Ａによって撮影された文字パターンの画像を変換して第１特徴点データを生成する。詳細には、特徴点データ変換部１２Ｂ２が、文字パターンの画像から、その文字パターンの印刷時に発生した文字パターンの個体差（印刷ゆらぎ）を特徴点として抽出し、その特徴点をデータ化したものである第１特徴点データを生成する。
一方、第１４実施形態の管理システム１では、撮影装置１２の処理部１２Ｂの特徴点データ変換部１２Ｂ２が、カメラ部１２Ａによって撮影された文字パターンの画像データを第１特徴点データとして生成する。
第１４実施形態の管理システム１では、第１３実施形態の管理システム１と同様に、ユーザ端末１４の撮影部１４Ａが、ユーザの操作に応じて、ユーザによって正規に購入された商品に付された文字パターンの画像を撮影する。
【０１７７】
上述したように、第１３実施形態の管理システム１では、サーバ１３のデータ管理部１３Ａの特徴点データ変換部１３Ａ１が、ユーザ端末１４の撮影部１４Ａによって撮影された文字パターンの画像を変換して第２特徴点データを生成する。詳細には、特徴点データ変換部１３Ａ１が、文字パターンの画像から、その文字パターンの印刷時に発生した文字パターンの個体差（印刷ゆらぎ）を特徴点として抽出し、その特徴点をデータ化したものである第２特徴点データを生成する。
一方、第１４実施形態の管理システム１では、サーバ１３のデータ管理部１３Ａの特徴点データ変換部１３Ａ１が、ユーザ端末１４の撮影部１４Ａによって撮影された文字パターンの画像データを第２特徴点データとして生成する。
第１４実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された文字パターンの画像データと、ユーザ端末１４の撮影部１４Ａによって撮影された文字パターンの画像データとが合致するか否かの判定を行う。また、処理部１３Ａ３は、第１特徴点データと第２特徴点データとが合致する場合に、撮影装置１２のカメラ部１２Ａによって撮影された文字パターンを有する商品と、ユーザ端末１４の撮影部１４Ａによって撮影された文字パターンを有する商品とが同一であると判定し、ユーザによる応募手続が適正な応募手続であると判定する。
【０１７８】
＜第１５実施形態＞
以下、本発明の管理システム、管理方法および個体識別情報検出装置の第１５実施形態について説明する。
第１５実施形態の管理システム１は、後述する点を除き、上述した第１４実施形態の管理システム１と同様に構成されている。従って、第１５実施形態の管理システム１によれば、後述する点を除き、上述した第１４実施形態の管理システム１と同様の効果を奏することができる。
【０１７９】
第１５実施形態の管理システム１が適用される例では、第１４実施形態の管理システム１が適用される例と同様に、販売店において販売される同一種類の複数の商品が、互いに異なる文字パターンを有している。
第１５実施形態の管理システム１では、第１４実施形態の管理システム１と同様に、カメラ部１２Ａは、ＪＡＮコードリーダ部１１ＡによってＪＡＮコードが読み取られた後に、そのＪＡＮコードが付されている商品に更に付された文字パターンの画像を撮影する。また、カメラ部１２Ａは、ユーザによって販売店で正規に購入された商品が有する個体識別情報（文字パターン）を販売店において検出する個体識別情報検出装置として機能する。
【０１８０】
上述したように、第１４実施形態の管理システム１では、撮影装置１２の処理部１２Ｂの特徴点データ変換部１２Ｂ２が、カメラ部１２Ａによって撮影された文字パターンの画像データを第１特徴点データとして生成する。
一方、第１５実施形態の管理システム１では、撮影装置１２の処理部１２Ｂの特徴点データ変換部１２Ｂ２が、カメラ部１２Ａによって撮影された文字パターンが有するテキスト情報（つまり、商品の情報）を第１特徴点データとして生成する。
【０１８１】
上述したように、第１４実施形態の管理システム１では、サーバ１３のデータ管理部１３Ａの特徴点データ変換部１３Ａ１が、ユーザ端末１４の撮影部１４Ａによって撮影された文字パターンの画像データを第２特徴点データとして生成する。
一方、第１５実施形態の管理システム１では、サーバ１３のデータ管理部１３Ａの特徴点データ変換部１３Ａ１が、ユーザ端末１４の撮影部１４Ａによって撮影された文字パターンが有するテキスト情報（つまり、商品の情報）を第２特徴点データとして生成する。
第１５実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された文字パターンが有するテキスト情報と、ユーザ端末１４の撮影部１４Ａによって撮影された文字パターンが有するテキスト情報とが合致するか否かの判定を行う。また、処理部１３Ａ３は、第１特徴点データと第２特徴点データとが合致する場合に、撮影装置１２のカメラ部１２Ａによって撮影された文字パターンが付された商品と、ユーザ端末１４の撮影部１４Ａによって撮影された文字パターンが付された商品とが同一であると判定し、ユーザによる応募手続が適正な応募手続であると判定する。
【０１８２】
＜第１６実施形態＞
以下、本発明の管理システム、管理方法および個体識別情報検出装置の第１６実施形態について説明する。
第１６実施形態の管理システム１は、後述する点を除き、上述した第１４実施形態の管理システム１と同様に構成されている。従って、第１６実施形態の管理システム１によれば、後述する点を除き、上述した第１４実施形態の管理システム１と同様の効果を奏することができる。
【０１８３】
第１６実施形態の管理システム１が適用される例では、第１４実施形態の管理システム１が適用される例と同様に、販売店において販売される同一種類の複数の商品が、互いに異なる文字パターンを有している。
第１６実施形態の管理システム１では、第１４実施形態の管理システム１と同様に、カメラ部１２Ａは、ＪＡＮコードリーダ部１１ＡによってＪＡＮコードが読み取られた後に、そのＪＡＮコードが付されている商品に更に付された文字パターンの画像を撮影する。また、カメラ部１２Ａは、ユーザによって販売店で正規に購入された商品が有する個体識別情報（文字パターン）を販売店において検出する個体識別情報検出装置として機能する。
【０１８４】
上述したように、第１４実施形態の管理システム１では、撮影装置１２の処理部１２Ｂの特徴点データ変換部１２Ｂ２が、カメラ部１２Ａによって撮影された文字パターンの画像データを第１特徴点データとして生成する。
一方、第１６実施形態の管理システム１では、撮影装置１２の処理部１２Ｂの特徴点データ変換部１２Ｂ２が、カメラ部１２Ａによって撮影された文字パターンの画像データと、カメラ部１２Ａによって撮影された文字パターンが有するテキスト情報（つまり、商品の情報）とを含むものである第１特徴点データを生成する。
【０１８５】
上述したように、第１４実施形態の管理システム１では、サーバ１３のデータ管理部１３Ａの特徴点データ変換部１３Ａ１が、ユーザ端末１４の撮影部１４Ａによって撮影された文字パターンの画像データを第２特徴点データとして生成する。
一方、第１６実施形態の管理システム１では、サーバ１３のデータ管理部１３Ａの特徴点データ変換部１３Ａ１が、ユーザ端末１４の撮影部１４Ａによって撮影された文字パターンの画像データと、ユーザ端末１４の撮影部１４Ａによって撮影された文字パターンが有するテキスト情報（つまり、商品の情報）とを含むものである第２特徴点データを生成する。
第１６実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された文字パターンの画像データおよび撮影装置１２のカメラ部１２Ａによって撮影された文字パターンが有するテキスト情報と、ユーザ端末１４の撮影部１４Ａによって撮影された文字パターンの画像データおよびユーザ端末１４の撮影部１４Ａによって撮影された文字パターンが有するテキスト情報とが合致するか否かの判定を行う。また、処理部１３Ａ３は、第１特徴点データと第２特徴点データとが合致する場合に、撮影装置１２のカメラ部１２Ａによって撮影された文字パターンが付された商品と、ユーザ端末１４の撮影部１４Ａによって撮影された文字パターンが付された商品とが同一であると判定し、ユーザによる応募手続が適正な応募手続であると判定する。
【０１８６】
＜第１７実施形態＞
以下、本発明の管理システム、管理方法および個体識別情報検出装置の第１７実施形態について、添付図面を参照して説明する。
第１７実施形態の管理システム１は、後述する点を除き、上述した第１実施形態の管理システム１と同様に構成されている。従って、第１７実施形態の管理システム１によれば、後述する点を除き、上述した第１実施形態の管理システム１と同様の効果を奏することができる。
【０１８７】
第１７実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第１７実施形態の管理システム１では、撮影装置１２のカメラ部１２Ａが、ＪＡＮコードリーダ部１１ＡによってＪＡＮコードが読み取られた後に、そのＪＡＮコードが付されている商品に更に付されている印刷物（「印刷物」には、立体印刷物、ラメインキ印刷物なども含まれる）の画像を撮影する。
つまり、第１７実施形態の管理システム１が適用される例では、同一種類の複数の商品のそれぞれに基本的に同一の印刷物が付されている。
【０１８８】
図８は印刷物が付された商品の一例などを示す図である。詳細には、図８（Ａ）は印刷物が付された商品の斜視図である。図８（Ｂ）および図８（Ｃ）は商品に付された印刷物を比較して示した図である。詳細には、図８（Ｂ）は商品に付された印刷物の印刷ゆらぎ（形状ゆらぎ）が大きい例を示しており、図８（Ｃ）は商品に付された印刷物の印刷ゆらぎ（形状ゆらぎ）が小さい例を示している。
本発明者等の鋭意研究において、商品に付された印刷物のわずかな個体差を用いる（画像認証技術で個体識別する）ことによっても、ＪＡＮコードの印刷によるわずかな個体差を用いる場合と同様に、同一種類の複数の商品のそれぞれを識別できることが見い出された。
つまり、図８に示す例では、カメラ部１２Ａによって図８（Ｂ）に示す印刷物の画像と図８（Ｃ）に示す印刷物の画像とを撮影することにより、図８（Ｂ）に示す印刷物が付された商品と、図８（Ｃ）に示す印刷物が付された商品とを識別することができる。
すなわち、図８に示す例では、商品に付された印刷物（詳細には、印刷物の画像）が、同一種類の複数の商品のそれぞれを個体識別するための個体識別情報として用いられる。
【０１８９】
第１７実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付された印刷物の画像を撮影する。一方、そのＪＡＮコードが付された商品がキャンペーン対象商品ではない場合、カメラ部１２Ａは、その商品に付された印刷物の画像を撮影しない。
【０１９０】
第１７実施形態の管理システム１では、撮影装置１２の処理部１２Ｂの特徴点データ変換部１２Ｂ２が、カメラ部１２Ａによって撮影された印刷物の画像（例えばｐｎｇファイル、ｊｐｅｇファイル、ｂｍｐファイルなど）を変換して第１特徴点データを生成する。
図８（Ｂ）に示す例では、特徴点データ変換部１２Ｂ２が、図８（Ｂ）に示す印刷物の画像から、印刷物の作成時に発生した印刷物の個体差（印刷ゆらぎ）を特徴点として抽出し、その特徴点をデータ化（数値化）したものである第１特徴点データを生成する。
図８（Ｃ）に示す例では、特徴点データ変換部１２Ｂ２が、図８（Ｃ）に示す印刷物の画像から、印刷物の作成時に発生した印刷物の個体差（印刷ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品に付された印刷物の画像から生成される。ＪＡＮコードリーダ部１１Ａによって読み取られたＪＡＮコードが付された商品が、キャンペーン対象商品ではない場合、その商品に付された印刷物の画像から第１特徴点データは生成されない。
【０１９１】
第１７実施形態の管理システム１では、ユーザ端末１４の撮影部１４Ａが、ユーザの操作に応じて、ユーザによって正規に購入された商品に付された印刷物の画像を撮影する。
ユーザ端末１４の通信部１４Ｃは、撮影部１４Ａによって撮影された印刷物の画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品に付された印刷物の画像を撮影する。通信部１４Ｃは、撮影部１４Ａによって撮影された印刷物の画像をサーバ１３に送信する。その結果、その商品のキャンペーンに対するユーザによる応募手続が完了する。
【０１９２】
第１７実施形態の管理システム１では、サーバ１３のデータ管理部１３Ａの特徴点データ変換部１３Ａ１が、ユーザ端末１４の撮影部１４Ａによって撮影された印刷物の画像を変換して第２特徴点データを生成する。特徴点データ変換部１３Ａ１は、印刷物の画像から、印刷物の作成時に発生した印刷物の個体差（印刷ゆらぎ）を特徴点として抽出し、その特徴点をデータ化したものである第２特徴点データを生成する。
【０１９３】
第１７実施形態の管理システム１では、サーバ１３のデータ管理部１３Ａの処理部１３Ａ３が、撮影装置１２のカメラ部１２Ａによって撮影された印刷物の画像から生成された第１特徴点データと、ユーザ端末１４の撮影部１４Ａによって撮影された印刷物の画像から生成された第２特徴点データとが合致するか否かの判定を行う。つまり、処理部１３Ａ３は、撮影装置１２のカメラ部１２Ａによって撮影された印刷物の画像と、ユーザ端末１４の撮影部１４Ａによって撮影された印刷物の画像とのマッチングを行う。
詳細には、サーバ１３が、ユーザ端末１４の撮影部１４Ａによって撮影された印刷物の画像をユーザ端末１４から受信し、特徴点データ変換部１３Ａ１が、その印刷物の画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【０１９４】
また、処理部１３Ａ３は、上述したマッチングの結果に基づいて、撮影装置１２のカメラ部１２Ａによって撮影された印刷物が付された商品と、ユーザ端末１４の撮影部１４Ａによって撮影された印刷物が付された商品とが同一であるか否かの判定を行う。
詳細には、撮影装置１２のカメラ部１２Ａによって撮影された印刷物の画像から生成された第１特徴点データと、ユーザ端末１４の撮影部１４Ａによって撮影された印刷物の画像から生成された第２特徴点データとが合致する場合に、処理部１３Ａ３は、撮影装置１２のカメラ部１２Ａによって撮影された印刷物が付された商品と、ユーザ端末１４の撮影部１４Ａによって撮影された印刷物が付された商品とが同一であると判定する。
撮影装置１２のカメラ部１２Ａによって撮影された印刷物が付された商品と、ユーザ端末１４の撮影部１４Ａによって撮影された印刷物が付された商品とが同一である場合、処理部１３Ａ３は、ユーザによる応募手続が適正な応募手続であると判定する。
【０１９５】
第１７実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された印刷物が付された商品と撮影部１４Ａによって撮影された印刷物が付された商品とが同一であるか否かの判定結果、タイムスタンプなどが含まれる。
【０１９６】
第１７実施形態の管理システム１では、サーバ１３のデータ管理部１３Ａの通信部１３Ａ４が、ユーザ端末１４の撮影部１４Ａによって撮影された印刷物の画像をユーザ端末１４から受信する。
【０１９７】
第１７実施形態の管理システム１では、サーバ１３の抽選管理部１３Ｂの抽選データベース１３Ｂ１に、撮影装置１２のカメラ部１２Ａによって撮影された印刷物の画像から生成された第１特徴点データと、ユーザ端末１４の撮影部１４Ａによって撮影された印刷物の画像から生成された第２特徴点データとが合致するか否かの判定結果が格納される。
【０１９８】
第１７実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された印刷物が付された商品と撮影部１４Ａによって撮影された印刷物が付された商品とが同一であるか否か（適正な応募手続であるか否か）の判定結果、抽選処理の結果（当選したか否かの判定結果）、タイムスタンプなどが含まれる。
【０１９９】
上述したように、第１７実施形態の管理システム１では、ユーザによって販売店で正規に購入された商品が有する個体識別情報としての印刷物の画像が、販売店側個体識別情報検出部として機能する撮影装置１２のカメラ部１２Ａによって撮影（検出）される。また、その商品が有する個体識別情報としての印刷物の画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての印刷物の画像と、ユーザ側個体識別情報検出部（撮影部１４Ａ）によって検出された個体識別情報としての印刷物の画像とに基づいて、販売店側個体識別情報検出部によって検出された個体識別情報としての印刷物を有する商品と、ユーザ側個体識別情報検出部によって検出された個体識別情報としての印刷物を有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての印刷物を有する商品とユーザ側個体識別情報検出部（撮影部１４Ａ）によって検出された個体識別情報としての印刷物を有する商品とが同一である場合、かつ、ユーザによって販売店で正規に購入された商品がキャンペーン対象商品である場合に、キャンペーンの抽選結果（当選または落選の結果）を出力する。
そのため、第１７実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０２００】
また、第１７実施形態の管理システム１では、撮影装置１２の処理部１２Ｂの特徴点データ変換部１２Ｂ２が、販売店の撮影装置１２のカメラ部１２Ａによって撮影された個体識別情報としての印刷物の画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての印刷物の画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての印刷物を有する商品と、ユーザ端末１４の撮影部１４Ａによって撮影された個体識別情報としての印刷物を有する商品とが同一であると判定する。
つまり、第１７実施形態の管理システム１では、個体識別情報としての印刷物の画像を用いることによって、個体識別情報としての印刷物の同一性を判定し、その個体識別情報としての印刷物を有する商品の同一性を判定することができる。
【０２０１】
また、第１７実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としての印刷物の画像を撮影しない。
そのため、第１７実施形態の管理システム１では、キャンペーン対象商品ではない商品に付された個体識別情報としての印刷物の画像を販売店の撮影装置１２のカメラ部１２Ａが撮影してしまう無駄を排除し、不要な作業コストおよびデータ送付コストの発生を回避することができる。
【０２０２】
また、第１７実施形態の管理システム１では、撮影装置１２の処理部１２Ｂの特徴点データ変換部１２Ｂ２が、販売店の撮影装置１２のカメラ部１２Ａによって撮影された個体識別情報としての印刷物の画像から、印刷物の作成時に発生した印刷物の個体差（印刷ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての印刷物の画像から、印刷物の作成時に発生した印刷物の個体差（印刷ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された印刷物を有する商品と、ユーザ端末１４の撮影部１４Ａによって撮影された印刷物を有する商品とが同一の商品であると判定する。
そのため、第１７実施形態の管理システム１では、同一の印刷物が同一種類の複数の商品に付される場合であっても、商品に付された印刷物を個体識別情報として用いて、同一種類の複数の商品のそれぞれを個体識別することができる。
【０２０３】
＜第１８実施形態＞
以下、本発明の管理システム、管理方法および個体識別情報検出装置の第１８実施形態について説明する。
第１８実施形態の管理システム１は、後述する点を除き、上述した第１７実施形態の管理システム１と同様に構成されている。従って、第１８実施形態の管理システム１によれば、後述する点を除き、上述した第１７実施形態の管理システム１と同様の効果を奏することができる。
【０２０４】
第１７実施形態の管理システム１が適用される例では、販売店において販売される同一種類の複数の商品が、基本的に同一の印刷物を有している。ただし、複数の商品に付されている印刷物のそれぞれが互いに異なる印刷ゆらぎを有する。
一方、第１８実施形態の管理システム１が適用される例では、販売店において販売される同一種類の複数の商品が、互いに異なる印刷物を有している。
第１８実施形態の管理システム１では、第１７実施形態の管理システム１と同様に、カメラ部１２Ａは、ＪＡＮコードリーダ部１１ＡによってＪＡＮコードが読み取られた後に、そのＪＡＮコードが付されている商品に更に付された印刷物の画像を撮影する。また、カメラ部１２Ａは、ユーザによって販売店で正規に購入された商品が有する個体識別情報（印刷物）を販売店において検出する個体識別情報検出装置として機能する。
【０２０５】
上述したように、第１７実施形態の管理システム１では、撮影装置１２の処理部１２Ｂの特徴点データ変換部１２Ｂ２が、カメラ部１２Ａによって撮影された印刷物の画像を変換して第１特徴点データを生成する。詳細には、特徴点データ変換部１２Ｂ２が、印刷物の画像から、その印刷物の作成時に発生した印刷物の個体差（印刷ゆらぎ）を特徴点として抽出し、その特徴点をデータ化したものである第１特徴点データを生成する。
一方、第１８実施形態の管理システム１では、撮影装置１２の処理部１２Ｂの特徴点データ変換部１２Ｂ２が、カメラ部１２Ａによって撮影された印刷物の画像データを第１特徴点データとして生成する。
第１８実施形態の管理システム１では、第１７実施形態の管理システム１と同様に、ユーザ端末１４の撮影部１４Ａが、ユーザの操作に応じて、ユーザによって正規に購入された商品に付された印刷物の画像を撮影する。
【０２０６】
上述したように、第１７実施形態の管理システム１では、サーバ１３のデータ管理部１３Ａの特徴点データ変換部１３Ａ１が、ユーザ端末１４の撮影部１４Ａによって撮影された印刷物の画像を変換して第２特徴点データを生成する。詳細には、特徴点データ変換部１３Ａ１が、印刷物の画像から、その印刷物の作成時に発生した印刷物の個体差（印刷ゆらぎ）を特徴点として抽出し、その特徴点をデータ化したものである第２特徴点データを生成する。
一方、第１８実施形態の管理システム１では、サーバ１３のデータ管理部１３Ａの特徴点データ変換部１３Ａ１が、ユーザ端末１４の撮影部１４Ａによって撮影された印刷物の画像データを第２特徴点データとして生成する。
第１８実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された印刷物の画像データと、ユーザ端末１４の撮影部１４Ａによって撮影された印刷物の画像データとが合致するか否かの判定を行う。また、処理部１３Ａ３は、第１特徴点データと第２特徴点データとが合致する場合に、撮影装置１２のカメラ部１２Ａによって撮影された印刷物を有する商品と、ユーザ端末１４の撮影部１４Ａによって撮影された印刷物を有する商品とが同一であると判定し、ユーザによる応募手続が適正な応募手続であると判定する。
【０２０７】
＜第１９実施形態＞
以下、本発明の管理システム、管理方法および個体識別情報検出装置の第１９実施形態について、添付図面を参照して説明する。
第１９実施形態の管理システム１は、後述する点を除き、上述した第１実施形態の管理システム１と同様に構成されている。従って、第１９実施形態の管理システム１によれば、後述する点を除き、上述した第１実施形態の管理システム１と同様の効果を奏することができる。
【０２０８】
第１９実施形態の管理システム１は、図１に示す第１実施形態の管理システム１と同様に構成されている。
第１実施形態の管理システム１では、撮影装置１２のカメラ部１２Ａが、ＪＡＮコードリーダ部１１ＡによってＪＡＮコードが読み取られた後に、そのＪＡＮコードの画像を撮影するが、第１９実施形態の管理システム１では、撮影装置１２のカメラ部１２Ａが、ＪＡＮコードリーダ部１１ＡによってＪＡＮコードが読み取られた後に、そのＪＡＮコードが付されている商品に電子透かしとして埋め込み印刷されている埋め込み印刷部の画像を撮影する。
つまり、第１９実施形態の管理システム１が適用される例では、同一種類の複数の商品のそれぞれに基本的に同一の埋め込み印刷部が付されている。
【０２０９】
図９は埋め込み印刷部が付された商品の一例などを示す図である。詳細には、図９（Ａ）は埋め込み印刷部が付された商品を肉眼で見た斜視図である。図９（Ｂ）および図９（Ｃ）は撮影された埋め込み印刷部を比較して示した図である。詳細には、図９（Ｂ）は商品に付された埋め込み印刷部の印刷ゆらぎ（形状ゆらぎ）が大きい例を示しており、図９（Ｃ）は商品に付された埋め込み印刷部の印刷ゆらぎ（形状ゆらぎ）が小さい例を示している。
電子透かしとして埋め込み印刷された埋め込み印刷部は、図９（Ａ）に示すように、肉眼によっては視認することができず、図９（Ｂ）および図９（Ｃ）に示すように、カメラを介することによって確認できるようになる。電子透かしとしての埋め込み印刷は、例えば特許第６２０１６５３号公報に記載された手法と同様の手法によって実現される。
本発明者等の鋭意研究において、商品に付された埋め込み印刷部のわずかな個体差を用いる（画像認証技術で個体識別する）ことによっても、ＪＡＮコードの印刷によるわずかな個体差を用いる場合と同様に、同一種類の複数の商品のそれぞれを識別できることが見い出された。
つまり、図９に示す例では、カメラ部１２Ａによって図９（Ｂ）に示す埋め込み印刷部の画像と図９（Ｃ）に示す埋め込み印刷部の画像とを撮影することにより、図９（Ｂ）に示す埋め込み印刷部が付された商品と、図９（Ｃ）に示す埋め込み印刷部が付された商品とを識別することができる。
すなわち、図９に示す例では、商品に付された埋め込み印刷部（詳細には、埋め込み印刷部の画像）が、同一種類の複数の商品のそれぞれを個体識別するための個体識別情報として用いられる。
【０２１０】
第１９実施形態の管理システム１では、キャンペーンマスタ照合部１２Ｂ１が、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、カメラ部１２Ａは、その商品に付された埋め込み印刷部の画像を撮影する。一方、そのＪＡＮコードが付された商品がキャンペーン対象商品ではない場合、カメラ部１２Ａは、その商品に付された埋め込み印刷部の画像を撮影しない。
【０２１１】
第１９実施形態の管理システム１では、撮影装置１２の処理部１２Ｂの特徴点データ変換部１２Ｂ２が、カメラ部１２Ａによって撮影された埋め込み印刷部の画像（例えばｐｎｇファイル、ｊｐｅｇファイル、ｂｍｐファイルなど）を変換して第１特徴点データを生成する。
図９（Ｂ）に示す例では、特徴点データ変換部１２Ｂ２が、図９（Ｂ）に示す埋め込み印刷部の画像から、埋め込み印刷部の印刷時に発生した埋め込み印刷部の個体差（印刷ゆらぎ）を特徴点として抽出し、その特徴点をデータ化（数値化）したものである第１特徴点データを生成する。
図９（Ｃ）に示す例では、特徴点データ変換部１２Ｂ２が、図９（Ｃ）に示す埋め込み印刷部の画像から、埋め込み印刷部の印刷時に発生した埋め込み印刷部の個体差（印刷ゆらぎ）を特徴点として抽出し、その特徴点をデータ化したものである第１特徴点データを生成する。
つまり、第１特徴点データは、ＪＡＮコードリーダ部１１Ａによって読み取られたＪＡＮコードが付された商品が、キャンペーン対象商品である場合に、その商品に付された埋め込み印刷部の画像から生成される。ＪＡＮコードリーダ部１１Ａによって読み取られたＪＡＮコードが付された商品が、キャンペーン対象商品ではない場合、その商品に付された埋め込み印刷部の画像から第１特徴点データは生成されない。
【０２１２】
第１９実施形態の管理システム１では、ユーザ端末１４の撮影部１４Ａが、ユーザの操作に応じて、ユーザによって正規に購入された商品に付された埋め込み印刷部の画像を撮影する。
ユーザ端末１４の通信部１４Ｃは、撮影部１４Ａによって撮影された埋め込み印刷部の画像をサーバ１３に送信する。
詳細には、購入した商品のキャンペーンに応募しようとするユーザは、ユーザ端末１４の撮影部１４Ａを操作する。その操作に応じて、撮影部１４Ａが、その商品に付された埋め込み印刷部の画像を撮影する。通信部１４Ｃは、撮影部１４Ａによって撮影された埋め込み印刷部の画像をサーバ１３に送信する。その結果、その商品のキャンペーンに対するユーザによる応募手続が完了する。
【０２１３】
第１９実施形態の管理システム１では、サーバ１３のデータ管理部１３Ａの特徴点データ変換部１３Ａ１が、ユーザ端末１４の撮影部１４Ａによって撮影された埋め込み印刷部の画像を変換して第２特徴点データを生成する。特徴点データ変換部１３Ａ１は、埋め込み印刷部の画像から、埋め込み印刷部の印刷時に発生した埋め込み印刷部の個体差（印刷ゆらぎ）を特徴点として抽出し、その特徴点をデータ化したものである第２特徴点データを生成する。
【０２１４】
第１９実施形態の管理システム１では、サーバ１３のデータ管理部１３Ａの処理部１３Ａ３が、撮影装置１２のカメラ部１２Ａによって撮影された埋め込み印刷部の画像から生成された第１特徴点データと、ユーザ端末１４の撮影部１４Ａによって撮影された埋め込み印刷部の画像から生成された第２特徴点データとが合致するか否かの判定を行う。つまり、処理部１３Ａ３は、撮影装置１２のカメラ部１２Ａによって撮影された埋め込み印刷部の画像と、ユーザ端末１４の撮影部１４Ａによって撮影された埋め込み印刷部の画像とのマッチングを行う。
詳細には、サーバ１３が、ユーザ端末１４の撮影部１４Ａによって撮影された埋め込み印刷部の画像をユーザ端末１４から受信し、特徴点データ変換部１３Ａ１が、その埋め込み印刷部の画像から第２特徴点データを生成した場合に、処理部１３Ａ３は、その第２特徴点データに合致する特徴点データ（第１特徴点データ）が、特徴点データベース１３Ａ２に格納されているか否かの判定を行う。
【０２１５】
また、処理部１３Ａ３は、上述したマッチングの結果に基づいて、撮影装置１２のカメラ部１２Ａによって撮影された埋め込み印刷部が付された商品と、ユーザ端末１４の撮影部１４Ａによって撮影された埋め込み印刷部が付された商品とが同一であるか否かの判定を行う。
詳細には、撮影装置１２のカメラ部１２Ａによって撮影された埋め込み印刷部の画像から生成された第１特徴点データと、ユーザ端末１４の撮影部１４Ａによって撮影された埋め込み印刷部の画像から生成された第２特徴点データとが合致する場合に、処理部１３Ａ３は、撮影装置１２のカメラ部１２Ａによって撮影された埋め込み印刷部が付された商品と、ユーザ端末１４の撮影部１４Ａによって撮影された埋め込み印刷部が付された商品とが同一であると判定する。
撮影装置１２のカメラ部１２Ａによって撮影された埋め込み印刷部が付された商品と、ユーザ端末１４の撮影部１４Ａによって撮影された埋め込み印刷部が付された商品とが同一である場合、処理部１３Ａ３は、ユーザによる応募手続が適正な応募手続であると判定する。
【０２１６】
第１９実施形態の管理システム１では、特徴点管理データに、例えば、管理番号、第１特徴点データ、第２特徴点データ、ＪＡＮコードリーダ部１１Ａによって読み取られたＪＡＮコードの情報、カメラ部１２Ａによって撮影された埋め込み印刷部が付された商品と撮影部１４Ａによって撮影された埋め込み印刷部が付された商品とが同一であるか否かの判定結果、タイムスタンプなどが含まれる。
【０２１７】
第１９実施形態の管理システム１では、サーバ１３のデータ管理部１３Ａの通信部１３Ａ４が、ユーザ端末１４の撮影部１４Ａによって撮影された埋め込み印刷部の画像をユーザ端末１４から受信する。
【０２１８】
第１９実施形態の管理システム１では、サーバ１３の抽選管理部１３Ｂの抽選データベース１３Ｂ１に、撮影装置１２のカメラ部１２Ａによって撮影された埋め込み印刷部の画像から生成された第１特徴点データと、ユーザ端末１４の撮影部１４Ａによって撮影された埋め込み印刷部の画像から生成された第２特徴点データとが合致するか否かの判定結果が格納される。
【０２１９】
第１９実施形態の管理システム１では、サーバ１３の抽選管理部１３Ｂの処理部１３Ｂ２が、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、カメラ部１２Ａによって撮影された埋め込み印刷部が付された商品と撮影部１４Ａによって撮影された埋め込み印刷部が付された商品とが同一であるか否か（適正な応募手続であるか否か）の判定結果、抽選処理の結果（当選したか否かの判定結果）、タイムスタンプなどが含まれる。
【０２２０】
上述したように、第１９実施形態の管理システム１では、ユーザによって販売店で正規に購入された商品が有する個体識別情報としての埋め込み印刷部の画像が、販売店側個体識別情報検出部として機能する撮影装置１２のカメラ部１２Ａによって撮影（検出）される。また、その商品が有する個体識別情報としての埋め込み印刷部の画像が、ユーザ側個体識別情報検出部として機能するユーザ端末１４の撮影部１４Ａによっても撮影（検出）される。
また、サーバ１３のデータ管理部１３Ａの処理部１３Ａ３は、販売店側個体識別情報検出部（カメラ部１２Ａ）によって検出された個体識別情報としての埋め込み印刷部の画像と、ユーザ側個体識別情報検出部（撮影部１４Ａ）によって検出された個体識別情報としての埋め込み印刷部の画像とに基づいて、販売店側個体識別情報検出部によって検出された個体識別情報としての埋め込み印刷部を有する商品と、ユーザ側個体識別情報検出部によって検出された個体識別情報としての埋め込み印刷部を有する商品とが同一であるか否かを判定する。
また、撮影装置１２の処理部１２Ｂのキャンペーンマスタ照合部１２Ｂ１は、ユーザによって販売店で正規に購入された商品がキャンペーン対象商品であるか否かを判定する。
また、サーバ１３の抽選管理部１３Ｂの処理部１３Ｂ２は、販売店側個体識別情報検出部（カメラ部１２Ａ）によって検出された個体識別情報としての埋め込み印刷部を有する商品とユーザ側個体識別情報検出部（撮影部１４Ａ）によって検出された個体識別情報としての埋め込み印刷部を有する商品とが同一である場合、かつ、ユーザによって販売店で正規に購入された商品がキャンペーン対象商品である場合に、キャンペーンの抽選結果（当選または落選の結果）を出力する。
そのため、第１９実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０２２１】
また、第１９実施形態の管理システム１では、撮影装置１２の処理部１２Ｂの特徴点データ変換部１２Ｂ２が、販売店の撮影装置１２のカメラ部１２Ａによって撮影された個体識別情報としての埋め込み印刷部の画像を変換して第１特徴点データを生成する。
また、サーバ１３のデータ管理部１３Ａの特徴点データ変換部１３Ａ１は、ユーザ端末１４の撮影部１４Ａによって撮影された個体識別情報としての埋め込み印刷部の画像を変換して第２特徴点データを生成する。
また、データ管理部１３Ａの処理部１３Ａ３は、第１特徴点データと第２特徴点データとが合致する場合に、販売店の撮影装置１２のカメラ部１２Ａによって撮影された個体識別情報としての埋め込み印刷部を有する商品と、ユーザ端末１４の撮影部１４Ａによって撮影された個体識別情報としての埋め込み印刷部を有する商品とが同一であると判定する。
つまり、第１９実施形態の管理システム１では、個体識別情報としての埋め込み印刷部の画像を用いることによって、個体識別情報としての埋め込み印刷部の同一性を判定し、その個体識別情報としての埋め込み印刷部を有する商品の同一性を判定することができる。
【０２２２】
また、第１９実施形態の管理システム１では、ＰＯＳレジスタ１１のＪＡＮコードリーダ部１１Ａが、販売店においてユーザに販売される商品に付されたＪＡＮコードを読み取る。また、撮影装置１２の処理部１２Ｂのキャンペーンマスタ照合部１２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部１２Ｂ１が判定する場合に、販売店の撮影装置１２のカメラ部１２Ａは、その商品に付された個体識別情報としての埋め込み印刷部の画像を撮影しない。
そのため、第１９実施形態の管理システム１では、キャンペーン対象商品ではない商品に付された個体識別情報としての埋め込み印刷部の画像を販売店の撮影装置１２のカメラ部１２Ａが撮影してしまう無駄を排除し、不要な作業コストおよびデータ送付コストの発生を回避することができる。
【０２２３】
また、第１９実施形態の管理システム１では、撮影装置１２の処理部１２Ｂの特徴点データ変換部１２Ｂ２が、販売店の撮影装置１２のカメラ部１２Ａによって撮影された個体識別情報としての埋め込み印刷部の画像から、埋め込み印刷部の印刷時に発生した埋め込み印刷部の個体差（印刷ゆらぎ）を特徴点として抽出し、その特徴点をデータ化（数値化）したものである第１特徴点データを生成する。
また、サーバ１３のデータ管理部１３Ａの特徴点データ変換部１３Ａ１は、ユーザ端末１４の撮影部１４Ａによって撮影された個体識別情報としての埋め込み印刷部の画像から、埋め込み印刷部の印刷時に発生した埋め込み印刷部の個体差（印刷ゆらぎ）を特徴点として抽出し、その特徴点をデータ化したものである第２特徴点データを生成する。
また、サーバ１３のデータ管理部１３Ａの処理部１３Ａ３は、第１特徴点データと第２特徴点データとが合致する場合に、販売店の撮影装置１２のカメラ部１２Ａによって撮影された埋め込み印刷部を有する商品と、ユーザ端末１４の撮影部１４Ａによって撮影された埋め込み印刷部を有する商品とが同一の商品であると判定する。
そのため、第１９実施形態の管理システム１では、同一の埋め込み印刷部が同一種類の複数の商品に付される場合であっても、商品に付された埋め込み印刷部を個体識別情報として用いて、同一種類の複数の商品のそれぞれを個体識別することができる。
【０２２４】
＜第２０実施形態＞
以下、本発明の管理システム、管理方法および個体識別情報検出装置の第２０実施形態について説明する。
第２０実施形態の管理システム１は、後述する点を除き、上述した第１９実施形態の管理システム１と同様に構成されている。従って、第２０実施形態の管理システム１によれば、後述する点を除き、上述した第１９実施形態の管理システム１と同様の効果を奏することができる。
【０２２５】
第１９実施形態の管理システム１が適用される例では、販売店において販売される同一種類の複数の商品が、基本的に同一の埋め込み印刷部を有している。ただし、複数の商品に付されている埋め込み印刷部のそれぞれが互いに異なる印刷ゆらぎ（形状ゆらぎ）を有する。
一方、第２０実施形態の管理システム１が適用される例では、販売店において販売される同一種類の複数の商品が、互いに異なる埋め込み印刷部を有している。
第２０実施形態の管理システム１では、第１９実施形態の管理システム１と同様に、カメラ部１２Ａは、ＪＡＮコードリーダ部１１ＡによってＪＡＮコードが読み取られた後に、そのＪＡＮコードが付されている商品に更に付された埋め込み印刷部の画像を撮影する。また、カメラ部１２Ａは、ユーザによって販売店で正規に購入された商品が有する個体識別情報（埋め込み印刷部）を販売店において検出する個体識別情報検出装置として機能する。
【０２２６】
上述したように、第１９実施形態の管理システム１では、撮影装置１２の処理部１２Ｂの特徴点データ変換部１２Ｂ２が、カメラ部１２Ａによって撮影された埋め込み印刷部の画像を変換して第１特徴点データを生成する。詳細には、特徴点データ変換部１２Ｂ２が、埋め込み印刷部の画像から、その埋め込み印刷部の印刷時に発生した埋め込み印刷部の個体差（印刷ゆらぎ）を特徴点として抽出し、その特徴点をデータ化したものである第１特徴点データを生成する。
一方、第２０実施形態の管理システム１では、撮影装置１２の処理部１２Ｂの特徴点データ変換部１２Ｂ２が、カメラ部１２Ａによって撮影された埋め込み印刷部の画像データを第１特徴点データとして生成する。
第２０実施形態の管理システム１では、第１９実施形態の管理システム１と同様に、ユーザ端末１４の撮影部１４Ａが、ユーザの操作に応じて、ユーザによって正規に購入された商品に付された埋め込み印刷部の画像を撮影する。
【０２２７】
上述したように、第１９実施形態の管理システム１では、サーバ１３のデータ管理部１３Ａの特徴点データ変換部１３Ａ１が、ユーザ端末１４の撮影部１４Ａによって撮影された埋め込み印刷部の画像を変換して第２特徴点データを生成する。詳細には、特徴点データ変換部１３Ａ１が、埋め込み印刷部の画像から、その埋め込み印刷部の印刷時に発生した埋め込み印刷部の個体差（印刷ゆらぎ）を特徴点として抽出し、その特徴点をデータ化したものである第２特徴点データを生成する。
一方、第２０実施形態の管理システム１では、サーバ１３のデータ管理部１３Ａの特徴点データ変換部１３Ａ１が、ユーザ端末１４の撮影部１４Ａによって撮影された埋め込み印刷部の画像データを第２特徴点データとして生成する。
第２０実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された埋め込み印刷部の画像データと、ユーザ端末１４の撮影部１４Ａによって撮影された埋め込み印刷部の画像データとが合致するか否かの判定を行う。また、処理部１３Ａ３は、第１特徴点データと第２特徴点データとが合致する場合に、撮影装置１２のカメラ部１２Ａによって撮影された埋め込み印刷部を有する商品と、ユーザ端末１４の撮影部１４Ａによって撮影された埋め込み印刷部を有する商品とが同一であると判定し、ユーザによる応募手続が適正な応募手続であると判定する。
【０２２８】
＜第２１実施形態＞
以下、本発明の管理システム、管理方法および個体識別情報検出装置の第２１実施形態について説明する。
第２１実施形態の管理システム１は、後述する点を除き、上述した第２０実施形態の管理システム１と同様に構成されている。従って、第２１実施形態の管理システム１によれば、後述する点を除き、上述した第２０実施形態の管理システム１と同様の効果を奏することができる。
【０２２９】
第２１実施形態の管理システム１が適用される例では、第２０実施形態の管理システム１が適用される例と同様に、販売店において販売される同一種類の複数の商品が、互いに異なる埋め込み印刷部を有している。
第２１実施形態の管理システム１では、第２０実施形態の管理システム１と同様に、カメラ部１２Ａは、ＪＡＮコードリーダ部１１ＡによってＪＡＮコードが読み取られた後に、そのＪＡＮコードが付されている商品に更に付された埋め込み印刷部の画像を撮影する。また、カメラ部１２Ａは、ユーザによって販売店で正規に購入された商品が有する個体識別情報（埋め込み印刷部）を販売店において検出する個体識別情報検出装置として機能する。
【０２３０】
上述したように、第２０実施形態の管理システム１では、撮影装置１２の処理部１２Ｂの特徴点データ変換部１２Ｂ２が、カメラ部１２Ａによって撮影された埋め込み印刷部の画像データを第１特徴点データとして生成する。
一方、第２１実施形態の管理システム１では、撮影装置１２の処理部１２Ｂの特徴点データ変換部１２Ｂ２が、カメラ部１２Ａによって撮影された埋め込み印刷部が有する例えばテキスト情報、コード情報などの情報（つまり、商品の情報）を第１特徴点データとして生成する。
【０２３１】
上述したように、第２０実施形態の管理システム１では、サーバ１３のデータ管理部１３Ａの特徴点データ変換部１３Ａ１が、ユーザ端末１４の撮影部１４Ａによって撮影された埋め込み印刷部の画像データを第２特徴点データとして生成する。
一方、第２１実施形態の管理システム１では、サーバ１３のデータ管理部１３Ａの特徴点データ変換部１３Ａ１が、ユーザ端末１４の撮影部１４Ａによって撮影された埋め込み印刷部が有する情報（つまり、商品の情報）を第２特徴点データとして生成する。
第２１実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された埋め込み印刷部が有する情報と、ユーザ端末１４の撮影部１４Ａによって撮影された埋め込み印刷部が有する情報とが合致するか否かの判定を行う。また、処理部１３Ａ３は、第１特徴点データと第２特徴点データとが合致する場合に、撮影装置１２のカメラ部１２Ａによって撮影された埋め込み印刷部を有する商品と、ユーザ端末１４の撮影部１４Ａによって撮影された埋め込み印刷部を有する商品とが同一であると判定し、ユーザによる応募手続が適正な応募手続であると判定する。
【０２３２】
＜第２２実施形態＞
以下、本発明の管理システム、管理方法および個体識別情報検出装置の第２２実施形態について説明する。
第２２実施形態の管理システム１は、後述する点を除き、上述した第２０実施形態の管理システム１と同様に構成されている。従って、第２２実施形態の管理システム１によれば、後述する点を除き、上述した第２０実施形態の管理システム１と同様の効果を奏することができる。
【０２３３】
第２２実施形態の管理システム１が適用される例では、第２０実施形態の管理システム１が適用される例と同様に、販売店において販売される同一種類の複数の商品が、互いに異なる複数の埋め込み印刷部を有している。
第２２実施形態の管理システム１では、第２０実施形態の管理システム１と同様に、カメラ部１２Ａは、ＪＡＮコードリーダ部１１ＡによってＪＡＮコードが読み取られた後に、そのＪＡＮコードが付されている商品に更に付された埋め込み印刷部の画像を撮影する。また、カメラ部１２Ａは、ユーザによって販売店で正規に購入された商品が有する個体識別情報（埋め込み印刷部）を販売店において検出する個体識別情報検出装置として機能する。
【０２３４】
上述したように、第２０実施形態の管理システム１では、撮影装置１２の処理部１２Ｂの特徴点データ変換部１２Ｂ２が、カメラ部１２Ａによって撮影された埋め込み印刷部の画像データを第１特徴点データとして生成する。
一方、第２２実施形態の管理システム１では、撮影装置１２の処理部１２Ｂの特徴点データ変換部１２Ｂ２が、カメラ部１２Ａによって撮影された埋め込み印刷部の画像データと、カメラ部１２Ａによって撮影された埋め込み印刷部が有する情報（つまり、商品の情報）とを含むものである第１特徴点データを生成する。
【０２３５】
上述したように、第２０実施形態の管理システム１では、サーバ１３のデータ管理部１３Ａの特徴点データ変換部１３Ａ１が、ユーザ端末１４の撮影部１４Ａによって撮影された埋め込み印刷部の画像データを第２特徴点データとして生成する。
一方、第２２実施形態の管理システム１では、サーバ１３のデータ管理部１３Ａの特徴点データ変換部１３Ａ１が、ユーザ端末１４の撮影部１４Ａによって撮影された埋め込み印刷部の画像データと、ユーザ端末１４の撮影部１４Ａによって撮影された埋め込み印刷部が有する情報（つまり、商品の情報）とを含むものである第２特徴点データを生成する。
第２２実施形態の管理システム１では、サーバ１３のデータ管理部１３Ａの処理部１３Ａ３は、第１特徴点データと第２特徴点データとが合致するか否かの判定を行う。つまり、処理部１３Ａ３は、撮影装置１２のカメラ部１２Ａによって撮影された埋め込み印刷部の画像データおよび撮影装置１２のカメラ部１２Ａによって撮影された埋め込み印刷部が有する情報と、ユーザ端末１４の撮影部１４Ａによって撮影された埋め込み印刷部の画像データおよびユーザ端末１４の撮影部１４Ａによって撮影された埋め込み印刷部が有する情報とが合致するか否かの判定を行う。また、処理部１３Ａ３は、第１特徴点データと第２特徴点データとが合致する場合に、撮影装置１２のカメラ部１２Ａによって撮影された埋め込み印刷部を有する商品と、ユーザ端末１４の撮影部１４Ａによって撮影された埋め込み印刷部を有する商品とが同一であると判定し、ユーザによる応募手続が適正な応募手続であると判定する。
【０２３６】
＜第２３実施形態＞
以下、本発明の管理システム、管理方法および個体識別情報検出装置の第２３実施形態について、添付図面を参照して説明する。
第２３実施形態の管理システム１は、後述する点を除き、上述した第１実施形態の管理システム１と同様に構成されている。従って、第２３実施形態の管理システム１によれば、後述する点を除き、上述した第１実施形態の管理システム１と同様の効果を奏することができる。
【０２３７】
図１０は第２３実施形態の管理システム１の一例の概略構成図である。
図１０に示す例では、管理システム１が、ＰＯＳレジスタ１１と、販売店側リーダ２２と、サーバ２３と、ユーザ端末２４とを備えている。
ＰＯＳレジスタ１１の通信部１１Ｃは、例えばＬＡＮなどのネットワークを介して販売店側リーダ２２との通信を行う。通信部１１Ｃは、例えば、ＪＡＮコードリーダ部１１Ａによって読み取られたＪＡＮコードの情報（例えばテキストファイル、ＣＳＶファイルなど）を販売店側リーダ２２に送信する。
【０２３８】
図１０に示す例では、販売店側リーダ２２が、ＪＡＮコードリーダ部１１ＡによってＪＡＮコードが読み取られた後に、商品に付されたＩＣタグが有する情報の読み取りなどを行う。販売店側リーダ２２は、ＩＣタグリーダ２２Ａと、処理部２２Ｂと、通信部２２Ｃとを備えている。
ＩＣタグリーダ２２Ａは、ＪＡＮコードリーダ部１１ＡによってＪＡＮコードが読み取られた後に、そのＪＡＮコードが付された商品に更に付されているＩＣタグが有する情報を読み取る。ＩＣタグリーダ２２Ａは、例えば特開２０１６−２０１０１２号公報に記載された手法と同様の手法（例えばＮＦＣ（Near Field Communication）規格の近接無線通信）を用いることによって、ＩＣタグが有する情報を読み取る。
ＩＣタグリーダ２２Ａは、販売店の店員の操作に応じて、ＩＣタグが有する情報を読み取っても、例えば無人レジの場合のように、商品を購入するユーザの操作に応じて、ＩＣタグが有する情報を読み取ってもよい。
【０２３９】
図１１はＪＡＮコードとＩＣタグとが付された商品の一例を示す図である。詳細には、図１１（Ａ）はＩＣタグの物理的な構造に起因する容量成分から得られる第１の固有の識別情報を有するＩＣタグが付された商品を示している。図１１（Ｂ）はＩＣタグの物理的な構造に起因する容量成分から得られる、第１の固有の識別情報とは異なる第２の固有の識別情報を有するＩＣタグが付された商品を示している。
図１１（Ａ）に示すＩＣタグと、図１１（Ｂ）に示すＩＣタグとが量産され、図１１（Ａ）に示すＩＣタグと、図１１（Ｂ）に示すＩＣタグとに同一の情報が書き込まれている場合であっても、図１１（Ａ）に示すＩＣタグと、図１１（Ｂ）に示すＩＣタグとが有するわずかな個体差を用いる（ＰＵＦ（Physical Unclonable Function）技術を用いる）ことによって、図１１（Ａ）に示すＩＣタグと、図１１（Ｂ）に示すＩＣタグとを個体識別できることが、本発明者等の鋭意研究において確認されている（例えば特開２０１７−００４２５１号公報参照）。
つまり、図１０および図１１に示す例では、ＩＣタグリーダ２２Ａによって図１１（Ａ）に示すＩＣタグが有する第１の固有の識別情報と図１１（Ｂ）に示すＩＣタグが有する第２の固有の識別情報とを読み取ることにより、図１１（Ａ）に示すＩＣタグが付された商品と、図１１（Ｂ）に示すＩＣタグが付された商品とを識別することができる。
すなわち、図１０および図１１に示す例では、商品に付されたＩＣタグ（詳細には、ＩＣタグが有する固有の識別情報）が、同一種類の複数の商品のそれぞれを個体識別するための個体識別情報として用いられる。
換言すれば、図１０および図１１に示す例では、ＩＣタグリーダ２２Ａは、ユーザによって販売店で正規に購入された商品に付されたＩＣタグが有する個体識別情報を販売店において検出する個体識別情報検出装置として機能する。
【０２４０】
図１０に示す例では、販売店側リーダ２２の処理部２２Ｂが、キャンペーンの対象商品であるか否かの判定などを行う。処理部２２Ｂは、キャンペーンマスタ照合部２２Ｂ１を備えている。
キャンペーンマスタ照合部２２Ｂ１は、ＪＡＮコードリーダ部１１Ａによって読み取られたＪＡＮコードに基づいて、そのＪＡＮコードが付された商品が、例えば特典などが当選するキャンペーンの対象商品であるか否かを判定する。そのＪＡＮコードが付された商品がキャンペーン対象商品である場合に、ＩＣタグリーダ２２Ａは、その商品に付されたＩＣタグが有する固有の識別情報を読み取る。一方、そのＪＡＮコードが付された商品がキャンペーン対象商品ではない場合、ＩＣタグリーダ２２Ａは、その商品に付されたＩＣタグが有する固有の識別情報を読み取らない。
図１０に示す例では、キャンペーンマスタ照合部２２Ｂ１が販売店側リーダ２２に備えられているが、他の例では、キャンペーンマスタ照合部２２Ｂ１が例えばサーバ２３などに備えられていてもよい。
【０２４１】
図１０に示す例では、販売店側リーダ２２の通信部２２Ｃが、例えばＬＡＮなどのネットワークを介してＰＯＳレジスタ１１との通信を行うと共に、例えばインターネットなどのネットワークを介してサーバ２３との通信を行う。通信部２２Ｃは、ＪＡＮコードリーダ部１１Ａによって読み取られたＪＡＮコードの情報を受信する。また、通信部２２Ｃは、ＩＣタグリーダ２２Ａによって読み取られたＩＣタグが有する固有の識別情報と、ＰＯＳレジスタ１１から受信したＪＡＮコードの情報とをサーバ２３に送信する。
図１０に示す例では、ＰＯＳレジスタ１１と販売店側リーダ２２とが別個に設けられているが、他の例では、ＰＯＳレジスタ１１と販売店側リーダ２２とが一体化されていてもよい。
図１０に示す例では、ＰＯＳレジスタ１１が備えられ、ＰＯＳ処理部１１ＢがＰＯＳ処理を実行するが、他の例では、ＰＯＳレジスタ１１が省略され、ＰＯＳ処理が実行されなくてもよい。この例では、ユーザが販売店で商品を正規に購入した後に、販売店側リーダ２２のＩＣタグリーダ２２Ａが、ＩＣタグが有する固有の識別情報を読み取り可能な状態になる。
【０２４２】
図１０に示す例では、ユーザ端末２４は、例えば、ＰＯＳレジスタ１１のＪＡＮコードリーダ部１１Ａによって読み取られたＪＡＮコードが付された商品を購入したユーザが携帯するスマートフォンである。ユーザ端末２４は、ＩＣタグリーダ２４Ａと、表示部２４Ｂと、通信部２４Ｃとを備えている。
ＩＣタグリーダ２４Ａは、ユーザの操作に応じて、ユーザによって正規に購入された商品に付されたＩＣタグが有する情報（ＩＣタグに書き込まれた情報）を読み取る。また、ＩＣタグリーダ２４Ａは、ＩＣタグの物理的な構造に起因する容量成分から取得される固有の識別情報も読み取る。
例えば、専用アプリがユーザ端末２４にダウンロードされた場合に、ＩＣタグリーダ２４Ａは、販売店側リーダ２２のＩＣタグリーダ２２ＡによってＩＣタグから読み取られる固有の識別情報と合致する固有の識別情報を、ＩＣタグから読み取ることができるようになる。
専用アプリを用いることなく、ウェブブラウザ上で、ＩＣタグリーダ２４Ａが、販売店側リーダ２２のＩＣタグリーダ２２ＡによってＩＣタグから読み取られる固有の識別情報と合致する固有の識別情報を、ＩＣタグから読み取ることができるようにしてもよい。
表示部２４Ｂは、上述したキャンペーンの抽選結果などを表示する。
通信部２４Ｃは、例えばインターネットなどのネットワークを介してサーバ２３との通信を行う。通信部２４Ｃは、ＩＣタグリーダ２４Ａによって読み取られた固有の識別情報をサーバ２３に送信する。また、通信部２４Ｃは、キャンペーンの抽選結果の情報をサーバ２３から受信する。
詳細には、購入した商品のキャンペーンに応募しようとするユーザは、ユーザ端末２４のＩＣタグリーダ２４Ａを操作する。その操作に応じて、ＩＣタグリーダ２４Ａは、その商品に付されたＩＣタグから固有の識別情報を読み取る。通信部２４Ｃは、ＩＣタグリーダ２４Ａによって読み取られた固有の識別情報をサーバ２３に送信する。その結果、その商品のキャンペーンに対するユーザによる応募手続が完了する。
図１０に示す例では、ユーザ端末２４がスマートフォンであり、ＩＣタグリーダ２４Ａがスマートフォンに搭載されており、表示部２４Ｂがスマートフォンのタッチパネルであるが、他の例では、ユーザ端末２４が、パーソナルコンピュータなどの端末装置であってもよい。また、ＩＣタグリーダ２４Ａが、その端末装置に搭載されていても、搭載されていなくてもよい。表示部２４Ｂが、その端末装置のディスプレイであってもよい。
【０２４３】
図１０に示す例では、サーバ２３が、例えばクラウド環境に作られたクラウドサーバである。他の例では、サーバ２３が、例えばオンプレミスサーバなどのクラウドサーバ以外のサーバであってもよい。
図１０に示す例では、サーバ２３が、データ管理部２３Ａと、抽選管理部２３Ｂとを備えている。データ管理部２３Ａは、ＩＣタグリーダ２２Ａによって読み取られた固有の識別情報の管理などを行う。データ管理部２３Ａは、識別情報データベース２３Ａ２と、処理部２３Ａ３と、通信部２３Ａ４とを備えている。
識別情報データベース２３Ａ２は、ＩＣタグリーダ２２Ａによって読み取られた固有の識別情報、ＰＯＳレジスタ１１のＪＡＮコードリーダ部１１Ａによって読み取られたＪＡＮコードの情報、ＩＣタグリーダ２４Ａによって読み取られた固有の識別情報、管理番号、タイムスタンプなどを格納する。
【０２４４】
図１０に示す例では、処理部２３Ａ３が、販売店側リーダ２２のＩＣタグリーダ２２Ａによって読み取られた固有の識別情報と、ユーザ端末２４のＩＣタグリーダ２４Ａによって読み取られた固有の識別情報とが合致するか否かの判定を行う。つまり、処理部２３Ａ３は、販売店側リーダ２２のＩＣタグリーダ２２Ａによって読み取られた固有の識別情報と、ユーザ端末２４のＩＣタグリーダ２４Ａによって読み取られた固有の識別情報とのマッチングを行う。
詳細には、サーバ２３が、ユーザ端末２４のＩＣタグリーダ２４Ａによって読み取られた固有の識別情報をユーザ端末２４から受信した場合に、処理部２３Ａ３は、その固有の識別情報に合致する固有の識別情報（販売店側リーダ２２のＩＣタグリーダ２２Ａによって読み取られた固有の識別情報）が、識別情報データベース２３Ａ２に格納されているか否かの判定を行う。
【０２４５】
また、処理部２３Ａ３は、上述したマッチングの結果に基づいて、販売店側リーダ２２のＩＣタグリーダ２２Ａによって読み取られたＩＣタグが付された商品と、ユーザ端末２４のＩＣタグリーダ２４Ａによって読み取られたＩＣタグが付された商品とが同一であるか否かの判定を行う。
詳細には、販売店側リーダ２２のＩＣタグリーダ２２Ａによって読み取られた固有の識別情報と、ユーザ端末２４のＩＣタグリーダ２４Ａによって読み取られた固有の識別情報が合致する場合に、処理部２３Ａ３は、販売店側リーダ２２のＩＣタグリーダ２２Ａによって読み取られたＩＣタグが付された商品と、ユーザ端末２４のＩＣタグリーダ２４Ａによって読み取られたＩＣタグが付された商品とが同一であると判定する。
販売店側リーダ２２のＩＣタグリーダ２２Ａによって読み取られたＩＣタグが付された商品と、ユーザ端末２４のＩＣタグリーダ２４Ａによって読み取られたＩＣタグが付された商品とが同一である場合、処理部２３Ａ３は、ユーザによる応募手続が適正な応募手続であると判定する。
【０２４６】
また、処理部２３Ａ３は、識別情報管理データを生成する。
識別情報管理データには、例えば、管理番号、販売店側リーダ２２のＩＣタグリーダ２２Ａによって読み取られた固有の識別情報、ユーザ端末２４のＩＣタグリーダ２４Ａによって読み取られた固有の識別情報、ＪＡＮコードリーダ部１１Ａによって読み取られたＪＡＮコードの情報、販売店側リーダ２２のＩＣタグリーダ２２Ａによって読み取られたＩＣタグが付された商品とユーザ端末２４のＩＣタグリーダ２４Ａによって読み取られたＩＣタグが付された商品とが同一であるか否かの判定結果、タイムスタンプなどが含まれる。
識別情報管理データに、ＧＰＳ位置情報、ＰＯＳレジスタ番号などの販売店情報などが含まれてもよい。
【０２４７】
図１０に示す例では、通信部２３Ａ４が、例えばインターネットなどのネットワークを介して、販売店側リーダ２２との通信を行うと共に、ユーザ端末２４との通信を行う。
通信部２３Ａ４は、ＩＣタグリーダ２２Ａによって読み取られた固有の識別情報と、ＪＡＮコードリーダ部１１Ａによって読み取られたＪＡＮコードの情報とを販売店側リーダ２２から受信する。また、通信部２３Ａ４は、ユーザ端末２４のＩＣタグリーダ２４Ａによって読み取られた固有の識別情報をユーザ端末２４から受信する。
【０２４８】
図１０に示す例では、抽選管理部２３Ｂが、キャンペーンの抽選に関する処理を行う。抽選管理部２３Ｂは、抽選データベース２３Ｂ１と、処理部２３Ｂ２と、通信部２３Ｂ３とを備えている。
抽選データベース２３Ｂ１には、上述した抽選データベース１３Ｂ１と同様に、抽選結果マスタが格納されている。
また、抽選データベース２３Ｂ１には、販売店側リーダ２２のＩＣタグリーダ２２Ａによって読み取られた固有の識別情報と、ユーザ端末２４のＩＣタグリーダ２４Ａによって読み取られた固有の識別情報とが合致するか否かの判定結果が格納される。
また、抽選データベース２３Ｂ１には、処理部２３Ａ３によって生成された識別情報管理データが格納される。
【０２４９】
図１０に示す例では、処理部２３Ｂ２が、上述した処理部１３Ｂ２と同様に、抽選処理などを行う。
また、処理部２３Ｂ２は、抽選結果マスタなどに基づいて、抽選管理データを生成する。抽選管理データには、例えば、登録順番、抽選結果、管理番号、ＪＡＮコードリーダ部１１Ａによって読み取られたＪＡＮコードの情報、販売店側リーダ２２のＩＣタグリーダ２２Ａによって読み取られたＩＣタグが付された商品とユーザ端末２４のＩＣタグリーダ２４Ａによって読み取られたＩＣタグが付された商品とが同一であるか否か（適正な応募手続であるか否か）の判定結果、抽選処理の結果（当選したか否かの判定結果）、タイムスタンプなどが含まれる。抽選管理データは、識別情報管理データと抽選結果マスタとの紐づけを行ったものである。
また、処理部２３Ｂ２は、上述した処理部１３Ｂ２と同様に、抽選結果マスタに対する必要な情報の書き込みを行う。
また、処理部２３Ｂ２は、抽選管理データに含まれる情報のうちの、ユーザ端末２４に送信すべき情報であるキャンペーンの抽選結果（当選または落選の結果）の情報（例えばテキストファイル、ＣＳＶファイルなど）を出力する。
通信部２３Ｂ３は、例えばインターネットなどのネットワークを介してユーザ端末２４との通信を行う。通信部２３Ｂ３は、処理部２３Ｂ２によって出力されたキャンペーンの抽選結果の情報をユーザ端末２４に送信する。
【０２５０】
図１２は第２３実施形態の管理システム１において実行される処理の一例を示すシーケンス図である。
図１２に示す例では、ステップＳ３１において、ＰＯＳレジスタ１１のＪＡＮコードリーダ部１１Ａが、販売店においてユーザに販売される商品に付されたＪＡＮコードを読み取る。
次いで、ステップＳ３２において、ＰＯＳレジスタ１１のＰＯＳ処理部１１Ｂは、ＪＡＮコードリーダ部１１Ａによって読み取られたＪＡＮコードの情報に基づいて、ＰＯＳ処理を実行する。
次いで、ステップＳ３３において、ＰＯＳレジスタ１１の通信部１１Ｃは、ＪＡＮコードリーダ部１１Ａによって読み取られたＪＡＮコードの情報を販売店側リーダ２２に送信する。
【０２５１】
次いで、ステップＳ３４において、販売店側リーダ２２のキャンペーンマスタ照合部２２Ｂ１は、ＪＡＮコードリーダ部１１Ａによって読み取られたＪＡＮコードに基づいて、そのＪＡＮコードが付された商品がキャンペーン対象商品であるか否かの判定を行い、その商品がキャンペーン対象商品であると判定する。
次いで、ステップＳ３５において、販売店側リーダ２２のＩＣタグリーダ２２Ａは、ＪＡＮコードリーダ部１１ＡによってＪＡＮコードが読み取られた商品に付されているＩＣタグが有する固有の識別情報を読み取る。
次いで、ステップＳ３７において、販売店側リーダ２２の通信部２２Ｃは、ＩＣタグリーダ２２Ａによって読み取られた固有の識別情報と、ＰＯＳレジスタ１１から受信したＪＡＮコードの情報とをサーバ２３に送信する。
【０２５２】
次いで、ステップＳ３８において、販売店側リーダ２２のＩＣタグリーダ２２Ａによって読み取られた固有の識別情報が、サーバ２３の識別情報データベース２３Ａ２に格納される。
【０２５３】
また、ステップＳ３９において、ユーザ端末２４のＩＣタグリーダ２４Ａは、ユーザによって正規に購入された商品に付されたＩＣタグが有する固有の識別情報を読み取る。
次いで、ステップＳ４０において、ユーザ端末２４の通信部２４Ｃは、ＩＣタグリーダ２４Ａによって読み取られた固有の識別情報をサーバ２３に送信する。
次いで、ステップＳ４２において、ユーザ端末２４のＩＣタグリーダ２４Ａによって読み取られた固有の識別情報が、識別情報データベース２３Ａ２に格納される。
【０２５４】
次いで、ステップＳ４３において、サーバ２３の処理部２３Ａ３は、販売店側リーダ２２のＩＣタグリーダ２２Ａによって読み取られた固有の識別情報と、ユーザ端末２４のＩＣタグリーダ２４Ａによって読み取られた固有の識別情報とが合致するか否かの判定を行い、それらが合致すると判定し、ＩＣタグリーダ２２Ａによって読み取られたＩＣタグが付された商品と、ＩＣタグリーダ２４Ａによって読み取られたＩＣタグが付された商品とが同一であると判定し、ユーザによる応募手続が適正な応募手続であると判定する。
また、ステップＳ４４において、処理部２３Ａ３は、識別情報管理データを生成する。
【０２５５】
次いで、ステップＳ４５において、サーバ２３の処理部２３Ｂ２は、その応募手続に対する抽選処理（管理ＩＤの照合）を行う。
次いで、ステップＳ４６において、処理部２３Ｂ２は、抽選管理データを生成する。
次いで、ステップＳ４７において、処理部２３Ｂ２は、キャンペーンの抽選結果（当選または落選）の情報を出力する。
次いで、ステップＳ４８において、サーバ２３の通信部２３Ｂ３は、処理部２３Ｂ２によって出力されたキャンペーンの抽選結果の情報をユーザ端末２４に送信する。
次いで、ステップＳ４９において、ユーザ端末２４の表示部２４Ｂは、キャンペーンの抽選結果を表示する。
【０２５６】
上述したように、第２３実施形態の管理システム１では、ユーザによって販売店で正規に購入された商品に付されたＩＣタグが有する個体識別情報（固有の識別情報）が、販売店側個体識別情報検出部として機能する販売店側リーダ２２のＩＣタグリーダ２２Ａによって読み取られる（検出される）。また、その商品に付されたＩＣタグが有する個体識別情報（固有の識別情報）が、ユーザ側個体識別情報検出部として機能するユーザ端末２４のＩＣタグリーダ２４Ａによっても読み取られる（検出される）。
また、サーバ２３のデータ管理部２３Ａの処理部２３Ａ３は、販売店側個体識別情報検出部（ＩＣタグリーダ２２Ａ）によって検出された個体識別情報と、ユーザ側個体識別情報検出部（ＩＣタグリーダ２４Ａ）によって検出された個体識別情報とに基づいて、販売店側個体識別情報検出部によって検出された個体識別情報を有するＩＣタグが付された商品と、ユーザ側個体識別情報検出部によって検出された個体識別情報を有するＩＣタグが付された商品とが同一であるか否かを判定する。
また、販売店側リーダ２２の処理部２２Ｂのキャンペーンマスタ照合部２２Ｂ１は、ユーザによって販売店で正規に購入された商品がキャンペーン対象商品であるか否かを判定する。
また、サーバ２３の抽選管理部２３Ｂの処理部２３Ｂ２は、販売店側個体識別情報検出部（ＩＣタグリーダ２２Ａ）によって検出された個体識別情報を有するＩＣタグが付された商品とユーザ側個体識別情報検出部（ＩＣタグリーダ２４Ａ）によって検出された個体識別情報を有するＩＣタグが付された商品とが同一である場合、かつ、ユーザによって販売店で正規に購入された商品がキャンペーン対象商品である場合に、キャンペーンの抽選結果（当選または落選の結果）を出力する。
そのため、第２３実施形態の管理システム１では、商品の個体識別情報を不正に入手した者（例えば商品を万引きした者、売れ残りの商品の個体識別情報を不正に入手した者など）に対してキャンペーンの当選結果が出力されることを回避することができる。
【０２５７】
また、第２３実施形態の管理システム１では、サーバ２３のデータ管理部２３Ａの処理部２３Ａ３が、ＩＣタグリーダ２２Ａによって読み取られた個体識別情報とＩＣタグリーダ２４Ａによって読み取られた個体識別情報とが合致する場合に、販売店側リーダ２２のＩＣタグリーダ２２Ａによって読み取られた個体識別情報を有するＩＣタグが付された商品と、ユーザ端末２４のＩＣタグリーダ２４Ａによって読み取られた個体識別情報を有するＩＣタグが付された商品とが同一であると判定する。
つまり、第２３実施形態の管理システム１では、ＩＣタグの物理的な構造に起因する容量成分から取得される固有の識別情報（個体識別情報）を用いることによって、個体識別情報を有するＩＣタグの同一性を判定し、そのＩＣタグが付された商品の同一性を判定することができる。
【０２５８】
また、第２３実施形態の管理システム１では、ＰＯＳレジスタ１１のＪＡＮコードリーダ部１１Ａが、販売店においてユーザに販売される商品に付されたＪＡＮコードを読み取る。また、販売店側リーダ２２の処理部２２Ｂのキャンペーンマスタ照合部２２Ｂ１は、ＪＡＮコードリーダ部１１Ａによって読み取られたＪＡＮコードに基づいて、そのＪＡＮコードが付された商品がキャンペーン対象商品であるか否かを判定する。その商品がキャンペーン対象商品ではないとキャンペーンマスタ照合部２２Ｂ１が判定する場合に、販売店側リーダ２２のＩＣタグリーダ２２Ａは、その商品に付されたＩＣタグが有する個体識別情報を読み取らない。
そのため、第２３実施形態の管理システム１では、キャンペーン対象商品ではない商品に付されたＩＣタグが有する個体識別情報を販売店側リーダ２２のＩＣタグリーダ２２Ａが読み取る無駄を排除し、不要な作業コストおよびデータ送付コストの発生を回避することができる。
【０２５９】
また、第２３実施形態の管理システム１では、サーバ２３のデータ管理部２３Ａの処理部２３Ａ３は、販売店側リーダ２２のＩＣタグリーダ２２Ａによって読み取られた固有の識別情報とユーザ端末２４のＩＣタグリーダ２４Ａによって読み取られた固有の識別情報とが合致する場合に、販売店側リーダ２２のＩＣタグリーダ２２Ａによって読み取られた固有の識別情報を有するＩＣタグが付された商品と、ユーザ端末２４のＩＣタグリーダ２４Ａによって読み取られた固有の識別情報を有するＩＣタグが付された商品とが同一の商品であると判定する。
そのため、第２３実施形態の管理システム１では、同一の情報が、同一種類の複数の商品に付されたＩＣタグに書き込まれている場合であっても、各ＩＣタグが有する固有の識別情報を個体識別情報として用いて、同一種類の複数の商品のそれぞれを個体識別することができる。
【０２６０】
＜第２４実施形態＞
以下、本発明の管理システム、管理方法および個体識別情報検出装置の第２４実施形態について説明する。
第２４実施形態の管理システム１は、後述する点を除き、上述した第２３実施形態の管理システム１と同様に構成されている。従って、第２４実施形態の管理システム１によれば、後述する点を除き、上述した第２３実施形態の管理システム１と同様の効果を奏することができる。
【０２６１】
第２３実施形態の管理システム１が適用される図１０〜図１２に示す例では、販売店において販売される同一種類の複数の商品に付されている複数のＩＣタグに、同一の情報が書き込まれている。ただし、同一の情報が書き込まれている複数のＩＣタグのそれぞれが、ＩＣタグの物理的な構造に起因する容量成分から得られる互いに異なる固有の識別情報を有する。
一方、第２４実施形態の管理システム１が適用される例では、販売店において販売される同一種類の複数の商品に付されている複数のＩＣタグに、互いに異なる情報が書き込まれている。
第２４実施形態の管理システム１では、第２３実施形態の管理システム１と同様に、ＩＣタグリーダ２２Ａは、ＪＡＮコードリーダ部１１ＡによってＪＡＮコードが読み取られた後に、そのＪＡＮコードが付された商品に更に付されているＩＣタグが有する情報を読み取る。また、ＩＣタグリーダ２２Ａは、ユーザによって販売店で正規に購入された商品に付されたＩＣタグが有する個体識別情報を販売店において検出する個体識別情報検出装置として機能する。
【０２６２】
上述したように、第２３実施形態の管理システム１では、サーバ２３のデータ管理部２３Ａの処理部２３Ａ３が、販売店側リーダ２２のＩＣタグリーダ２２Ａによって読み取られた固有の識別情報（ＪＡＮコードが付された商品に更に付されているＩＣタグの物理的な構造に起因する容量成分から得られる固有の識別情報）と、ユーザ端末２４のＩＣタグリーダ２４Ａによって読み取られた固有の識別情報（ユーザが購入した商品に付されているＩＣタグの物理的な構造に起因する容量成分から得られる固有の識別情報）とが合致するか否かの判定を行う。
一方、第２４実施形態の管理システム１では、サーバ２３のデータ管理部２３Ａの処理部２３Ａ３が、販売店側リーダ２２のＩＣタグリーダ２２Ａによって読み取られた個体識別情報（ＪＡＮコードが付された商品に更に付されているＩＣタグに書き込まれている情報）と、ユーザ端末２４のＩＣタグリーダ２４Ａによって読み取られた個体識別情報（ユーザが購入した商品に付されているＩＣタグに書き込まれている情報）とが合致するか否かの判定を行う。
第２４実施形態の管理システム１では、販売店側リーダ２２のＩＣタグリーダ２２Ａによって読み取られた個体識別情報（ＪＡＮコードが付された商品に更に付されているＩＣタグに書き込まれている情報）と、ユーザ端末２４のＩＣタグリーダ２４Ａによって読み取られた個体識別情報（ユーザが購入した商品に付されているＩＣタグに書き込まれている情報）とが合致する場合に、処理部２３Ａ３は、販売店側リーダ２２のＩＣタグリーダ２２Ａによって読み取られたＩＣタグが付された商品と、ユーザ端末２４のＩＣタグリーダ２４Ａによって読み取られたＩＣタグが付された商品とが同一であると判定し、ユーザによる応募手続が適正な応募手続であると判定する。
【０２６３】
＜第２５実施形態＞
以下、本発明の管理システム、管理方法および個体識別情報検出装置の第２５実施形態について説明する。
第２５実施形態の管理システム１は、後述する点を除き、上述した第２４実施形態の管理システム１と同様に構成されている。従って、第２５実施形態の管理システム１によれば、後述する点を除き、上述した第２４実施形態の管理システム１と同様の効果を奏することができる。
【０２６４】
第２５実施形態の管理システム１が適用される例では、第２４実施形態の管理システム１が適用される例と同様に、販売店において販売される同一種類の複数の商品に付されている複数のＩＣタグに、互いに異なる情報が書き込まれている。
第２５実施形態の管理システム１では、第２４実施形態の管理システム１と同様に、ＩＣタグリーダ２２Ａは、ＪＡＮコードリーダ部１１ＡによってＪＡＮコードが読み取られた後に、そのＪＡＮコードが付された商品に更に付されているＩＣタグが有する情報を読み取る。
上述したように、第２４実施形態の管理システム１では、ＩＣタグリーダ２２Ａによって読み取られる情報（個体識別情報）が、商品に付されたＩＣタグに書き込まれている情報である。
一方、第２５実施形態の管理システム１では、ＩＣタグリーダ２２Ａによって読み取られる情報（個体識別情報）が、商品に付されたＩＣタグが有する識別情報であって、ＩＣタグの物理的な構造に起因する容量成分から取得される固有の識別情報である第１識別情報と、ＩＣタグに書き込まれている情報である第２識別情報とを含む。
第２５実施形態の管理システム１では、ＩＣタグリーダ２２Ａは、ユーザによって販売店で正規に購入された商品に付されたＩＣタグが有する第１識別情報と、ＩＣタグに書き込まれている第２識別情報とを販売店において読み取る（検出する）個体識別情報検出装置として機能する。
【０２６５】
上述したように、第２４実施形態の管理システム１では、ユーザ端末２４のＩＣタグリーダ２４Ａによって読み取られる情報（個体識別情報）は、ユーザが購入した商品に付されたＩＣタグに書き込まれている情報である。
一方、第２５実施形態の管理システム１では、ユーザ端末２４のＩＣタグリーダ２４Ａによって読み取られる情報（個体識別情報）は、ユーザが購入した商品に付されたＩＣタグが有する識別情報であって、ＩＣタグの物理的な構造に起因する容量成分から取得される固有の識別情報である第１識別情報と、ＩＣタグに書き込まれている情報である第２識別情報とを含む。
つまり、第２５実施形態の管理システム１では、ユーザ端末２４のＩＣタグリーダ２４Ａは、ユーザが購入した商品に付されたＩＣタグが有する第１識別情報と、ＩＣタグに書き込まれている第２識別情報とを読み取る。
【０２６６】
上述したように、第２４実施形態の管理システム１では、サーバ２３のデータ管理部２３Ａの処理部２３Ａ３が、販売店側リーダ２２のＩＣタグリーダ２２Ａによって読み取られた個体識別情報（ＩＣタグに書き込まれている情報）と、ユーザ端末２４のＩＣタグリーダ２４Ａによって読み取られた個体識別情報（ＩＣタグに書き込まれている情報）とが合致するか否かの判定を行う。
一方、第２５実施形態の管理システム１では、サーバ２３のデータ管理部２３Ａの処理部２３Ａ３は、販売店側リーダ２２のＩＣタグリーダ２２Ａによって読み取られた第１識別情報および第２識別情報と、ユーザ端末２４のＩＣタグリーダ２４Ａによって読み取られた第１識別情報および第２識別情報とが合致するか否かの判定を行う。
第２５実施形態の管理システム１では、販売店側リーダ２２のＩＣタグリーダ２２Ａによって読み取られた第１識別情報および第２識別情報と、ユーザ端末２４のＩＣタグリーダ２４Ａによって読み取られた第１識別情報および第２識別情報とが合致する場合に、処理部２３Ａ３は、販売店側リーダ２２のＩＣタグリーダ２２Ａによって読み取られたＩＣタグが付された商品と、ユーザ端末２４のＩＣタグリーダ２４Ａによって読み取られたＩＣタグが付された商品とが同一であると判定し、ユーザによる応募手続が適正な応募手続であると判定する。
【０２６７】
以上、本発明を実施するための形態について実施形態を用いて説明したが、本発明はこうした実施形態に何等限定されるものではなく、本発明の要旨を逸脱しない範囲内において種々の変形および置換を加えることができる。上述した各実施形態および各例に記載の構成を適宜組み合わせてもよい。
【０２６８】
なお、上述した実施形態における管理システム１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０２６９】
１…管理システム、１１…ＰＯＳレジスタ、１１Ａ…ＪＡＮコードリーダ部、１１Ｂ…ＰＯＳ処理部、１１Ｃ…通信部、１２…撮影装置、１２Ａ…カメラ部、１２Ｂ…処理部、１２Ｂ１…キャンペーンマスタ照合部、１２Ｂ２…特徴点データ変換部、１２Ｃ…通信部、１３…サーバ、１３Ａ…データ管理部、１３Ａ１…特徴点データ変換部、１３Ａ２…特徴点データベース、１３Ａ３…処理部、１３Ａ４…通信部、１３Ｂ…抽選管理部、１３Ｂ１…抽選データベース、１３Ｂ２…処理部、１３Ｂ３…通信部、１４…ユーザ端末、１４Ａ…撮影部、１４Ｂ…表示部、１４Ｃ…通信部、２２…販売店側リーダ、２２Ａ…ＩＣタグリーダ、２２Ｂ…処理部、２２Ｂ１…キャンペーンマスタ照合部、２２Ｃ…通信部、２３…サーバ、２３Ａ…データ管理部、２３Ａ２…識別情報データベース、２３Ａ３…処理部、２３Ａ４…通信部、２３Ｂ…抽選管理部、２３Ｂ１…抽選データベース、２３Ｂ２…処理部、２３Ｂ３…通信部、２４…ユーザ端末、２４Ａ…ＩＣタグリーダ、２４Ｂ…表示部、２４Ｃ…通信部
【図１】
2020003943.tif 000003
【図２】
2020003943.tif 000004
【図３】
2020003943.tif 000005
【図４】
2020003943.tif 000006
【図５】
2020003943.tif 000007
【図６】
2020003943.tif 000008
【図７】
2020003943.tif 000009
【図８】
2020003943.tif 000010
【図９】
2020003943.tif 000011
【図１０】
2020003943.tif 000012
【図１１】
2020003943.tif 000013
【図１２】
2020003943.tif 000014